(57)【要約】  互いに対向配置された板状の正極と負極との間に、電解液を含浸するセパレータが配設された電池である制御弁式鉛蓄電池を用いた二次電池が複数並列接続された組電池と、前記各二次電池に対応して設けられ、対応する二次電池をそれぞれ充電する複数の充電部とを備え、前記各充電部は、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させる多段定電流充電を実行する電池充電システムである。
2010079563.tif 000002
【特許請求の範囲】
【請求項１】
互いに対向配置された板状の正極と負極との間に、電解液を含浸するセパレータが配設された電池である制御弁式鉛蓄電池を用いた二次電池が複数並列接続された組電池と、
前記各二次電池に対応して設けられ、対応する二次電池をそれぞれ充電する複数の充電部とを備え、
前記各充電部は、
それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させる多段定電流充電を実行する電池充電システム。
【請求項２】
前記二次電池は、
複数の制御弁式鉛蓄電池が直列接続されて構成されている
請求項１記載の電池充電システム。
【請求項３】
前記正極及び負極における、活物質で覆われた部分の重力方向の長さが、１００ｍｍ以上である請求項１又は２記載の電池充電システム。
【請求項４】
前記各二次電池の温度をそれぞれ測定する複数の温度測定部と、
前記多段定電流充電の実行開始前における予め設定された設定期間において前記各温度測定部によって測定された各温度に基づいて、前記各充電部が前記複数回の定電流充電を実行することにより対応する二次電池へ供給する電気量である総通電電気量をそれぞれ設定する通電電気量設定部とをさらに備える請求項１〜３のいずれか１項に記載の電池充電システム。
【請求項５】
前記通電電気量設定部は、
前記各温度測定部によって測定される各温度の、前記設定期間における積算値を前記各二次電池にそれぞれ対応して算出し、当該積算値が大きい二次電池ほど前記総通電電気量を減少させるように、当該各総通電電気量を設定する請求項４記載の電池充電システム。
【請求項６】
前記通電電気量設定部は、
前記各温度測定部によって測定される各温度の、前記設定期間における最大値を前記各二次電池にそれぞれ対応して取得し、当該最大値が大きい二次電池ほど前記総通電電気量を減少させるように、当該各総通電電気量を設定する請求項４記載の電池充電システム。
【請求項７】
前記二次電池の各温度を示す情報と、前記総通電電気量に関する情報とを対応付けて記憶する第１記憶部をさらに備え、
前記通電電気量設定部は、
前記第１記憶部によって、前記各温度測定部によって測定された各温度と対応付けて記憶されている総通電電気量に関する情報に応じて、前記各総通電電気量を設定する請求項４記載の電池充電システム。
【請求項８】
前記積算値と、前記総通電電気量に関する情報とを対応付けて記憶する第１記憶部をさらに備え、
前記通電電気量設定部は、
前記第１記憶部によって、前記積算値と対応付けて記憶されている総通電電気量に関する情報に応じて、当該積算値が大きい二次電池ほど前記総通電電気量を減少させるように、当該各総通電電気量を設定する請求項５記載の電池充電システム。
【請求項９】
前記積算値と、前記総通電電気量に関する情報とを対応付けて記憶する第１記憶部をさらに備え、
前記通電電気量設定部は、
前記第１記憶部によって、前記最大値と対応付けて記憶されている総通電電気量に関する情報に応じて、当該最大値が大きい二次電池ほど前記総通電電気量を減少させるように、当該各総通電電気量を設定する請求項６記載の電池充電システム。
【請求項１０】
前記複数の二次電池に関する温度を測定する温度測定部と、
前記各二次電池が曝される温度と前記温度測定部によって測定される温度との関係を示す温度情報を、予め記憶する温度情報記憶部と、
前記温度情報記憶部に記憶されている温度情報と前記温度測定部によって測定された温度とに基づいて、前記各充電部が前記複数回の定電流充電によって対応する二次電池へ供給する電気量である総通電電気量をそれぞれ設定する通電電気量設定部とをさらに備える請求項１〜３のいずれか１項に記載の電池充電システム。
【請求項１１】
前記温度情報は、
前記温度測定部によって測定される実測温度と前記各二次電池の内部温度との温度差を、当該各二次電池について示す情報であり、
前記通電電気量設定部は、
前記温度情報記憶部に記憶されている温度情報において、前記内部温度が前記実測温度より高い値を示す二次電池について、前記温度測定部によって測定された実測温度に前記温度情報で示される温度差を加算することによって、当該二次電池の内部温度を推定し、前記温度情報記憶部に記憶されている温度情報において、前記内部温度が前記実測温度より低い値を示す二次電池について、前記温度測定部によって測定された実測温度から前記温度情報で示される温度差を減算することによって、当該二次電池の内部温度を推定し、当該推定された内部温度が高い二次電池ほど前記総通電電気量を減少させるように、前記各総通電電気量を設定する請求項１０記載の電池充電システム。
【請求項１２】
前記通電電気量設定部は、
前記各充電部によって実行される多段定電流充電における前記複数回の定電流充電において、前記充電終止電圧を低下させることで前記総通電電気量を減少させ、前記充電終止電圧を上昇させることで前記総通電電気量を増大させることによって、前記総通電電気量を設定する請求項１１記載の電池充電システム。
【請求項１３】
前記通電電気量設定部は、
前記各二次電池の予め設定された基準温度Ｔ０における満充電電圧をＶｆ、温度と満充電電圧との関係を表す温度係数をｋ、前記温度測定部によって測定された実測温度をＴｒ、前記温度情報によって示される温度差をＴｄとした場合、下記の式（Ａ）を用いて、前記充電終止電圧Ｖｅを算出し、設定するものである
Ｖｅ＝Ｖｆ−ｋ×（Ｔｒ＋Ｔｄ−Ｔ０）  ・・・（Ａ）
請求項１２記載の電池充電システム。
【請求項１４】
前記通電電気量設定部は、
前記各充電部によって実行される多段定電流充電における前記複数回の定電流充電において、前記充電終止電圧を低下させることで前記総通電電気量を減少させ、前記充電終止電圧を上昇させることで前記総通電電気量を増大させることによって、前記総通電電気量を設定する請求項５〜１０のいずれか１項に記載の電池充電システム。
【請求項１５】
前記設定期間は、
前記各充電部によって、前回、前記多段定電流充電が実行された後、新たに前記多段定電流充電が開始されるまでの期間である請求項４〜９のいずれか１項に記載の電池充電システム。
【請求項１６】
前記各充電部は、
前記多段定電流充電において繰り返される定電流充電のうち、最後に実行される定電流充電を、前記二次電池の端子電圧に関わらず、所定の補充電時間の間、継続する請求項１〜１５のいずれか１項に記載の電池充電システム。
【請求項１７】
前記各充電部は、
前記多段定電流充電において繰り返される定電流充電のうち、最後に実行される定電流充電を、前記二次電池の端子電圧に関わらず、所定の補充電時間の間、継続し、
前記各充電部において用いられる前記各補充電時間を、前記通電電気量設定部によって当該各充電部に対応する二次電池に対応して算出された積分値が増大するほど短くなるように補正する補充電時間補正部をさらに備える請求項５又は８に記載の電池充電システム。
【請求項１８】
前記各充電部は、
前記多段定電流充電において繰り返される定電流充電のうち、最後に実行される定電流充電を、前記二次電池の端子電圧に関わらず、所定の補充電時間の間、継続し、
前記各充電部において用いられる前記各補充電時間を、前記通電電気量設定部によって当該各充電部に対応する二次電池に対応して取得された最大値が増大するほど短くなるように補正する補充電時間補正部をさらに備える請求項６又は９に記載の電池充電システム。
【請求項１９】
前記各充電部は、
前記多段定電流充電において繰り返される定電流充電のうち、最後に実行される定電流充電を、前記二次電池の端子電圧に関わらず、所定の補充電時間の間、継続し、
前記各充電部において用いられる前記各補充電時間を、前記通電電気量設定部によって推定された内部温度が上昇するほど短くなるように補正する補充電時間補正部をさらに備える請求項１１〜１３のいずれか１項に記載の電池充電システム。
【請求項２０】
前記多段定電流充電において繰り返される定電流充電のうち、最初に実行される定電流充電の継続時間を、前記各二次電池についてそれぞれ計時する計時部と、
前記各二次電池に対して前記最初に実行される定電流充電の継続時間と当該充電対象の二次電池を満充電にするために必要な通電電気量とを対応させて記憶する第２記憶部と、
前記第２記憶部によって、前記計時部によって計時された各二次電池についての前記最初に実行される定電流充電の継続時間と対応付けて記憶されている通電電気量を、前記多段定電流充電において前記各二次電池に供給するべき通電電気量の目標値である目標通電電気量として取得する目標通電電気量取得部と、
前記多段定電流充電が開始されてから前記最後に実行される定電流充電が開始される前までに、前記各充電部によって各二次電池へ供給された通電電気量をそれぞれ検出する通電電気量検出部と、
前記目標通電電気量取得部によって取得された目標通電電気量と前記通電電気量検出部によって検出された通電電気量との差を、前記最後に実行される定電流充電における設定電流値で除算することにより、前記補充電時間を算出する補充電時間算出部とをさらに備える請求項１６〜１９のいずれか１項に記載の電池充電システム。
【請求項２１】
互いに対向配置された板状の正極と負極との間に、電解液を含浸するセパレータが配設された電池である制御弁式鉛蓄電池を用いた二次電池が複数並列接続された組電池の充電方法であって、
前記各二次電池に対応して設けられた複数の充電部によって、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させることにより、多段定電流充電を実行する充電工程を含む組電池の充電方法。
【請求項２２】
前記多段定電流充電の実行開始前における予め設定された設定期間において、前記各二次電池の温度をそれぞれ測定する温度測定工程と、
前記温度測定工程によって測定された各温度に基づいて、前記各充電部が前記複数回の定電流充電によって対応する二次電池へ供給する電気量である総通電電気量をそれぞれ設定する通電電気量設定工程とをさらに含む請求項２１記載の組電池の充電方法。
【請求項２３】
前記複数の二次電池に関する温度を測定する温度測定工程と、
前記各二次電池が曝される温度と前記温度測定工程によって測定される温度との関係を示す温度情報を、予め記憶する温度情報記憶工程と、
前記温度情報記憶工程において記憶された温度情報と前記温度測定工程において測定された温度とに基づいて、前記各充電部が前記複数回の定電流充電によって対応する二次電池へ供給する電気量である総通電電気量をそれぞれ設定する通電電気量設定工程とをさらに含む請求項２１記載の組電池の充電方法。
【請求項２４】
前記充電工程における多段定電流充電において繰り返される定電流充電のうち、最後に実行される定電流充電を、前記二次電池の端子電圧に関わらず、所定の補充電時間の間、継続する補充電工程をさらに含む請求項２１〜２３のいずれか１項に記載の組電池の充電方法。
【発明の詳細な説明】
【技術分野】
【０００１】
本発明は制御弁式鉛蓄電池からなる組電池の充電方法、及びこのような組電池を充電する電池充電システムに関する。
【背景技術】
【０００２】
二酸化炭素の排出や石油資源の枯渇を抑制する気運が高まる中、鉛蓄電池などの二次電池のみを動力源とする小型車両の開発が嘱望されている。中でも鉛蓄電池は、タフユースに強く適度な重量を有しているため、例えば運搬車両の動力源として有用と考えられる。【０００３】
鉛蓄電池は過充電の際に電解液（硫酸）における水分が電気分解する。この現象を踏まえ、水の電気分解によって失われる水を補充することを許容する液式鉛蓄電池と、電気分解した酸素ガスを再び水として戻すことで水の補充を不要とした制御弁式鉛蓄電池とがある。これまでフォークリフトなどの運搬車両の動力源としては、水の補充は必要だがタフユースに適した液式鉛蓄電池を用いるのが一般的であった。【０００４】
複数個の液式鉛蓄電池からなる組電池の構成としては、複数個の液式鉛蓄電池を直列に接続（例えば６０個の電池を直列に接続）するか、複数個の液式鉛蓄電池を直列に接続した直列回路を並列に接続（例えば６個の電池を直列に接続した１０つの直列回路を並列に接続）することになる。【０００５】
上述した構成で充電することを考えた場合、前者の構成では高電圧仕様の充電装置で充電せざるを得ず、商用電源電圧を高圧化するなどの手間が生じる。一方、後者の構成では低電圧仕様の充電装置で充電できるので、商用電流をそのまま用いることも可能となる。そもそも液式鉛蓄電池は２時間率を超えるような高率で充電すると効率が低下するため、比較的小さな充電電流が用いられる。従って、後者の構成のように、複数の液式鉛蓄電池の直列回路を並列接続した構成において、各直列回路へ並列に充電電流を供給することが比較的容易である。【０００６】
また、液式鉛蓄電池は、部品抵抗の影響が小さく、従って後者の構成のように複数の液式鉛蓄電池の直列回路を並列接続した場合であっても、各直列回路相互間での抵抗値の差異が小さいので、各回路へ分流する充電電流値の差は無視できる程度に小さくできる。そのため、液式鉛蓄電池の場合、後者の構成を採った場合のデメリットが少なく、前者の構成よりも有利である。【０００７】
一方、部品抵抗より影響の大きい反応抵抗は、電解液量に反比例するため、電解液量が液式鉛蓄電池より少なくなる制御弁式鉛蓄電池の方が、反応抵抗が大きくなりやすい。そのため、内部抵抗（部品抵抗＋反応抵抗）は制御弁式の方がバラツキやすい。そのため、制御弁式鉛蓄電池は、液式鉛蓄電池と比べて並列での充電に適さない。【０００８】
したがって、液式鉛蓄電池では、複数の液式鉛蓄電池の直列回路を並列接続して各液式鉛蓄電池を並列に充電することで、良好な充電が可能である。そのため、液式鉛蓄電池からなる直列回路を並列接続した組電池の充電方法として、各々の直列回路を並列にした状態でそれぞれに充電装置を接続し、各直列回路の充電を個別に制御して充電するような方法（例えば特許文献１）は、煩雑な上に、かえってそれぞれの充電装置の定格電流範囲内での誤差によって直列回路ごとに充電容量がばらつく虞があるため、忌避されてきた。
【先行技術文献】
【特許文献】
【０００９】
【特許文献１】特開昭５５−０５３１４０号公報
【発明の概要】
【００１０】
ところが近年、２４時間稼動の工場でフォークリフトなどの運搬車両を連続使用する機会が増すにつれ、水の補充が不要な制御弁式鉛蓄電池が動力源として嘱望されるようになった。これに応えるべく、複数個の制御弁式鉛蓄電池を直列に接続した直列回路を並列に接続した組電池を構成したところ、充電を繰返すことにより著しい容量低下が見られることがわかった。
【００１１】
本発明の目的は、制御弁式鉛蓄電池を用いた組電池を、繰り返し充電した際の容量低下を低減することができる組電池の充電方法、及び電池充電システムを提案することである。
【００１２】
本発明の一局面に従う電池充電システムは、互いに対向配置された板状の正極と負極との間に、電解液を含浸するセパレータが配設された電池である制御弁式鉛蓄電池を用いた二次電池が複数並列接続された組電池と、前記各二次電池に対応して設けられ、対応する二次電池をそれぞれ充電する複数の充電部とを備え、前記各充電部は、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させる多段定電流充電を実行する。
【００１３】
また、本発明の一局面に従う組電池の充電方法は、互いに対向配置された板状の正極と負極との間に、電解液を含浸するセパレータが配設された電池である制御弁式鉛蓄電池を用いた二次電池が複数並列接続された組電池の充電方法であって、前記各二次電池に対応して設けられた複数の充電部によって、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させることにより、多段定電流充電を実行する充電工程を含む。
【００１４】
この構成によれば、制御弁式鉛蓄電池を用いた二次電池が複数並列接続された組電池を多段定電流充電する際に、各二次電池は、端子電圧が所定の充電終止電圧になるまで所定の設定電流値の電流を供給する定電流充電が、充電電流値を都度減少させつつ複数回繰り返される。そうすると、充電電流値が大きい初期の定電流充電においては、成層化が進んでいる（成層化が重篤な）二次電池の方が、成層化が進んでいない（成層化が軽度な）二次電池よりも端子電圧の上昇が早いため、短時間で定電流充電が終了する。
【００１５】
そして、大きな電流値で充電する初期の定電流充電が短時間で終了すると、多段定電流充電初期の定電流充電によって成層化が重篤な二次電池の充電される電気量は、成層化が軽度な二次電池より少なくなるため、成層化が重篤な二次電池では、その不足分が多段定電流充電末期の充電電流値が小さい定電流充電によって充電されることとなる。そうすると、成層化が重篤な二次電池は、成層化が軽度な二次電池よりも少ない電流値で充電される期間が長くなるから、多段定電流充電による充電時間全体が、成層化が軽度な二次電池よりも長くなる。従って、成層化が重篤なものは充電時間が長くなり、成層化が軽度なものは充電時間が短くなる。
【００１６】
ここで、成層化は、充電時間が長いほど解消されるので、並列接続された複数の二次電池相互間において、成層化の程度にバラツキがあったとしても、成層化が重篤なものの方が、成層化が軽度なものよりも充電時間が長くなって成層化がより多く解消される結果、成層化の程度のバラツキが低減される。そして、各二次電池間の、成層化のバラツキが低減されることによって、最も成層化が重篤な制御弁式鉛蓄電池におけるその成層化の程度が軽減される結果、成層化に起因して電池容量が減少するおそれが低減される。そうすると、組電池全体の電池容量が減少するおそれも低減される。
【図面の簡単な説明】
【００１７】
【図１】本発明に係る組電池の充電方法が適用された電池充電システムの第１実施形態を表すブロック図である。
【図２】図１に示す充電装置の構成の一例を示すブロック図である。
【図３】図１に示す制御弁式鉛蓄電池の一例を示す構成図である。
【図４】図３に示す正極板、及び負極板の一例を示す構造図である。
【図５】図１に示す充電装置の動作の一例を示すフローチャートである。
【図６】ｎ段定電流充電における二次電池ごとの充電挙動を表す模式図であって、図６Ａは成層化の度合が軽度な二次電池の挙動を、図６Ｂは成層化の度合が重篤な二次電池の挙動を示すものである。
【図７】制御弁式鉛蓄電池における正極および負極の高さと充電受け入れ性との相関を示す図である。
【図８】本発明の第３実施形態に係る電池充電システムの一例を示すブロック図である。
【図９】図８に示す充電装置の構成の一例を示すブロック図である。
【図１０】図８に示す処理部による熱履歴値の算出動作の一例を示すフローチャートである。
【図１１】図８に示す処理部による熱履歴値の算出動作の一例を示すフローチャートである。
【図１２】図９に示す充電装置の動作の一例を示すフローチャートである。
【図１３】図９に示す充電装置の動作の一例を示すフローチャートである。
【図１４】図８に示す充電装置による充電に伴う二次電池の端子電圧Ｖと、充電電流Ｉの変化の一例を示す説明図である。
【図１５】図８に示す充電装置による充電に伴う二次電池の端子電圧Ｖと、充電電流Ｉの変化の一例を示す説明図である。
【図１６】ｎ段定電流充電における二次電池ごとの充電挙動を表す模式図であって、（ａ）は成層化の度合が重篤な二次電池の挙動を、（ｂ）は成層化の度合が軽微な二次電池の挙動を示すものである。
【図１７】本発明の第４実施形態に係る電池充電システムの一例を示すブロック図である。
【図１８】図１７に示す充電装置の構成の一例を示すブロック図である。
【図１９】各二次電池の配設状態の一例を示す説明図である。
【図２０】記憶部に記憶されている温度情報の一例について説明するための説明図である。
【図２１】処理部によって、各二次電池に対応して設定される充電終止電圧の一例を示す説明図である。
【図２２】各二次電池の配設状態の他の一例を示す説明図である。
【図２３】記憶部に記憶されている温度情報の一例について説明するための説明図である。
【図２４】処理部によって、各二次電池に対応して設定される充電終止電圧の一例を示す説明図である。
【図２５】図１７に示す処理部の動作の一例を示すフローチャートである。
【図２６】図１８に示す充電装置の動作の一例を示すフローチャートである。
【図２７】図１８に示す充電装置の動作の一例を示すフローチャートである。
【図２８】図１８に示す充電装置による充電に伴う二次電池の端子電圧Ｖと、充電電流Ｉの変化の一例を示す説明図である。
【図２９】図１８に示す充電装置による充電に伴う二次電池の端子電圧Ｖと、充電電流Ｉの変化の一例を示す説明図である。
【発明を実施するための形態】
【００１８】
以下に、本発明を実施するための最良の形態について、図を用いて説明する。なお、各図において同一の符号を付した構成は、同一の構成であることを示し、その説明を省略する。
【００１９】
ところで、鉛蓄電池の充電反応は、正極および負極の放電生成物である硫酸鉛を二酸化鉛または海綿状鉛に戻す反応であり、その際に、硫酸を生成する。生成された硫酸は、一時的に活物質の周辺における電解液の濃度を上昇させる。濃度の高い電解液は周りの電解液より比重が重いため、重力により電池の下部へ沈降する。
【００２０】
その結果、電池の下部で電解液の濃度が高くなり、上部で電解液の濃度が低くなる現象（以下、成層化と称する）が起こる。成層化によって硫酸の濃度が高くなった電解液の中では、一般にサルフェーションと呼ばれる硫酸鉛の結晶の粗大化と硫酸鉛結晶の蓄積が起こり、活物質の充電受入性が低下する。この現象を把握せずに無作為な充電を繰返すと、電池容量が急激に低下して短寿命となる。
【００２１】
発明者らが鋭意検討した結果、上述した成層化は、制御弁式鉛蓄電池の置かれる環境温度に相応して度合が変化することを知見した。具体的には、環境温度が低い場合、成層化は以下のように推測される理由によって顕著化しやすくなる。
【００２２】
すなわち、充電末期に正極から発生した酸素ガスは、正極活物質の孔の中に含まれる電解液と置換されることによって、この電解液を外側（セパレータ側）へと押し出すとともに、正極の表面から離脱した酸素ガスの気泡の一部は、電解液を含浸したセパレータ内を上昇して電解液を攪拌し、電解液の成層化を解消するものと考えられる。制御弁式鉛蓄電池は液式鉛蓄電池と比べて成層化の発生量は少ないものの、酸素ガスによって攪拌される電解液の量も少ないために上述した成層化の解消の効果も得られにくい。
【００２３】
加えて環境温度が低い（例えば１０℃未満）場合、環境温度が高い（例えば４０℃超過）場合と比較して充電末期における正極での酸素ガス発生量はさらに少なく、前記した成層化の解消作用が十分に得られなくなる。組電池に用いられる数が多くかつ短時間での充電を要求される制御弁式鉛蓄電池において、液式鉛蓄電池と比べて成層化は僅かであっても、組電池全体に与える影響は大きい。
【００２４】
また、液式鉛蓄電池に比べて、制御弁式鉛蓄電池の方が、環境温度が電池の劣化に与える影響が大きいことがわかった。１つは、温度に関わらず同じ充電終止電圧条件で充電すれば、高温になるほど充電終止電圧に到達するまでの時間が長くなり、すなわち充電電気量が多くなり、過充電が進んで水の電気分解が多量に起ることで電解液が高濃度になる。電解液が高濃度になると、正極格子の腐食が促進され、短寿命となる。制御弁式鉛蓄電池では、液式鉛蓄電池のように、補水と充電により電解液濃度を均等にする、ということができない。
【００２５】
そのため、複数の制御弁式鉛蓄電池を用いた組電池では、各制御弁式鉛蓄電池の温度にバラツキが生じると、各制御弁式鉛蓄電池における成層化の程度にもバラツキが生じる。そして、成層化の程度がバラついたまま各制御弁式鉛蓄電池を同じように充放電させると、成層化が進んだ制御弁式鉛蓄電池においてサルフェーションが起こり、活物質の充電受入性が低下し、その制御弁式鉛蓄電池の電池容量が減少する。そうすると、組電池全体の電池容量も減少する。
【００２６】
特に、制御弁式鉛蓄電池が複数直列接続されている場合には、その直列回路に含まれる制御弁式鉛蓄電池のうち最も電池容量が減少した制御弁式鉛蓄電池によって、直列回路全体の充放電可能な電気量が制限されてしまうので、成層化のバラツキにより生じる電池容量の減少が、さらに顕著となる。
【００２７】
本発明はこれらの知見に基づいてなされたものであって、複数個の制御弁式鉛蓄電池（二次電池）を並列に接続して負荷に接続する組電池、特に複数個の制御弁式鉛蓄電池を直列に接続した直列回路（二次電池）を並列に接続して負荷に接続する組電池において、下記の構成を採用することで、以下に示す効果が得られるようになる。
【００２８】
第１に、各々の二次電池（二次電池）にそれぞれ充電装置を接続することで、環境温度が異なるそれぞれの二次電池に合わせて充電できるようになる。前述したように、各々の二次電池にそれぞれ充電装置を接続すれば、それぞれの充電装置の定格電流範囲内での誤差によって二次電池ごとに充電電気量がばらつく虞がある。しかしながら、液式鉛蓄電池の場合とは異なり、制御弁式鉛蓄電池からなる二次電池では、環境温度が異なる（すなわち成層化の度合が異なる）状況で並列に接続して１つの充電装置で充電する方が、充電装置の精度バラツキよりも、充電電気量のばらつきは大きくなる。
【００２９】
第２に、充電装置のそれぞれが各々の二次電池の充電電圧を検出してｎ段（多段）定電流充電を行うことで、以下に挙げる効果が得られる。
【００３０】
まず、成層化によって電解液である硫酸の濃度は電池の下部ほど高くなるものの、正極および負極のタブ（集電部）は電池の上部に設けられているので充電反応（放電生成物である硫酸鉛から硫酸成分が電解液に戻る反応）は電池の上部ほど進行しやすく（電池の上部ほど硫酸が電解液に戻されやすく）なる。成層化を着実に解消するためには時間を掛けて徐々に電池の上部から硫酸を電解液に戻す方が好ましいが、充電時間を短縮するためには公知のｎ段定電流充電（二次電池の充電電圧が所定の制御電圧に上昇して到達した時点で、段階的に電流値を小さくしていく充電）を適用することが好ましい。
【００３１】
ところが充電装置のそれぞれが各々の二次電池の充電電圧を検出してｎ段定電流充電を行うことで、成層化が著しい二次電池ほど充電所要時間が延びることになる。すなわち成層化が著しい二次電池は他の二次電池と比較して内部抵抗が高くなるため、充電開始直後の１段目の充電（最も電流値が大きい）において充電電圧が制御値に早く到達する一方、充電電流が徐々に小さくなる２段目以降の充電電気量が多くなり、結果として他の二次電池と比較して充電所要時間が延びる。
【００３２】
このように成層化が起こりやすい二次電池では充電所要時間に比例して成層化が着実に解消されるのだが、成層化が起こりにくい二次電池では充電所要時間が短いために成層化が十分に解消されない。この差によって結果的に各二次電池相互間の成層化の度合が揃うようになり、二次電池ごとの充電電気量の差に起因する不具合（過放電および次の充電における充電容量ばらつき）が軽減される。この第２の効果は、成層化が著しい制御弁式鉛蓄電池に対して、本発明に係る充電方法を適用した場合に特有の効果と考えられる。
【００３３】
以下、本発明に係る具体的な実施形態について、説明する。
【００３４】
（第１実施形態）
本発明の第１実施形態に係る組電池の充電方法、及び電池充電システムは、例えば複数個の制御弁式鉛蓄電池を直列に接続した直列回路（二次電池）を並列に接続して負荷に接続する組電池の充電方法を用いる。この充電方法は、各々の直列回路にそれぞれ充電装置を接続し、充電装置のそれぞれが各々の直列回路の充電電圧を検出して、電流値をｎ−１（但しｎは２以上の整数）回変化させて定電流充電を複数回繰り返すｎ段定電流充電を行う。
【００３５】
図１は本発明に係る組電池の充電方法が適用された電池充電システムの第１実施形態を表すブロック図である。図１に示す電池充電システム１００は、二次電池１ａ，１ｂと、充電装置（充電部）２ａ，２ｂと、ダイオード３ａ，３ｂ，４ａ，４ｂとを備えている。二次電池１ａ，１ｂは、それぞれ複数の制御弁式鉛蓄電池Ｂが直列接続されて構成されている。そして、電池充電システム１００の外部に負荷５が接続されるようになっている。
【００３６】
複数の制御弁式鉛蓄電池からなる二次電池１ａは、同様の構成からなる二次電池１ｂと並列に接続され、組電池を構成している。二次電池１ａと１ｂとにはそれぞれ、個別に充電装置２ａと２ｂとが接続されている。放電の際にはダイオード３ａおよび３ｂを介して二次電池１ａおよび１ｂから電流が負荷５に供給される。充電の際にはダイオード３ａおよび３ｂが閉じる一方でダイオード４ａおよび４ｂを介して充電装置２ａおよび２ｂから電流が二次電池１ａおよび１ｂに供給される。
【００３７】
図２は、図１に示す充電装置２ａ，２ｂの構成の一例を示すブロック図である。図２に示す充電装置２ａ，２ｂは、例えばアナログデジタルコンバータ等を用いて構成され、二次電池１ａ，１ｂの端子電圧を検出する電圧検出部２２と、二次電池１ａ，１ｂを充電するための充電電流を出力する定電流回路２３と、制御部２１とを備えて構成されている。定電流回路２３は、例えばスイッチング電源回路等によって構成されている。
【００３８】
制御部２１は、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、その周辺回路等とを備えて構成されている。そして、制御部２１は、例えばＲＯＭに記憶された制御プログラムを実行することにより、充電制御部２１１として機能する。
【００３９】
充電制御部２１１は、電圧検出部２２によって検出された二次電池１ａ，１ｂの端子電圧Ｖに応じて、定電流回路２３の出力電流値を制御する。
【００４０】
なお、並列接続されている二次電池の数や、これに対応する充電装置の数は、複数であればよく、２個に限らない。また、二次電池１ａ，１ｂは、複数の制御弁式鉛蓄電池Ｂが直列接続されたものに限られず、それぞれ１個の制御弁式鉛蓄電池Ｂから構成されていてもよい。以下、二次電池の数、及び充電装置の数が２個である場合を例に、説明する。
【００４１】
図３は、図１に示す制御弁式鉛蓄電池Ｂの一例を示す構成図であり、ポリプロピレン樹脂よりなる電槽Ｂ１には複数のセルＢ２が同一方向に連接されて構成されている。各セルＢ２には、正極板Ｂ３、負極板Ｂ４がガラス繊維を主体とするセパレータＢ５を介して積層されている。そして、同極性の極板同士がストラップＢ６によって一体化された極板群Ｂ７が電槽Ｂ１に収納されている。
【００４２】
この極板群Ｂ７は、隔壁Ｂ８を介して接続体Ｂ９により隣接セルの極板群と接続されている。さらに、電槽Ｂ１の上部には各セルからの排気構造Ｂ１０を有した蓋Ｂ１１が溶着一体化されて、制御弁式鉛蓄電池Ｂが構成されている。また、セパレータＢ５には、電解液が含浸されている。
【００４３】
図４は、図３に示す正極板Ｂ３、及び負極板Ｂ４の一例を示す構造図である。正極板Ｂ３、及び負極板Ｂ４は、格子状の中骨Ｂ３１の上側の一端に、上枠骨Ｂ３２が設けられ、中骨Ｂ３１の下側の一端に、下枠骨Ｂ３３が設けられ、上枠骨Ｂ３２には集電耳部Ｂ３４が連接され、さらに中骨Ｂ３１（及び上枠骨Ｂ３２、下枠骨Ｂ３３の一部）には活物質Ｂ３５が充填（塗布）されて、正極板Ｂ３、及び負極板Ｂ４の一部（大部分）が活物質Ｂ３５で覆われている。
【００４４】
この場合、上枠骨Ｂ３２及び下枠骨Ｂ３３が上下方向となるように正極板Ｂ３、及び負極板Ｂ４を配置すると、図４に示す長さＬが、活物質Ｂ３５で覆われた部分の重力方向の長さとなる。正極板Ｂ３、及び負極板Ｂ４は、長さＬが、例えば１００ｍｍ以上、２００ｍｍ以下にされている。
【００４５】
図５は、図１に示す充電装置２ａの動作の一例、すなわち組電池の充電方法に係る多段（ｎ段）定電流充電の一例を示すフローチャートである。なお、充電装置２ｂは、充電装置２ａと並行して同様に動作するので、その説明を省略する。充電装置２ａ，２ｂは、それぞれが備える充電制御部２１１による制御動作によって、以下の多段定電流充電を実行する。
【００４６】
まず、複数回（ｎ回）の定電流充電で用いられる充電電流値Ｉｃ１〜Ｉｃｎが、例えば充電装置２ａ，２ｂにおける制御部２１のＲＯＭに、予め記憶されている。充電電流Ｉは、１段目の定電流充電が最も電流値（Ｉｃ１）が大きく、２段目の定電流充電において電流値（Ｉｃ２）は電流値（Ｉｃ１）よりも小さくなり、最終のｎ段目の定電流充電が最も電流値（Ｉｃｎ）が小さい。
【００４７】
まず、ステップＳ０１において、充電装置２ａによって、充電電流Ｉが充電電流値Ｉｃ１に設定されて、１段目の定電流充電Ｃ１が開始され、二次電池１ａが充電される。ステップＳ０２において、充電装置２ａに接続された二次電池１ａの電圧Ｖが１段目の充電終止電圧Ｖｅ１以上であるか否かが判断され、ＶがＶｅ１未満であれば（ステップＳ０２でＮＯ）１段目の定電流充電Ｃ１が継続され、Ｖｅ１以上であれば（ステップＳ０２でＹＥＳ）１段目の定電流充電Ｃ１を終止する。
【００４８】
次いでステップＳ０３において、充電装置２ａによって、充電電流Ｉが充電電流値Ｉｃ２に設定されて、２段目の定電流充電Ｃ２が開始される。ステップＳ０４において、接続された二次電池１ａの電圧Ｖが２段目の充電終止電圧Ｖｅ２以上であるか否かが判断され、電圧ＶがＶｅ２未満であれば（ステップＳ０４でＮＯ）２段目の定電流充電Ｃ２が継続され、Ｖｅ２以上であれば（ステップＳ０４でＹＥＳ）２段目の定電流充電Ｃ２を終止する。
【００４９】
このようなステップを繰返した後、ステップＳ０５において、ｎ段目の定電流充電Ｃｎが開始される。ステップＳ０６において、接続された二次電池１ａの電圧Ｖがｎ段目の充電終止電圧Ｖｅｎ以上であるか否かが判断され、電圧ＶがＶｅｎ未満であれば（ステップＳ０６でＮＯ）ｎ段目の定電流充電Ｃｎが継続され、Ｖｅｎ以上であれば（ステップＳ０６でＹＥＳ）ステップＳ０７に移行して充電を終止する。
【００５０】
本発明においては、それぞれの直列回路に接続された充電装置が、個々に上述したｎ段定電流充電を行うことになる。例えば、充電装置２ｂは、二次電池１ｂに対して上述のステップＳ０１〜Ｓ０７と同様の多段定電流充電を実行する。これによる効果は後ほど詳述する。なお同じ段目の充電終止電圧は直列回路ごとに異ならない方が好ましいが、各段目の充電終止電圧Ｖｅ１、Ｖｅ２およびＶｅｎは同じ値であっても異なる値であっても良い。
【００５１】
例えば、各段目の充電終止電圧Ｖｅ１、Ｖｅ２およびＶｅｎを、二次電池１ａ，１ｂの満充電電圧に設定しておけば、二次電池１ａ，１ｂを満充電することができる。以下、充電終止電圧Ｖｅ１〜Ｖｅｎを総称して充電終止電圧Ｖｅと称する。
【００５２】
ここで、鉛蓄電池は、ＳＯＣ（State Of Charge）が増大するほど充電電流が流れることによる劣化が生じやすくなる性質がある。そのため、ＳＯＣが０％に近い状態から満充電に近い状態まで同じ電流値で定電流充電を行おうとすると、満充電に近い充電末期においても鉛蓄電池を劣化させないような小さな電流値で定電流充電を行う必要がある。
【００５３】
しかしながら、図１に示す充電装置２ａ，２ｂのように、段階的に充電電流値を減少させながら多段定電流充電を行うことで、充電初期のＳＯＣが小さいときは、充電末期のＳＯＣが大きいときよりも充電電流値を増大させることができる結果、充電時間を短縮することができる。
【００５４】
図６はｎ段定電流充電における二次電池ごとの充電挙動を表す模式図であって、図６Ａは成層化の度合が軽度な二次電池の挙動を、図６Ｂは成層化の度合が重篤な二次電池の挙動を示すものである。なお図６Ａ、図６Ｂにおける縦軸は充電電流（Ｉ）を示し、横軸は充電所要時間（ｔ）を示す。
【００５５】
成層化の度合が軽度な二次電池は内部抵抗が比較的小さいため、内部抵抗に充電電流が流れることで生じる電圧が小さい。その結果、図６Ａに示すように、大きな充電電流で充電する１段目の定電流充電Ｃ１において、制御値（図５のステップＳ０２におけるＶｅ１）に達するまでの所要時間（Ｃ１）が比較的長い。このように充電電流値が大きな値に設定された１段目の定電流充電Ｃ１にて十分に（長時間）充電された二次電池では、その後の２段目からｎ段目までの定電流充電Ｃ２〜Ｃｎにおける制御値（図５のステップＳ０４におけるＶｅ２、・・・およびステップＳ０６におけるＶｅｎ）に達するまでの所要時間（定電流充電Ｃ２〜Ｃｎの期間）が比較的短くなり、結果的に充電所要時間（Ｃ１＋Ｃ２＋・・・・＋Ｃｎ−１＋Ｃｎ）は、成層化の度合が軽度な二次電池の方が、成層化の度合が重篤な二次電池よりも短くなる。
【００５６】
成層化の度合が重篤な二次電池は内部抵抗が比較的大きいため、内部抵抗に充電電流が流れることで生じる電圧が大きい。その結果、図６Ｂに示すように、大きな充電電流で充電する１段目の定電流充電Ｃ１において、二次電池の端子電圧Ｖが制御値に達するまでの所要時間（Ｃ１）が比較的短い。このように１段目にて十分に充電されなかった二次電池では、電流値が小さくなるにつれて内部抵抗の影響が低下するため、２段目からｎ段目までの定電流充電Ｃ２〜Ｃｎにおける制御値に達するまでの所要時間（定電流充電Ｃ２〜Ｃｎの期間）が比較的長くなり、結果的に充電所要時間（Ｃ１＋Ｃ２＋・・・・＋Ｃｎ−１＋Ｃｎ）は、成層化の度合が重篤な二次電池の方が、成層化の度合が軽度な二次電池よりも長くなる。
【００５７】
例えば、制御弁式鉛蓄電池からなる二次電池１ａに比べて二次電池１ｂが外気に晒されやすい箇所に配置された形で、図１に示す電池充電システム１００が寒冷地において運搬車両の動力源として用いることを想定した場合、二次電池１ｂの方が低温になるから成層化は重篤になる。すなわち二次電池１ａに対する多段定電流充電の実行経過が図６Ａに該当し、二次電池１ｂに対する多段定電流充電の実行経過が図６Ｂに該当するようになり、成層化が軽度な二次電池１ａの方が、成層化が重篤な二次電池１ｂと比較して充電所要時間は短くなる。
【００５８】
成層化を着実に解消するためには、時間を掛けて徐々に電池の上部から硫酸を電解液に戻す方が好ましい。すなわち成層化の解消度合は充電所要時間に比例するのだが、上述したように、電池充電システム１００によれば、成層化が軽度な二次電池１ａの方が、成層化が重篤な二次電池１ｂよりも充電時間が短くなるから、成層化が軽度な二次電池１ａの方が、成層化が重篤な二次電池１ｂよりも成層化の解消作用が小さく、従って成層化の解消が不十分になるのに対して、成層化が重篤な二次電池１ｂの方が、成層化の解消作用が大きくなる。
【００５９】
しかしこのことによって、バラついていた各二次電池間の成層化の度合が揃うようになり、結果的に二次電池ごとの充電電気量の差に起因する不具合、例えば成層化が重篤で充電が不十分な二次電池における過放電や、充放電サイクルを重ねるほど拡がる二次電池ごとの充電電気量ばらつき（特定の二次電池の酷使につながる）などが軽減される。この第２の効果は、成層化が著しい制御弁式鉛蓄電池特有の効果と考えられる。
【００６０】
そして、このようにして各二次電池間の、成層化のバラツキが低減されることによって、最も成層化が進んだ制御弁式鉛蓄電池であってもその成層化の程度が軽減される結果、サルフェーションにより電池容量が減少するおそれが低減される。そうすると、組電池全体の電池容量が減少するおそれも低減される。
【００６１】
なお、多段定電流充電においては、充電電流を減少させる段数を増加させるほど、ＳＯＣに応じて鉛蓄電池を劣化させない最大限度に近い充電電流を、各段の定電流充電において設定することが可能になるから、段数を増加させるほど、充電時間が短くなる。しかしながら、充電時間が短くなると、制御弁式鉛蓄電池における成層化解消の効果が減少してしまう。従って、成層化解消の効果と充電時間短縮効果とのバランスによって、適宜充電電流を減少させる段数（複数回数）を設定することが望ましい。
【００６２】
（第２実施形態）
本発明の第２実施形態に係る組電池の充電方法、及び電池充電システムは、最後に実行する定電流充電Ｃｎの終了条件を、二次電池の端子電圧Ｖに関わらず、所定の補充電時間ｔｎの間、継続するものである。
【００６３】
電流値をｎ回変化させるｎ段定電流充電においては、最後のｎ段目の充電における第ｎ定電流は非常に小さい値で設定することが多いので、二次電池の電圧Ｖの時間に対する変化が微小となる。そのため、充電終止電圧Ｖｅｎ付近でノイズの影響を受け易く、電圧による充電終止条件の判定（図５のステップＳ０６における充電終止電圧Ｖｅｎと電圧Ｖとの比較による充電終了条件の判定）において、誤判定が生じやすい。そこで、最後に実行する定電流充電Ｃｎを、二次電池の端子電圧Ｖに関わらず、所定の補充電時間ｔｎの間、継続した後に終了することで、微妙な判定が要求される充電終止電圧Ｖｅｎと電圧Ｖとの比較を実行する必要が無くなり、僅かな電圧の変化で左右されることなく、比較的精度よく充電終了条件を判定することができる結果、充電終了条件を誤判定してしまうおそれが低減される。
【００６４】
なお、定電流充電Ｃ１で要した充電時間や二次電池１ａ，１ｂの温度に応じて補充電時間ｔｎを設定する変形例が考えられるが、このような変形例については、後述する他の実施形態において説明する。
【００６５】
次に、制御弁式鉛蓄電池における正極および負極の高さを１００ｍｍ以上としたことの効果について説明する。なお、本明細書において、正極および負極の高さは、極板の一要素である集電体において、活物質が充填された部分の高さ、すなわち極板の活物質で覆われた部分の重力方向の長さを意味し、集電耳部およびこれに連設された上枠骨、および下枠骨等、活物質が充填されていない部分の高さ寸法は含まれない。但し、活物質の充填厚みを集電体厚みよりも大とし、上枠骨や下枠骨の一部あるいはすべてに活物質が充填されている場合はその限りではない。
【００６６】
図７は、制御弁式鉛蓄電池における正極および負極の高さと充電受け入れ性との相関を示す図であり、縦軸は充電受け入れ性指標を（％）を示し、横軸は制御弁式鉛蓄電池の正極および負極の極板高さ、すなわち、本明細書においては、活物質充填部の高さ（ｍｍ）を示す。
【００６７】
なお、本明細書において、充電受け入れ性として、充電受け入れ性指標で表し、それぞれの定義は以下によるものとした。
【００６８】
まず、各種の極板高さを有する制御弁式鉛蓄電池から構成される二次電池を、各電池温度で、３時間率電流で１．７５Ｖ／セルまで連続して定電流放電して、二次電池の放電容量Ｑｄを計測する。
【００６９】
その後、各二次電池を、放電時の温度で、１段目の充電電流を０．８ＣＡとし、セル電圧が２．４Ｖ／セルとなった時点で、充電電流を、０．８ＣＡから０．６ＣＡ、０．４ＣＡ、０．２ＣＡおよび０．１ＣＡへと順次切り替えていく、５段充電を行い、この５段充電の１段目で充電された充電電気量Ｑｃ１を計測した。ここで、１ＣＡ＝１Ｉｔである。また、１Ｉｔ（電池容量（Ａｈ）／１（ｈ））は、二次電池の公称容量値を１Ｉｔの電流値で放電した場合に、１時間で二次電池の残容量がゼロとなるような電流値である。
【００７０】
そして、前記した放電容量Ｑｄに対する充電電気量Ｑｃ１の比率（Ｑｃ１／Ｑｄ）を充電受け入れ性ηとした。さらに、電池温度２５℃であって、かつ極板高さ１００ｍｍの制御弁式鉛蓄電池から構成される二次電池の充電受け入れ性ηを標準の充電受け入れ性ηｒとし、各温度、各極板高さの二次電池の充電受け入れ性ηをηｒに対する百分率として表し、これを充電受け入れ性指標（％）として図７の縦軸とした。
【００７１】
上述したように、制御弁式鉛蓄電池は液式鉛蓄電池と比べて電解液の量が少ないため、電池の下部と上部との硫酸濃度の差が緩和しにくい（ＳＯ42-の拡散が困難である）。中でも図７に示すように、正極および負極の高さが１００ｍｍ以上の制御弁式鉛蓄電池の場合、電池の下部と上部との硫酸濃度の差が特に緩和しにくくなって、成層化が顕著となり、特に低温環境での充電受け入れ性が低下する。また、電流値が大きい高率充電が困難になる。
【００７２】
しかし、電池充電システム１００によれば、このような高率充電を１段目とするようなｎ段定電流充電を想定した場合、繰り返し述べたように、低温環境に置かれた制御弁式鉛蓄電池（二次電池）の充電所要時間が高温環境に置かれた制御弁式鉛蓄電池（二次電池）の充電所要時間よりも長くなり、二次電池ごとの成層化の度合が揃うようになる。図７の結果は、正極および負極の高さが１００ｍｍ以上の制御弁式鉛蓄電池において、成層化がより顕著になる一方、極板高さが１００ｍｍに満たない制御弁式鉛蓄電池では、成層化が僅かしか生じないことを示している。
【００７３】
そうすると、極板高さが１００ｍｍに満たない制御弁式鉛蓄電池を複数組み合わせた組電池では、そもそも成層化が僅かしか生じないのに対し、極板高さが１００ｍｍ以上の制御弁式鉛蓄電池を複数組み合わせた組電池では、各制御弁式鉛蓄電池における成層化が顕著となる結果、各制御弁式鉛蓄電池間での成層化のバラツキも増大する。従って、電池充電システム１００における制御弁式鉛蓄電池Ｂとして、必ずしも極板高さが１００ｍｍ以上の制御弁式鉛蓄電池を用いる必要はないが、極板高さが１００ｍｍに満たない制御弁式鉛蓄電池を用いた場合よりも、成層化の程度のバラツキが大きい、極板高さが１００ｍｍ以上の制御弁式鉛蓄電池を用いた場合の方が、電池充電システム１００における成層化のバラツキを低減する効果（成層化度合の平準化）のメリットが大きくなる。
【００７４】
（第３実施形態）
本発明の第３実施形態に係る組電池の充電方法、及び電池充電システムは、例えば複数個の制御弁式鉛蓄電池を直列に接続した直列回路（二次電池）を並列に接続して負荷に接続する組電池の充電方法であって、各々の直列回路にそれぞれ充電装置を接続し、充電装置のそれぞれが各々の直列回路の充電電圧を検出して、電流値をｎ−１（但しｎは２以上の整数）回変化させて定電流充電を複数回繰り返すｎ段定電流充電を行うに当たり、各々の直列回路の熱履歴に基づいて、各々の直列回路における通電電気量を変化させる。
【００７５】
この構成によれば、各々の直列回路が経た熱履歴（例えば組電池がどのような地域でどのように使用され、結果的に各々の直列回路間でどの程度の環境温度差が生じるか）という予測が困難な因子を考慮して、直近の環境温度のみに頼らず各々の直列回路における通電電気量を変化させる。これにより、成層化がより重篤な（低温環境下の履歴が長い）直列回路を正確に判定し、この通電直列回路の通電電気量を大きくしてより活発に成層化解消反応（酸素ガス発生反応）を促して、直列回路間の成層化の解消度合をより揃えることが可能となる。
【００７６】
なお、充電電気量とは、二次電池（制御弁式鉛蓄電池）に実際に蓄えられた電気量を意味し、通電電気量とは、充電装置から二次電池へ供給された電気量を意味するものとする。
【００７７】
以下、第３実施形態に係る具体的な実施形態について、説明する。図８は、第３実施形態に係る電池充電システムの一例を示すブロック図である。
【００７８】
図８に示す電池充電システム１００’は、図１に示す電池充電システム１００とは、処理部６（通電電気量設定部）、温度測定部７ａ，７ｂ、及び後述する電流検出部をさらに備える点、及び充電装置２ａ’，２ｂ’の構成が異なる。その他の構成は図１に示す電池充電システム１００と同様であるのでその説明を省略し、以下本実施形態の特徴的な点について説明する。
【００７９】
温度測定部７ａ，７ｂは、例えばサーミスタや熱電対等を用いて構成された温度センサである。温度測定部７ａ，７ｂは、例えば二次電池１ａ，１ｂの近傍に配設されて、二次電池１ａ，１ｂの温度をそれぞれ検出する。なお、温度測定部７ａ，７ｂは、例えば制御弁式鉛蓄電池Ｂの電槽Ｂ１内や外壁面に配設されて直接二次電池１ａ，１ｂの温度を検出するものであってもよく、二次電池１ａ，１ｂの近傍の温度を検出することで、間接的に二次電池１ａ，１ｂの温度を検出するものであってもよい。
【００８０】
処理部６は、例えばマイクロコンピュータを用いて構成された制御回路である。処理部６は、通電電気量設定部の一例に相当している。処理部６は、温度測定部７ａ，７ｂによって測定される二次電池１ａ，１ｂの温度の、予め設定された設定期間における積算値を、熱履歴を示す熱履歴値Ｈｒとしてそれぞれ算出し、熱履歴値Ｈｒが大きい二次電池ほど多段定電流充電における総通電電気量を減少させるように、充電装置２ａ’，２ｂ’における充電終止電圧Ｖｅ１〜Ｖｅｎを設定する。
【００８１】
具体的には、処理部６は、例えばＲＯＭによって構成された記憶部６１（第１記憶部）が設けられており、記憶部６１には、熱履歴値Ｈｒ（積算値、最大値）が大きいほど、充電終止電圧Ｖｅ１〜Ｖｅｎが低下するように、熱履歴値Ｈｒと充電終止電圧Ｖｅ１〜Ｖｅｎとが対応付けられたルックアップテーブル（ＬＵＴ）である熱履歴値テーブルが予め記憶されている。
【００８２】
ここで、充電終止電圧Ｖｅ１〜Ｖｅｎが高いほど、充電装置２ａ’，２ｂ’によって実行される多段定電流充電において二次電池１ａ，１ｂへ供給される総通電電気量が増大するので、充電終止電圧Ｖｅ１〜Ｖｅｎは、総通電電気量を示す情報となる。また、熱履歴値Ｈｒは、温度測定部７ａ，７ｂによって検出された温度から算出されており、各温度に関する情報に相当している。
【００８３】
処理部６は、熱履歴値テーブルを参照し、熱履歴値Ｈｒが大きいほど、充電装置２ａ’，２ｂ’における充電終止電圧Ｖｅ１〜Ｖｅｎを小さな値に設定することで、熱履歴値Ｈｒが大きい二次電池ほど多段定電流充電における総通電電気量を減少させるように、その通電電気量を制御する。
【００８４】
また、上記設定期間としては、例えば、充電装置２ａ，２ｂによって、前回、多段定電流充電が実行された後、新たに多段定電流充電が開始されるまでの期間が設定されている。
【００８５】
図９は、図８に示す充電装置２ａ’，２ｂ’の構成の一例を示すブロック図である。図９に示す充電装置２ａ’，２ｂ’は、図２に示す充電装置２ａ，２ｂとは、制御部２１’の構成が異なる。制御部２１’は、計時部２１２、目標通電電気量取得部２１３、通電電気量検出部２１４、補充電時間算出部２１５、補充電時間補正部２１６、及び記憶部２１７（第２記憶部）をさらに備える点で、図２に示す制御部２１と異なる。
【００８６】
なお、計時部２１２、目標通電電気量取得部２１３、通電電気量検出部２１４、補充電時間算出部２１５、補充電時間補正部２１６、及び記憶部２１７が、充電装置２ａ’，２ｂ’にそれぞれ設けられる例を示したが、これら各部が例えば処理部６に設けられて、補充電時間算出部２１５や補充電時間補正部２１６によって得られた各二次電池に対応する補充電時間ｔｎを、処理部６から充電装置２ａ’，２ｂ’における制御部２１’へ送信する構成としてもよい。
【００８７】
また、充電制御部２１１’は、処理部６によって設定された充電終止電圧Ｖｅ１〜Ｖｅｎに基づいて、多段定電流充電を実行する点、及び最後の定電流充電Ｃｎを、補充電時間算出部２１５によって算出され、あるいはさらに補充電時間補正部２１６によって補正された補充電時間の間、二次電池の端子電圧Ｖに関わらず継続する点で、図２に示す充電制御部２１１とは異なる。
【００８８】
計時部２１２は、例えばタイマ回路を用いて構成されており、多段定電流充電において繰り返される定電流充電のうち、最初に実行される定電流充電Ｃ１の継続時間ｔｃ１を計時する。
【００８９】
記憶部２１７は、例えばＲＯＭを用いて構成されており、継続時間ｔｃ１と二次電池１ａ，１ｂを満充電にするために必要な通電電気量である通電電気量Ｑｆとを対応付けるルックアップテーブル（ＬＵＴ）である通電電気量テーブルが、予め記憶されている。すなわち、最初の定電流充電Ｃ１の実行を開始した際の二次電池１ａ，１ｂのＳＯＣが小さいほど、定電流充電Ｃ１の継続時間ｔｃ１は長くなるから、二次電池１ａ，１ｂのＳＯＣと継続時間ｔｃ１との間には相関関係がある。また、二次電池１ａ，１ｂのＳＯＣが小さいほど通電電気量Ｑｆは大きくなるから、継続時間ｔｃ１と通電電気量Ｑｆとの間にも相関関係がある。そこで、例えば実験的に継続時間ｔｃ１と通電電気量Ｑｆとの対応関係を測定し、予め通電電気量テーブルとして記憶部２１７に記憶されている。
【００９０】
また、記憶部２１７には、熱履歴値Ｈｒと充電効率係数Ｋｃとを対応付けるルックアップテーブル（ＬＵＴ）である充電効率係数テーブルが、予め記憶されている。充電効率係数Ｋｃは、充電装置２ａ’，２ｂ’から二次電池１ａ，１ｂへ供給された通電電気量Ｑｃに対する、二次電池１ａ，１ｂに実際に充電された充電電気量Ｑｒの比（Ｑｒ／Ｑｃ）である充電効率の、逆数（Ｑｃ／Ｑｒ）である。
【００９１】
制御弁式鉛蓄電池Ｂは、温度が高くなるほど成層化が生じにくく、充電効率が向上する性質がある。従って、熱履歴値Ｈｒが大きくなるほど充電効率が向上し、充電効率係数Ｋｃが小さくなる。このような、熱履歴値Ｈｒと充電効率係数Ｋｃとの対応関係が、例えば予め実験的に求められて充電効率係数テーブルとして、記憶部２１７に記憶されている。
【００９２】
そして、制御部２１’は、例えばＲＯＭに記憶された制御プログラムを実行することにより、目標通電電気量取得部２１３、通電電気量検出部２１４、補充電時間算出部２１５、及び補充電時間補正部２１６として機能する。
【００９３】
なお、図８においては図示を省略したが、二次電池１ａとダイオード３ａの間には、電流検出部８ａが接続され、二次電池１ｂとダイオード３ｂの間には、電流検出部８ｂが接続されている。
【００９４】
電流検出部８ａ，８ｂは、例えば電流検出用のシャント抵抗やホール素子等の電流検出素子や、アナログデジタルコンバータ等を用いて構成されている。そして、電流検出部８ａ，８ｂは、二次電池１ａ，１ｂに流れる電流を検出してその電流値を示す信号を、制御部２１’へ出力する。
【００９５】
目標通電電気量取得部２１３は、記憶部２１７を参照し、計時部２１２によって計時された継続時間ｔｃ１と対応付けて記憶されている通電電気量を、多段定電流充電において二次電池１ａ，１ｂに供給するべき通電電気量の目標値である目標通電電気量Ｑｔとして取得する。
【００９６】
通電電気量検出部２１４は、多段定電流充電が開始されてから最後に実行される定電流充電Ｃｎが開始される前までの期間、例えば電流検出部８ａ，８ｂによって検出された電流値を単位時間毎に積算することによって、定電流回路２３から二次電池１ａ，１ｂへ供給された通電電気量Ｑｃを検出する。
【００９７】
補充電時間補正部２１６は、記憶部２１７に記憶されている充電効率係数テーブルを参照し、処理部６によって算出された熱履歴値Ｈｒと対応付けられている充電効率係数Ｋｃを、目標通電電気量取得部２１３によって取得された目標通電電気量Ｑｔに乗算することにより、目標通電電気量Ｑｔを補正する。
【００９８】
ここで、充電効率係数テーブルには、熱履歴値Ｈｒが大きくなるほど充電効率係数Ｋｃが小さくなるように対応付けられているから、熱履歴値Ｈｒが大きくなるほど目標通電電気量Ｑｔが小さくなるように補正される。そして、目標通電電気量Ｑｔが小さくなると、後述するように補充電時間算出部２１５によって算出される補充電時間ｔｎが短くなるから、補充電時間補正部２１６は、目標通電電気量Ｑｔを補正することによって、結果的に熱履歴値Ｈｒが大きくなるほど補充電時間ｔｎを短くするように補正することとなる。なお、補充電時間補正部２１６は、目標通電電気量Ｑｔを補正する例に限られず、補充電時間算出部２１５によって算出される補充電時間ｔｎを直接補正するようにしてもよい。
【００９９】
補充電時間算出部２１５は、目標通電電気量取得部２１３によって取得され、あるいは補充電時間補正部２１６によって補正された目標通電電気量Ｑｔ、通電電気量検出部２１４によって検出された通電電気量Ｑｃ、及び最後に実行される定電流充電Ｃｎにおける充電電流値（設定電流値）Ｉｃｎに基づき、下記の式（１）を用いて補充電時間ｔｎを算出する。
【０１００】
補充電時間ｔｎ＝（Ｑｔ−Ｑｃ）／Ｉｃｎ  ・・・（１）
【０１０１】
次に、上述のように構成された電池充電システム１００’の動作について説明する。図１０は、図８に示す処理部６による二次電池１ａについての熱履歴値Ｈｒの算出動作の一例を示すフローチャートである。まず、処理部６は、充電装置２ａ’から多段定電流充電の終了通知が有るまで待機し（ステップＳ１１でＮＯ）、終了通知を受信すると（ステップＳ１１でＹＥＳ）、ステップＳ１２に移行して、積算値Ｘａの算出を開始する。
【０１０２】
ステップＳ１２において、処理部６は、温度測定部７ａによって測定された温度ｔａを、単位時間毎にそれぞれ積算し、積算値Ｘａを算出する（ステップＳ１２）。処理部６は、充電装置２ａ’による新たな充電が開始されるまで積算値Ｘａの積算を継続する（ステップＳ１３でＮＯ）。そして、充電が開始されると（ステップＳ１３でＹＥＳ）、それまで積算された積算値Ｘａを熱履歴値Ｈｒとして、充電装置２ａ’へ送信する（ステップＳ１４）。
【０１０３】
ここで、制御弁式鉛蓄電池Ｂは、温度が低いほど成層化が生じやすいと考えられるから、熱履歴値Ｈｒは、二次電池１ａの成層化の程度を表す指標として用いることができる。すなわち、熱履歴値Ｈｒが小さいほど、成層化が進んでいると考えられる。
【０１０４】
さらに、処理部６は、熱履歴値テーブルを参照して、熱履歴値Ｈｒと対応付けて記憶されている充電終止電圧Ｖｅ１〜Ｖｅｎを取得し、充電装置２ａ’へ送信する（ステップＳ１５）。
【０１０５】
一方、処理部６は、ステップＳ１１〜Ｓ１５と並行して、図１１に示すステップＳ２１〜Ｓ２５を実行することで、ステップＳ１１〜Ｓ１５と同様の処理を二次電池１ｂ及び充電装置２ｂ’に対して実行し、二次電池１ｂの温度に応じた熱履歴値Ｈｒと充電終止電圧Ｖｅ１〜Ｖｅｎとを充電装置２ｂ’へ送信する。
【０１０６】
なお、処理部６は、充電開始時（ステップＳ１３，Ｓ２３でＹＥＳ）に、例えばまだ１回も多段定電流充電が実行されていないなどして熱履歴値Ｈｒが算出されていない場合は、予め設定された標準的な熱履歴値Ｈｒと充電終止電圧Ｖｅ１〜Ｖｅｎとを充電装置２ａ’，２ｂ’へ送信するようにしてもよい。
【０１０７】
以上、ステップＳ１１〜Ｓ１５、Ｓ２１〜Ｓ２５の処理により、処理部６は、熱履歴値Ｈｒが大きい二次電池ほど多段定電流充電における総通電電気量を減少させるように、充電装置２ａ’，２ｂ’による通電電気量を制御することができる。
【０１０８】
また、電池充電システム１００’によれば、電池充電システム１００と同様、多段定電流充電を実行した後、各二次電池相互間での成層化の程度のバラツキが低減される。従って、もし仮に、多段定電流充電の実行状況と無関係に、累積的に温度を積算して熱履歴値Ｈｒを算出したとすれば、多段定電流充電の実行によって成層化のバラツキが既に解消している期間の温度状況まで含んで熱履歴値Ｈｒが算出される結果となり、熱履歴値Ｈｒが、成層化の程度を正しく反映しなくなるおそれがある。
【０１０９】
しかしながら、処理部６は、ステップＳ１１〜Ｓ１４、Ｓ２１〜Ｓ２４において、前回の多段定電流充電が終了してから次の多段定電流充電が開始されるまでの設定期間において、熱履歴値Ｈｒを算出するので、前回の多段定電流充電によって解消したと考えられる成層化の影響を、熱履歴値Ｈｒから排除することで、熱履歴値Ｈｒに成層化の程度を反映させる精度を向上させることができる。
【０１１０】
なお、設定期間は、前回の多段定電流充電が終了してから次の多段定電流充電が開始されるまでに限られず、例えば予め固定的に設定された期間であってもよい。
【０１１１】
図１２、図１３は、図９に示す充電装置２ａ’，２ｂ’の動作の一例を示すフローチャートである。充電装置２ａ’，２ｂ’は、図１２、図１３に示す処理を並行してそれぞれ実行する。以下、充電装置２ａ’，２ｂ’の動作を一括して説明する。
【０１１２】
また、図１４は図９に示す充電装置２ａ’による充電に伴う二次電池１ａの端子電圧Ｖと、充電電流Ｉの変化の一例を示す説明図である。図１５は充電装置２ｂ’による充電に伴う二次電池１ｂの端子電圧Ｖと、充電電流Ｉの変化の一例を示す説明図である。図１４、図１５においては、二次電池１ｂ（図１５）の方が二次電池１ａ（図１４）よりも成層化が進んでいる例を示している。
【０１１３】
まず、制御部２１’は、二次電池１ａ，１ｂの充電開始前に、処理部６から熱履歴値Ｈｒと充電終止電圧Ｖｅ１〜Ｖｅｎとを受信する（ステップＳ３１）。
【０１１４】
次に、通電電気量検出部２１４によって、電流検出部８ａ，８ｂによって検出された電流値が例えば単位時間毎に積算されて、通電電気量Ｑｃの積算が開始され（ステップＳ３２）、さらに計時部２１２によって、定電流充電Ｃ１の継続時間ｔｃ１の計時が開始される（ステップＳ３３）。
【０１１５】
そして、ステップＳ３４において、充電制御部２１１によって、定電流回路２３から出力される充電電流Ｉが充電電流値Ｉｃ１に設定されて、１段目の定電流充電Ｃ１が開始され（タイミングＴ１）、二次電池１ａ，１ｂが充電される（ステップＳ３４）。次に、充電制御部２１１によって、二次電池１ａ，１ｂの電圧Ｖが１段目の充電終止電圧Ｖｅ１以上であるか否かが判断され、端子電圧ＶがＶｅ１未満であれば１段目の定電流充電Ｃ１が継続され（ステップＳ３５でＮＯ）、Ｖｅ１以上であれば１段目の定電流充電Ｃ１を終止する（ステップＳ３５でＹＥＳ、タイミングＴ２）。
【０１１６】
ここで、例えば二次電池１ａの方が二次電池１ｂよりも高温の温度環境に置かれていた場合、処理部６によって算出された熱履歴値Ｈｒは、二次電池１ａの方が二次電池１ｂよりも大きな値になる結果、処理部６によって充電装置２ａ’へ送信（設定）された充電終止電圧Ｖｅ１〜Ｖｅｎは、充電装置２ｂ’へ送信（設定）された充電終止電圧Ｖｅ１〜Ｖｅｎより低い電圧にされている。
【０１１７】
図１４においては、充電装置２ａ’へ送信（設定）された充電終止電圧Ｖｅ１〜Ｖｅｎが、電圧Ｖａであり、図１５においては、充電装置２ｂ’へ送信（設定）された充電終止電圧Ｖｅ１〜Ｖｅｎが、電圧Ｖｂである例を示しており、この場合、Ｖａ＜Ｖｂとなっている。これにより、高温の温度環境に置かれて成層化の影響が少なく、充電効率が高くなっていると考えられる二次電池１ａへ供給される通電電気量の方が、低温の温度環境に置かれて成層化が進み、充電効率が低くなっていると考えられる二次電池１ｂへ供給される通電電気量より少なくされる結果、実際に二次電池１ａ，１ｂに充電される充電電気量の差（バラツキ）が小さくなるようにされている。
【０１１８】
そして、定電流充電Ｃ１が終了すると（ステップＳ３５でＹＥＳ、タイミングＴ２）、計時部２１２によって計時された継続時間ｔｃ１が、目標通電電気量取得部２１３によって取得され（ステップＳ３６）、目標通電電気量取得部２１３によって、記憶部２１７の通電電気量テーブルが参照されて、継続時間ｔｃ１と対応付けて記憶されている通電電気量が、目標通電電気量Ｑｔとして取得される（ステップＳ３７）。
【０１１９】
次に、補充電時間補正部２１６によって、記憶部２１７に記憶されている充電効率係数テーブルが参照されて、処理部６から受信された熱履歴値Ｈｒと対応付けられている充電効率係数Ｋｃが取得される（ステップＳ３８）。そして、補充電時間補正部２１６によって、充電効率係数Ｋｃが、目標通電電気量取得部２１３によって取得された目標通電電気量Ｑｔに乗算されて、目標通電電気量Ｑｔが補正される（ステップＳ３９）。
【０１２０】
これにより、熱履歴値Ｈｒが大きいほど充電効率係数Ｋｃが小さくなるから、熱履歴値Ｈｒが大きくなるほど、目標通電電気量Ｑｔが小さく、補充電時間ｔｎが短くなるように補正される。ここで、もし仮に、補充電時間補正部２１６による目標通電電気量Ｑｔ（補充電時間ｔｎ）の補正が実行されなかったとすれば、処理部６によるステップＳ１１〜Ｓ１５、Ｓ２１〜Ｓ２５の処理により、熱履歴値Ｈｒが大きい二次電池ほど多段定電流充電における通電電気量を減少させるように充電終止電圧Ｖｅ１〜Ｖｅｎが小さな値に設定されて、上述したように実際に二次電池１ａ，１ｂに充電される充電電気量の差（バラツキ）を低減しようとしているにもかかわらず、熱履歴値Ｈｒが大きな二次電池は、通電電気量Ｑｃが減少してステップＳ４５において、補充電時間ｔｎが長い時間に設定されて、最終の定電流充電Ｃｎの充電時間が延びて通電電気量が増大し、処理部６による充電電気量のバラツキ低減効果が相殺されてしまうおそれがある。
【０１２１】
しかしながら、電池充電システム１００’によれば、補充電時間補正部２１６によって、熱履歴値Ｈｒが大きくなるほど、目標通電電気量Ｑｔが小さく、補充電時間ｔｎが短くなるように補正されるので、処理部６による充電電気量のバラツキ低減効果が相殺されるおそれが低減される。
【０１２２】
次に、ステップＳ４１において、充電制御部２１１によって、定電流回路２３から出力される充電電流Ｉが充電電流値Ｉｃ２に設定されて、２段目の定電流充電Ｃ２が開始され（タイミングＴ２）、二次電池１ａ，１ｂが充電される（ステップＳ４１）。次に、充電制御部２１１によって、二次電池１ａ，１ｂの端子電圧Ｖが２段目の充電終止電圧Ｖｅ２以上であるか否かが判断され、端子電圧Ｖが充電終止電圧Ｖｅ２未満であれば２段目の定電流充電Ｃ２が継続され（ステップＳ４２でＮＯ）、充電終止電圧Ｖｅ２以上であれば２段目の定電流充電Ｃ２を終止する（ステップＳ４２でＹＥＳ）。
【０１２３】
以降、充電電流値を順次減少させながら定電流充電を繰り返し、ｎ−１回目（最後の一つ前）の定電流充電（ｎ−１）が終了すると（ステップＳ４４でＹＥＳ）、補充電時間算出部２１５によって、通電電気量検出部２１４によって積算された通電電気量Ｑｃ、目標通電電気量Ｑｔ、及び充電電流値（設定電流値）Ｉｃｎに基づき、上記式（１）を用いて補充電時間ｔｎが算出される（ステップＳ４５）。
【０１２４】
次に、充電制御部２１１によって、定電流回路２３から出力される充電電流Ｉが充電電流値Ｉｃｎに設定されて、ｎ段目（最終）の定電流充電Ｃｎが開始され（タイミングＴ３）、二次電池１ａ，１ｂが充電される（ステップＳ４６）。
【０１２５】
そして、計時部２１２によって、定電流充電Ｃｎの開始後の経過時間ｔが計時され、充電制御部２１１によって、経過時間ｔと補充電時間ｔｎとが比較される（ステップＳ４７）。そして、経過時間ｔが補充電時間ｔｎ以上になると（ステップＳ４７でＹＥＳ）、充電制御部２１１は、定電流回路２３による電流出力をゼロにして、多段定電流充電を終了する（ステップＳ４８）。
【０１２６】
さらに、充電制御部２１１によって、処理部６へ、多段定電流充電が終了した旨、通知され（ステップＳ４９）、処理を終了する。
【０１２７】
以上、ステップＳ４６〜Ｓ４８の処理により、補充電時間算出部２１５は、多段定電流充電全体を通じての二次電池１ａ，１ｂへの通電電気量が、目標通電電気量取得部２１３によって取得され、さらに補充電時間補正部２１６によって温度の影響（成層化の影響）が補正された目標通電電気量Ｑｔになるように、最後の定電流充電Ｃｎで充電されるから、二次電池１ａ，１ｂを満充電する精度が向上する。
【０１２８】
なお、処理部６は、ステップＳ１２〜１４、Ｓ２２〜Ｓ２４において、上記設定期間における温度ｔａ，ｔｂの最大値を熱履歴値Ｈｒとして取得するようにしてもよい。これにより、熱履歴値Ｈｒの取得処理を簡素化できる。
【０１２９】
なお、処理部６は、二次電池１ａおよび１ｂに近接させた温度測定部７ａおよび７ｂからの温度情報に基づいて、処理部６が二次電池１ａおよび１ｂが経た熱履歴を求め、かつこれら直列回路に接続された充電装置２ａおよび２ｂからの通電電気量を変えるように指令するようにしてもよい。なお「直列回路が経た熱履歴に基づいて、各々の直列回路における通電電気量を変える」とは、少なくとも以下の２つの方法から選択できる。
【０１３０】
第１の方法は、処理部６が、二次電池１ａおよび１ｂのうち、温度が高かった時間が長いものほど通電電気量を小さくするようにする。具体的には、温度測定部７ａおよび７ｂが測定した温度を、タイマー（図示せず）が測定した時間とともに処理部６が処理する。ここでいう処理とは、例えば温度（Ｔａ・・・Ｔｚ）とその温度に置かれた時間（ｔａ・・・ｔｚ）との積（Ｔａｔａ・・・Ｔｚｔｚ）の総和（Ｔ＝Ｔａｔａ＋・・・＋Ｔｚｔｚ）を算出し、その総和に応じて充電装置２ａおよび２ｂが出力すべき通電電気量を導き出す過程をいう。そして仮に二次電池１ｂの方が二次電池１ａより温度が高かった時間が長ければ（この例に従えば、二次電池１ｂのＴが二次電池１ａのＴより大きければ）、処理部６は充電装置２ａに対し、双方の総和Ｔの差に相応して、充電装置２ｂより通電電気量が小さくなるように指令するようにしてもよい。
【０１３１】
第２の方法は、処理部６が、二次電池１ａおよび１ｂのうち、温度がより高かったものほど通電電気量を小さくするようにする。具体的には、温度測定部７ａおよび７ｂが測定した温度のうち、それぞれにおける最高温度（Ｔｍａｘ）を処理部６が記憶する。そして仮に二次電池１ｂの最高温度Ｔｍａｘの方が二次電池１ａの最高温度Ｔｍａｘより大きければ、処理部６は充電装置２ａに対し、双方のＴｍａｘの差に相応して、充電装置２ｂより通電電気量が小さくなるように指令する。
【０１３２】
上記第１、第２いずれの方法の場合も、例えば二次電池１ｂに対して１ａの方が低温環境下の履歴が長ければ（またはより低温であれば）、充電装置２ｂより２ａの方がより大きな通電電気量を発することになる。このような構成を採ることで、低温下の履歴が長かったために成層化がより重篤となったのは二次電池１ａであることを正確に導き出し、かつその後で、二次電池１ａを二次電池１ｂよりも多い電気量で充電して酸素ガスをより多く発生させることで、成層化の解消を進ませることができる。一方、成層化が軽微な二次電池１ｂは二次電池１ｂよりも少ない電気量で充電されるために酸素ガス発生量が少なくなり、結果的に成層化の解消が進みにくくなる。これら双方の結果に伴って、直列回路間の成層化の解消度合が揃いやすくなり、「直列回路間の劣化度合バラツキ」という組電池における最大の劣化要因が解消されやすくなる。なお通電電気量は、充電装置２ａおよび２ｂにおいて充電電流もしくは充電終止電圧を変えることで、変化させることができる。
【０１３３】
図１６はｎ段定電流充電における直列回路ごとの充電挙動を表す模式図であって、（ａ）は成層化の度合が重篤な直列回路の挙動を、（ｂ）は成層化の度合が軽微な直列回路の挙動を示すものである。なお図３における縦軸は充電電流（Ｉ）を示し、横軸は充電所要時間（ｔ）を示す。
【０１３４】
図１６に示すように、図６Ａ、図６Ｂと同様、成層化の度合が重篤な二次電池（ａ）の方が、成層化の度合が軽度な二次電池（ｂ）よりも充電所要時間が長くなる結果、バラついていた二次電池ごとの成層化の度合が揃うようになる。そして、このようにして各二次電池間の、成層化のバラツキが低減されることによって、組電池全体の電池容量が減少するおそれも低減される。
【０１３５】
さらに、図１６に示すように、各々の直列回路が経た熱履歴に基づいて、各々の直列回路における通電電気量（充電電流値）を変化させることで、成層化がより重篤な（低温環境下の履歴が長い）直列回路ほど、より活発に成層化解消反応（酸素ガス発生反応）を促すことができる。すなわち、直列回路間の成層化の解消度合をより揃えることが可能となる。
【０１３６】
また、制御弁式鉛蓄電池の熱履歴に相応して通電電気量を決定するテーブルに基づいて、直列回路ごとに通電電気量を変化させるようにしてもよい。処理部６が数値化した熱履歴に基づいて充電装置２ａおよび２ｂに出力すべき通電電気量を都度細かく指令する方法よりも、処理部６が熱履歴に相応して通電電気量を決定するテーブルを有しており、数値化した熱履歴とテーブルとを照合しながら直列回路ごとに通電電気量を変える方が、通電電気量を細かく指令する（すなわち充電装置２ａおよび２ｂの出力条件を細かく変化させる）ことによる煩雑さ（複雑な微調整を伴う）から解放されるので好ましい。なお「制御弁式鉛蓄電池の熱履歴に相応して通電電気量を決定するテーブルに基づいて、直列回路ごとに通電電気量を変える」とは、少なくとも以下の２つの方法から選択できる。
【０１３７】
第１の方法は、制御弁式鉛蓄電池の温度が高かった時間が長いものほど通電電気量を小さくするようにテーブルが設定されているものである。具体的には、温度測定部７ａおよび７ｂが測定した温度を、タイマー（図示せず）が測定した時間とともに処理部６が処理する。ここでいう処理とは例えば、温度に関する因子（Ｔａ・・・Ｔｚ）とその温度に置かれた時間（ｔａ・・・ｔｚ）との積（Ｔａｔａ・・・Ｔｚｔｚ）の総和（Ｔ＝Ｔａｔａ＋・・・＋Ｔｚｔｚ）を算出する過程をいう。そして処理部６は双方の総和Ｔの差を処理部６が記憶したテーブルと照合する。テーブルは総和Ｔの差が一定範囲であれば一定の充電電流に一本化されるように設定されている。そして処理部６はこのテーブルとの照合結果に基づいて、仮に二次電池１ｂの方が二次電池１ａより温度が高かった時間が長ければ（この例に従えば、二次電池１ｂのＴが二次電池１ａのＴより大きければ）、充電装置２ａに対し、充電装置２ｂより通電電気量が小さくなるように指令する。
【０１３８】
第２の方法は、制御弁式鉛蓄電池の温度がより高温であったものほど通電電気量を小さくするようにテーブルが設定されているものである。具体的には、温度測定部７ａおよび７ｂが測定した温度のうち、それぞれにおける最高温度（Ｔｍａｘ）を処理部６が記憶する。そして処理部６は双方のＴｍａｘの差を処理部６が記憶したテーブルと照合する。テーブルはＴｍａｘの差が一定範囲であれば一定の充電電流に一本化されるように設定されている。そして処理部６はこのテーブルとの照合結果に基づいて、仮に二次電池１ｂの最高温度Ｔｍａｘの方が二次電池１ａの最高温度Ｔｍａｘより大きければ、充電装置２ａに対し、充電装置２ｂより通電電気量が小さくなるように指令する。
【０１３９】
（第４実施形態）
従来、電池温度により適切な充電制御とするため、各電池の表面温度を測定して、その温度により充電制御を変更する検討もなされている。しかしながら、充電器の発熱部が組電池近くにあると、電池表面温度が発熱体の影響を受けてしまい、正しく電池内部の温度を測定できず、適切な温度制御ができない、という問題があった。その影響は、発熱体と電池の位置関係により異なる。
【０１４０】
そこで、本発明の第４実施形態に係る組電池の充電方法、及び電池充電システムは、例えば複数個の制御弁式鉛蓄電池を直列に接続した直列回路（二次電池）を並列に接続して負荷に接続する組電池の充電方法を用いる。この充電方法は、各々の直列回路にそれぞれ充電装置を接続し、充電装置のそれぞれが各々の直列回路の充電電圧を検出して、電流値をｎ−１（但しｎは２以上の整数）回変化させるｎ段定電流充電を行う。そして、各々の直列回路が曝される環境温度を加味して、各々の直列回路における充電電気量を変化させる。
【０１４１】
このように、各々の直列回路が曝される環境温度の影響（例えば直列回路どうしの配列や、車載された他の機器からの発熱およびその機器の配置によって生じる輻射熱）に基づいて、各々の直列回路における充電電気量を変化させることで、成層化がより重篤な（環境温度の影響を受けないために低温に曝されやすい）直列回路ほど、充電電気量を大きくしてより活発に成層化解消反応（酸素ガス発生反応）を促すことができる。すなわち、直列回路間の成層化の解消度合をより揃えることが可能となる。
【０１４２】
以下、第４実施形態に係る具体的な実施形態について、説明する。図１７は、第４実施形態に係る電池充電システム１００’’の一例を示すブロック図である。また、図１８は、図１７に示す充電装置２ａ’’，２ｂ’’の構成の一例を示すブロック図である。
【０１４３】
電池充電システム１００’’は、二次電池１ａおよび１ｂが曝される環境温度を加味して、これら直列回路に接続された充電装置２ａおよび２ｂからの充電電流を処理部６の指令によって変える。なお「直列回路が曝される環境温度を加味して、各々の直列回路における充電電流を変える」とは、予め実験結果およびシミュレーションで明確になった環境温度の影響（例えば、直列回路どうしの配列や、車載された他の機器からの発熱およびその機器の配置によって生じる輻射熱の影響を受けた電池表面の温度と、電池内部の温度との温度差Ｔｄ）を処理部９が記憶しており、その記憶に基づいて二次電池１ａと１ｂとで充電電流もしくは充電終止電圧を変える方法である。例えば二次電池１ｂに対して１ａの方が環境温度の影響を受けないために低温に曝されやすいのであれば、処理部９からの指令に基づいて、二次電池１ａに接続した充電装置２ａの方が、二次電池１ｂに接続した充電装置２ｂより高い充電終止電圧を設定するなどして、二次電池１ａにより大きな充電電気量を与えることになる。
【０１４４】
この方法によれば、環境温度の影響を受けないために低温に曝されやすく成層化がより重篤となる二次電池１ａは、二次電池１ｂよりも酸素ガス発生量が多くなり、結果的に成層化の解消が進みやすくなる。一方、成層化が軽微な二次電池１ｂは二次電池１ａよりも酸素ガス発生量が少なくなり、結果的に成層化の解消が進みにくくなる。これら双方の結果に伴って、直列回路間の成層化の解消度合が揃いやすくなり、「直列回路間の劣化度合バラツキ」という組電池における最大の劣化要因が解消されやすくなる。
【０１４５】
具体的には、図１７に示す電池充電システム１００’’は、図８に示す電池充電システム１００’とは、処理部９（通電電気量設定部）の動作が処理部６と異なる点、温度測定部７ｂを備えない点、及び充電装置２ａ’’，２ｂ’’が、充電制御部２１１の代わりに充電制御部２１１’を備え、補充電時間補正部２１６の代わりに補充電時間補正部２１６’を備える点で異なる。
【０１４６】
図１８に示す充電装置２ａ’’，２ｂ’’における制御部２１’’が備える充電制御部２１１’は、処理部９によって設定された充電終止電圧Ｖｅ１〜Ｖｅｎに基づいて、多段定電流充電を実行する点で、図９に示す充電制御部２１１と異なる。
【０１４７】
また、補充電時間補正部２１６’は、処理部９によって推定された二次電池１ａ，１ｂの内部温度に基づき、充電効率係数Ｋｃを取得する点で、図９に示す補充電時間補正部２１６と異なる。また、記憶部２１７’に予め記憶される充電効率係数テーブルは、内部温度Ｔｉと充電効率係数Ｋｃとを対応付けるルックアップテーブル（ＬＵＴ）である点で、記憶部２１７と異なる。
【０１４８】
その他の構成は図８に示す電池充電システム１００’と同様であるのでその説明を省略し、以下本実施形態の特徴的な点について説明する。
【０１４９】
なお、計時部２１２、目標通電電気量取得部２１３、通電電気量検出部２１４、補充電時間算出部２１５、補充電時間補正部２１６’、及び記憶部２１７’が、充電装置２ａ’’，２ｂ’’にそれぞれ設けられる例を示したが、これら各部が例えば処理部９に設けられて、補充電時間算出部２１５や補充電時間補正部２１６’によって得られた各二次電池に対応する補充電時間ｔｎを、処理部９から充電装置２ａ’’，２ｂ’’における制御部２１’’へ送信する構成としてもよい。
【０１５０】
処理部９は、例えばマイクロコンピュータを用いて構成された制御回路である。処理部９には、例えばＲＯＭによって構成された記憶部９１（温度情報記憶部）が設けられている。記憶部９１には、二次電池１ａ，１ｂについて、二次電池１ａ，１ｂの内部温度と温度測定部７ａによって測定される温度との差（関係）である温度差Ｔｄを示す温度情報が、例えば予め実験的に求められて記憶されている。
【０１５１】
温度差Ｔｄは、例えば二次電池１ａ，１ｂの内部温度から温度測定部７ａによって測定された実測温度が減算されて算出されており、内部温度が実測温度より高いとき、温度差Ｔｄはプラスの値となり、内部温度が実測温度より低いとき、温度差Ｔｄはマイナスの値を示すようになっている。
【０１５２】
処理部９は、二次電池１ａ，１ｂの予め設定された基準温度Ｔ０における満充電電圧Ｖｆ、温度と満充電電圧との関係を表す温度係数ｋ、温度測定部７ａによって測定された実測温度Ｔｒ、記憶部９１に記憶された温度差Ｔｄに基づいて、下記の式（Ａ）を用いて、充電終止電圧Ｖｅを算出し、設定する。
【０１５３】
Ｖｅ＝Ｖｆ−ｋ×（Ｔｒ＋Ｔｄ−Ｔ０）  ・・・（Ａ）
【０１５４】
温度係数ｋは、温度変化１℃あたりの充電終止電圧Ｖｅ１〜Ｖｅｎの変化量を示す係数であり、二次電池１ａ，１ｂが鉛蓄電池の場合は、例えばｋ＝０．０３である。また、式（Ａ）における（Ｔｒ＋Ｔｄ）が、内部温度Ｔｉとなる。
【０１５５】
また、処理部９は、実測温度Ｔｒと温度差Ｔｄとを加算することにより、二次電池１ａ，１ｂの内部温度Ｔｉを推定し、その推定値を、それぞれ充電装置２ａ’’，２ｂ’’へ送信する。
【０１５６】
図１９は、二次電池１ａ，１ｂに、二次電池１ｃを加えた三つの二次電池が、略密着して配設された状態を示す説明図である。図２０は、記憶部９１に記憶されている温度情報の一例について説明するための説明図である。図２０に示す温度情報は、図１９に示すように二次電池１ａ，１ｂ，１ｃが配置された状態で、二次電池１ａ，１ｂ，１ｃ近傍の外気温Ｔａ、二次電池１ａ，１ｂ，１ｃの表面温度Ｔｓ、及び内部温度Ｔｉを測定した測定結果の一例を示す説明図である。各温度は、二次電池１ａ，１ｂ，１ｃの実使用状態で想定される標準的な充放電電流を流した状態で測定されている。
【０１５７】
図２０に示すように、外気温Ｔａが２５．６℃のとき、二次電池１ａ，１ｂ，１ｃの充放電に伴う自己発熱によって、二次電池１ａ，１ｂ，１ｃの表面温度Ｔｓは、３０．６℃、３５．８℃、３１．２℃となり、両側を他の二次電池で挟まれた二次電池１ｂの表面温度が最も高くなった。
【０１５８】
このとき、二次電池１ａ，１ｂ，１ｃに穴を空けて内部温度Ｔｉを測定すると、その内部温度Ｔｉは、３１．６℃，３３．９℃，３２．３℃であった。そうすると、二次電池１ａ，１ｂ，１ｃにおける、内部温度Ｔｉと表面温度Ｔｓとの温度差Ｔｉｓ（＝内部温度Ｔｉ−表面温度Ｔｓ）は１．０℃，−１．９℃，１．１℃、表面温度Ｔｓと外気温Ｔａとの温度差Ｔｓａ（＝表面温度Ｔｓ−外気温Ｔａ）は５．０，１０．２℃，５．６℃、二次電池１ａの表面温度と各二次電池の表面温度との温度差Ｔｓｓ（＝表面温度Ｔｓ−二次電池１ａの表面温度Ｔｓ）は０．０℃、５．２℃，０．６℃となった。
【０１５９】
ここで、温度測定部７ａが二次電池１ａ，１ｂ，１ｃの近傍の外気温Ｔａを測定するように配設されているときは、図２０に示す温度情報における温度差Ｔｓａ＋温度差Ｔｉｓ＋温度差Ｔｓｓが、温度差Ｔｄを示す。また、温度測定部７ａが二次電池１ａの表面温度Ｔｓを測定するように配設されているときは、図２０に示す温度情報における温度差Ｔｉｓ＋温度差Ｔｓｓが、温度差Ｔｄを示す。
【０１６０】
図２１は、温度測定部７ａが二次電池１ａの表面温度Ｔｓを測定するように配設されており、温度測定部７ａにより測定された実測温度Ｔｒが３０．６℃、基準温度Ｔ０が２５℃、満充電電圧Ｖｆが１４．４Ｖであった場合に、処理部９によって、二次電池１ａ，１ｂ，１ｃに対応して設定される充電終止電圧Ｖｅを示している。
【０１６１】
図２２は、二次電池１ａ，１ｂ，１ｃが略密着して配設され、かつ二次電池１ｃ側に、発熱体である電源が配設された状態を示す説明図である。図２３は、記憶部９１に記憶されている温度情報の一例について説明するための説明図である。図２３に示す温度情報は、図２２に示すように二次電池１ａ，１ｂ，１ｃ及び電源が配置され、二次電池１ｃが最も電源からの輻射熱の影響を受けやすい状態で、二次電池１ａ，１ｂ，１ｃ近傍の外気温Ｔａ、電源の表面温度Ｔｐ、二次電池１ａ，１ｂ，１ｃの表面温度Ｔｓ、及び内部温度Ｔｉを測定した測定結果の一例を示す説明図である。各温度は、二次電池１ａ，１ｂ，１ｃの実使用状態で想定される標準的な充放電電流を流した状態で測定されている。
【０１６２】
図２３に示すように、外気温Ｔａが２６．３℃、電源表面温度Ｔｐが４９．２℃のとき、二次電池１ａ，１ｂ，１ｃの表面温度Ｔｓは、３０．６℃、３１．３℃、３４．０℃となり、電源からの輻射熱の影響を受けやすい二次電池１ｃの表面温度が最も高くなった。
【０１６３】
このとき、二次電池１ａ，１ｂ，１ｃに穴を空けて内部温度Ｔｉを測定すると、その内部温度Ｔｉは、３１．６℃，３２．３℃，３１．５℃であった。そうすると、二次電池１ａ，１ｂ，１ｃにおける、内部温度Ｔｉと表面温度Ｔｓとの温度差Ｔｉｓ（＝内部温度Ｔｉ−表面温度Ｔｓ）は１．０℃，１．０℃，−２．５℃、表面温度Ｔｓと外気温Ｔａとの温度差Ｔｓａ（＝表面温度Ｔｓ−外気温Ｔａ）は３．１℃，４．２℃，５．８℃、二次電池１ａの表面温度と各二次電池の表面温度との温度差Ｔｓｓ（＝表面温度Ｔｓ−二次電池１ａの表面温度Ｔｓ）は０．０℃、１．５℃，４．０℃となった。
【０１６４】
ここで、温度測定部７ａが二次電池１ａ，１ｂ，１ｃの近傍の外気温Ｔａを測定するように配設されているときは、図２３に示す温度情報における温度差Ｔｓａ＋温度差Ｔｉｓ＋温度差Ｔｓｓが、温度差Ｔｄを示す。また、温度測定部７ａが二次電池１ａの表面温度Ｔｓを測定するように配設されているときは、図２３に示す温度情報における温度差Ｔｉｓ＋温度差Ｔｓｓが、温度差Ｔｄを示す。
【０１６５】
図２４は、温度測定部７ａが二次電池１ａの表面温度Ｔｓを測定するように配設されており、温度測定部７ａにより測定された実測温度Ｔｒが３０．６℃、基準温度Ｔ０が２５℃、満充電電圧Ｖｆが１４．４Ｖであった場合に、処理部９によって、二次電池１ａ，１ｂ，１ｃに対応して設定される充電終止電圧Ｖｅを示している。
【０１６６】
次に、上述のように構成された電池充電システム１００’’の動作について説明する。図２５は、図１７に示す処理部９の動作の一例を示すフローチャートである。まず、処理部９は、記憶部９１を参照し、記憶部９１に記憶されている温度情報から、二次電池１ａに対応する温度差Ｔｄを取得する（ステップＳ５１）。
【０１６７】
次に、処理部９は、温度測定部７ａによって測定された実測温度Ｔｒと温度差Ｔｄとを加算して、二次電池１ａの内部温度Ｔｉを推定する（ステップＳ５２）。そして、処理部９は、二次電池１ａに対応する温度差Ｔｄと式（Ａ）とを用いて、充電終止電圧Ｖｅを算出し（ステップＳ５３）、充電装置２ａ’’へ、推定された二次電池１ａの内部温度Ｔｉと充電終止電圧Ｖｅとを送信する（ステップＳ５４）。
【０１６８】
以下、ステップＳ５５〜Ｓ５８において、処理部９は、ステップ５１〜Ｓ５４と同様の処理を二次電池１ｂについて実行することにより、二次電池１ｂについて推定された内部温度Ｔｉと充電終止電圧Ｖｅとを充電装置２ｂ’’へ送信する。
【０１６９】
以上、ステップＳ５１〜Ｓ５８の処理により、例えば他の二次電池に挟まれて配設されたり、電源などの発熱源からの熱輻射の影響を受けやすかったりといった、曝される温度条件が異なる二次電池１ａ，１ｂについて実際の内部温度Ｔｉを推定し、この内部温度Ｔｉに応じて充電終止電圧Ｖｅが設定される。
【０１７０】
そして、ステップＳ５１〜Ｓ５８の処理によれば、曝される温度条件によって、温度差Ｔｄが大きく、すなわち内部温度Ｔｉが高く成層化が生じ難い（成層化が軽度な）二次電池ほど、充電終止電圧Ｖｅが低い電圧に設定されて総通電電気量が減少される結果、後述する多段定電流充電における充電所要時間が短縮されて成層化の解消効果が減少される。
【０１７１】
一方、曝される温度条件によって、温度差Ｔｄが小さく、すなわち内部温度Ｔｉが低く成層化が生じ易い（成層化が重篤な）二次電池ほど、充電終止電圧Ｖｅが高い電圧に設定されて総通電電気量が増大される結果、多段定電流充電における充電所要時間が延長されて成層化の解消効果が増大される。
【０１７２】
そうすると、成層化が生じ難い（成層化が軽度な）二次電池ほど成層化の解消効果が減少され、成層化が生じ易い（成層化が重篤な）二次電池ほど成層化の解消効果が増大されるから、各二次電池間における成層化のバラツキが低減される。
【０１７３】
そして、このようにして各二次電池間の、成層化のバラツキが低減されることによって、最も成層化が進んだ制御弁式鉛蓄電池であってもその成層化の程度が軽減される結果、サルフェーションにより電池容量が減少するおそれが低減される。そうすると、組電池全体の電池容量が減少するおそれも低減される。
【０１７４】
図２６、図２７は、図１８に示す充電装置２ａ’’，２ｂ’’の動作の一例を示すフローチャートである。充電装置２ａ’’，２ｂ’’は、図２６、図２７に示す処理を並行してそれぞれ実行する。以下、充電装置２ａ’’，２ｂ’’の動作を一括して説明する。
【０１７５】
また、図２８は、図１８に示す充電装置２ａ’’による充電に伴う二次電池１ａの端子電圧Ｖと、充電電流Ｉの変化の一例を示す説明図である。図２９は充電装置２ｂ’’による充電に伴う二次電池１ｂの端子電圧Ｖと、充電電流Ｉの変化の一例を示す説明図である。図２８、図２９においては、二次電池１ｂ（図２９）の方が、二次電池１ａ（図２８）よりも、低温に曝されやすい温度条件にされており、温度差Ｔｄが小さく成層化が進んでいる例を示している。
【０１７６】
まず、制御部２１’’は、処理部９から充電終止電圧Ｖｅ１〜Ｖｅｎと内部温度Ｔｉとを受信する（ステップＳ６１）。
【０１７７】
次に、通電電気量検出部２１４によって、電流検出部８ａ，８ｂによって検出された電流値が例えば単位時間毎に積算されて、通電電気量Ｑｃの積算が開始され（ステップＳ６２）、さらに計時部２１２によって、定電流充電Ｃ１の継続時間ｔｃ１の計時が開始される（ステップＳ６３）。
【０１７８】
そして、ステップＳ６４において、充電制御部２１１’によって、定電流回路２３から出力される充電電流Ｉが充電電流値Ｉｃ１に設定されて、１段目の定電流充電Ｃ１が開始され（タイミングＴ１１）、二次電池１ａ，１ｂが充電される（ステップＳ６４）。次に、充電制御部２１１’によって、二次電池１ａ，１ｂの電圧Ｖが１段目の充電終止電圧Ｖｅ１以上であるか否かが判断され、端子電圧ＶがＶｅ１未満であれば１段目の定電流充電Ｃ１が継続され（ステップＳ６５でＮＯ）、Ｖｅ１以上であれば１段目の定電流充電Ｃ１を終止する（ステップＳ６５でＹＥＳ、タイミングＴ１２）。
【０１７９】
ここで、例えば二次電池１ａの方が二次電池１ｂよりも高温に曝されやすい（内部が高温になりやすい）温度条件の環境に置かれていた場合、記憶部９１に記憶されている温度情報で示される温度差Ｔｄは、二次電池１ａの方が二次電池１ｂよりも大きな値になる結果、処理部９によって充電装置２ａ’’へ送信（設定）された充電終止電圧Ｖｅ１〜Ｖｅｎは、充電装置２ｂ’’へ送信（設定）された充電終止電圧Ｖｅ１〜Ｖｅｎより低い電圧にされている。
【０１８０】
図２８においては、充電装置２ａ’’へ送信（設定）された充電終止電圧Ｖｅ１〜Ｖｅｎが、電圧Ｖａであり、図２９においては、充電装置２ｂ’’へ送信（設定）された充電終止電圧Ｖｅ１〜Ｖｅｎが、電圧Ｖｂである例を示しており、この場合、Ｖａ＜Ｖｂとなっている。これにより、高温に曝されやすい温度条件の環境に置かれて成層化の影響が少なく、充電効率が高くなっていると考えられる二次電池１ａへ供給される通電電気量の方が、低温に曝されやすい温度条件の環境に置かれて成層化が進み、充電効率が低くなっていると考えられる二次電池１ｂへ供給される通電電気量より少なくされる結果、実際に二次電池１ａ，１ｂに充電される充電電気量の差（バラツキ）が小さくなるようにされている。
【０１８１】
そして、定電流充電Ｃ１が終了すると（ステップＳ６５でＹＥＳ、タイミングＴ１２）、計時部２１２によって計時された継続時間ｔｃ１が、目標通電電気量取得部２１３によって取得され（ステップＳ６６）、目標通電電気量取得部２１３によって、記憶部２１７の通電電気量テーブルが参照されて、継続時間ｔｃ１と対応付けて記憶されている通電電気量が、目標通電電気量Ｑｔとして取得される（ステップＳ６７）。
【０１８２】
次に、補充電時間補正部２１６’によって、記憶部２１７に記憶されている充電効率係数テーブルが参照されて、処理部９から受信された内部温度Ｔｉと対応付けられている充電効率係数Ｋｃが取得される（ステップＳ６８）。そして、補充電時間補正部２１６’によって、充電効率係数Ｋｃが、目標通電電気量取得部２１３によって取得された目標通電電気量Ｑｔに乗算されて、目標通電電気量Ｑｔが補正される（ステップＳ６９）。
【０１８３】
これにより、内部温度Ｔｉが高くなるほど、目標通電電気量Ｑｔが小さく、補充電時間ｔｎが短くなるように補正される。ここで、もし仮に、補充電時間補正部２１６’による目標通電電気量Ｑｔ（補充電時間ｔｎ）の補正が実行されなかったとすれば、処理部９によるステップＳ５１〜Ｓ５８の処理により、内部温度Ｔｉが高い二次電池ほど多段定電流充電における通電電気量を減少させるように充電終止電圧Ｖｅ１〜Ｖｅｎが小さな値に設定されて、上述したように実際に二次電池１ａ，１ｂに充電される充電電気量の差（バラツキ）を低減しようとしているにもかかわらず、内部温度Ｔｉが高い二次電池は、通電電気量Ｑｃが減少してステップＳ７５において、補充電時間ｔｎが長い時間に設定されて、最終の定電流充電Ｃｎの充電時間が延びて通電電気量が増大し、処理部９による充電電気量のバラツキ低減効果が相殺されてしまうおそれがある。
【０１８４】
しかしながら、電池充電システム１００’’によれば、補充電時間補正部２１６’によって、内部温度Ｔｉが高くなるほど、目標通電電気量Ｑｔが小さく、補充電時間ｔｎが短くなるように補正されるので、処理部９による充電電気量のバラツキ低減効果が相殺されるおそれが低減される。
【０１８５】
次に、ステップＳ７１において、充電制御部２１１’によって、定電流回路２３から出力される充電電流Ｉが充電電流値Ｉｃ２に設定されて、２段目の定電流充電Ｃ２が開始され（タイミングＴ１２）、二次電池１ａ，１ｂが充電される（ステップＳ７１）。次に、充電制御部２１１’によって、二次電池１ａ，１ｂの端子電圧Ｖが２段目の充電終止電圧Ｖｅ２以上であるか否かが判断され、端子電圧Ｖが充電終止電圧Ｖｅ２未満であれば２段目の定電流充電Ｃ２が継続され（ステップＳ７２でＮＯ）、充電終止電圧Ｖｅ２以上であれば２段目の定電流充電Ｃ２を終止する（ステップＳ７２でＹＥＳ）。
【０１８６】
以降、充電電流値を順次減少させながら定電流充電を繰り返し、ｎ−１回目（最後の一つ前）の定電流充電（ｎ−１）が終了すると（ステップＳ７４でＹＥＳ）、補充電時間算出部２１５によって、通電電気量検出部２１４によって積算された通電電気量Ｑｃ、目標通電電気量Ｑｔ、及び充電電流値（設定電流値）Ｉｃｎに基づき、上記式（１）を用いて補充電時間ｔｎが算出される（ステップＳ７５）。
【０１８７】
次に、充電制御部２１１’によって、定電流回路２３から出力される充電電流Ｉが充電電流値Ｉｃｎに設定されて、ｎ段目（最終）の定電流充電Ｃｎが開始され（タイミングＴ１３）、二次電池１ａ，１ｂが充電される（ステップＳ７６）。
【０１８８】
そして、計時部２１２によって、定電流充電Ｃｎの開始後の経過時間ｔが計時され、充電制御部２１１’によって、経過時間ｔと補充電時間ｔｎとが比較される（ステップＳ７７）。そして、経過時間ｔが補充電時間ｔｎ以上になると（ステップＳ７７でＹＥＳ）、充電制御部２１１’は、定電流回路２３による電流出力をゼロにして、多段定電流充電を終了する（ステップＳ７８）。
【０１８９】
以上、ステップＳ７６〜Ｓ７８の処理により、補充電時間算出部２１５は、多段定電流充電全体を通じての二次電池１ａ，１ｂへの通電電気量が、目標通電電気量取得部２１３によって取得され、さらに補充電時間補正部２１６’によって温度の影響（成層化の影響）が補正された目標通電電気量Ｑｔになるように、最後の定電流充電Ｃｎで充電されるから、二次電池１ａ，１ｂを満充電する精度が向上する。
【０１９０】
さらに、図１６に示すように、各々の直列回路が曝される環境温度を加味して、各々の直列回路における通電電気量（充電電流値）を変化させる。仮に同じ充電所要時間であっても、通電電気量が適度に大きければ酸素ガスの発生による成層化の解消が進みやすくなるので、環境温度が低く成層化が重篤になるところに配置された直列回路ほど成層化の解消が進むため、直列回路間の成層化の解消度合を揃えることが可能となる。
【０１９１】
ここまではｎ段定電流充電のみを用いた組電池の充電方法を示したが、ｎ段定電流充電を主構成として、他の充電方法（例えばパルス充電やトリクル充電）を組み合わせても、本発明の効果が得られることは言うまでもない。
【０１９２】
なお、電池充電システム１００’，１００’’は、制御部２１’，２１’’において、計時部２１２、目標通電電気量取得部２１３、通電電気量検出部２１４、補充電時間算出部２１５、補充電時間補正部２１６，２１６’、及び記憶部２１７，２１７’を備えず、ステップＳ３２，Ｓ３３，Ｓ３６〜Ｓ３９、Ｓ４５、Ｓ４９、Ｓ６２、Ｓ６３、Ｓ６６〜Ｓ６９、Ｓ７５を実行せず、ステップＳ４７，Ｓ７７の代わりにステップＳ０６と同様の処理を行う構成としてもよい。
【０１９３】
また、制御部２１’，２１’’は、補充電時間補正部２１６，２１６’を備えず、ステップＳ３８，Ｓ３９，Ｓ６８，Ｓ６９を実行しない構成としてもよい。
【０１９４】
すなわち、本発明の一局面に従う電池充電システムは、互いに対向配置された板状の正極と負極との間に、電解液を含浸するセパレータが配設された電池である制御弁式鉛蓄電池を用いた二次電池が複数並列接続された組電池と、前記各二次電池に対応して設けられ、対応する二次電池をそれぞれ充電する複数の充電部とを備え、前記各充電部は、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させる多段定電流充電を実行する。
【０１９５】
また、本発明の一局面に従う組電池の充電方法は、互いに対向配置された板状の正極と負極との間に、電解液を含浸するセパレータが配設された電池である制御弁式鉛蓄電池を用いた二次電池が複数並列接続された組電池の充電方法であって、前記各二次電池に対応して設けられた複数の充電部によって、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させることにより、多段定電流充電を実行する充電工程を含む。
【０１９６】
この構成によれば、制御弁式鉛蓄電池を用いた二次電池が複数並列接続された組電池を多段定電流充電する際に、各二次電池は、端子電圧が所定の充電終止電圧になるまで所定の設定電流値の電流を供給する定電流充電が、充電電流値を都度減少させつつ複数回繰り返される。そうすると、充電電流値が大きい初期の定電流充電においては、成層化が進んでいる（成層化が重篤な）二次電池の方が、成層化が進んでいない（成層化が軽度な）二次電池よりも端子電圧の上昇が早いため、短時間で定電流充電が終了する。
【０１９７】
そして、大きな電流値で充電する初期の定電流充電が短時間で終了すると、多段定電流充電初期の定電流充電によって成層化が重篤な二次電池の充電される電気量は、成層化が軽度な二次電池より少なくなるため、成層化が重篤な二次電池では、その不足分が多段定電流充電末期の充電電流値が小さい定電流充電によって充電されることとなる。そうすると、成層化が重篤な二次電池は、成層化が軽度な二次電池よりも少ない電流値で充電される期間が長くなるから、多段定電流充電による充電時間全体が、成層化が軽度な二次電池よりも長くなる。従って、成層化が重篤なものは充電時間が長くなり、成層化が軽度なものは充電時間が短くなる。
【０１９８】
ここで、成層化は、充電時間が長いほど解消されるので、並列接続された複数の二次電池相互間において、成層化の程度にバラツキがあったとしても、成層化が重篤なものの方が、成層化が軽度なものよりも充電時間が長くなって成層化がより多く解消される結果、成層化の程度のバラツキが低減される。そして、各二次電池間の、成層化のバラツキが低減されることによって、最も成層化が重篤な制御弁式鉛蓄電池におけるその成層化の程度が軽減される結果、成層化に起因して電池容量が減少するおそれが低減される。そうすると、組電池全体の電池容量が減少するおそれも低減される。
【０１９９】
また、前記二次電池は、複数の制御弁式鉛蓄電池が直列接続されて構成されていることが好ましい。
【０２００】
制御弁式鉛蓄電池が複数直列接続されている場合には、その直列回路に含まれる制御弁式鉛蓄電池のうち最も電池容量が減少した制御弁式鉛蓄電池によって、直列回路全体の充放電可能な電気量が制限されてしまうので、成層化のバラツキにより生じる電池容量の減少が、さらに顕著となる。従って、上述のようにして成層化のバラツキが低減されることによる効果、すなわち電池容量の減少を低減する効果が、制御弁式鉛蓄電池一つで二次電池が構成されている場合よりも大きい。
【０２０１】
また、前記正極及び負極における、活物質で覆われた部分の重力方向の長さが、１００ｍｍ以上であることが好ましい。
【０２０２】
正極及び負極における、活物質で覆われた部分の重力方向の長さが、１００ｍｍ以上である場合、当該長さが１００ｍｍに満たない場合よりも、成層化が生じやすく、従って各二次電池間の成層化のバラツキも生じやすい。従って、上述のようにして成層化のバラツキが低減されることによる効果、すなわち電池容量の減少を低減する効果が、前記長さが１００ｍｍ以上である制御弁式鉛蓄電池を用いた場合の方が、当該長さが１００ｍｍに満たない制御弁式鉛蓄電池を用いた場合よりも、より多く期待できる。
【０２０３】
また、前記各二次電池の温度をそれぞれ測定する複数の温度測定部と、前記多段定電流充電の実行開始前における予め設定された設定期間において前記各温度測定部によって測定された各温度に基づいて、前記各充電部が前記複数回の定電流充電によって対応する二次電池へ供給する電気量である総通電電気量をそれぞれ設定する通電電気量設定部とをさらに備えることが好ましい。
【０２０４】
また、前記多段定電流充電の実行開始前における予め設定された設定期間において、前記各二次電池の温度をそれぞれ測定する温度測定工程と、前記温度測定工程によって測定された各温度に基づいて、前記各充電部が前記複数回の定電流充電によって対応する二次電池へ供給する電気量である総通電電気量をそれぞれ設定する通電電気量設定工程とをさらに含むようにしてもよい。
【０２０５】
制御弁式鉛蓄電池の成層化は、温度が低いほど生じやすい。従って、多段定電流充電を開始する前に、低温になっていた二次電池は成層化が重篤になり、高温になっていた二次電池は成層化が軽度になっていると考えられる。そして、成層化が重篤になるほど充電効率が低下するから、充電開始前に低温になっていた二次電池と高温になっていた二次電池とに、同一の通電電気量を供給して充電すると、実際に充電される充電電気量は、充電開始前に低温になっていた二次電池の方が少なくなる。
【０２０６】
そこで、多段定電流充電の実行開始前における設定期間における各二次電池の温度に基づいて、複数回の定電流充電、すなわち多段定電流充電において対応する二次電池へ供給する電気量である総通電電気量をそれぞれ設定することで、各二次電池に実際に充電される充電電気量のバラツキを低減することが可能となる。
【０２０７】
また、前記通電電気量設定部は、前記各温度測定部によって測定される各温度の、前記設定期間における積算値を前記各二次電池にそれぞれ対応して算出し、当該積算値が大きい二次電池ほど前記総通電電気量を減少させるように、当該各総通電電気量を設定することが好ましい。
【０２０８】
制御弁式鉛蓄電池の成層化は、低温になっていた時間が長いほど生じやすい。そこで、各温度測定部によって測定される各二次電池の温度の、設定期間における積算値を各二次電池にそれぞれ対応して算出し、当該積算値が大きい二次電池ほど総通電電気量を減少させ、すなわち当該積算値が小さい二次電池ほど総通電電気量を増大させるように、当該各総通電電気量を設定する。これにより、低温になっていた時間が長く、成層化が進んで充電効率が低下していると考えられる二次電池ほど、総通電電気量が増大されるので、各二次電池に実際に充電される充電電気量のバラツキを低減することができる。
【０２０９】
また、前記通電電気量設定部は、前記各温度測定部によって測定される各温度の、前記設定期間における最大値を前記各二次電池にそれぞれ対応して取得し、当該最大値が大きい二次電池ほど前記総通電電気量を減少させるように、当該各総通電電気量を設定するようにしてもよい。
【０２１０】
この構成によれば、各二次電池の温度を設定期間中積算する場合と比べて処理を簡素化することができる。
【０２１１】
また、前記二次電池の各温度を示す情報と、前記総通電電気量に関する情報とを対応付けて記憶する第１記憶部をさらに備え、前記通電電気量設定部は、前記第１記憶部によって、前記各温度測定部によって測定された各温度と対応付けて記憶されている総通電電気量に関する情報に応じて、前記各総通電電気量を設定することが好ましい。
【０２１２】
また、前記積算値と、前記総通電電気量に関する情報とを対応付けて記憶する第１記憶部をさらに備え、前記通電電気量設定部は、前記第１記憶部によって、前記積算値と対応付けて記憶されている総通電電気量に関する情報に応じて、当該積算値が大きい二次電池ほど前記総通電電気量を減少させるように、当該各総通電電気量を設定するようにしてもよい。
【０２１３】
また、前記積算値と、前記総通電電気量に関する情報とを対応付けて記憶する第１記憶部をさらに備え、前記通電電気量設定部は、前記第１記憶部によって、前記最大値と対応付けて記憶されている総通電電気量に関する情報に応じて、当該最大値が大きい二次電池ほど前記総通電電気量を減少させるように、当該各総通電電気量を設定するようにしてもよい。
【０２１４】
これらの構成によれば、第１記憶部を参照することで、各温度に基づき各総通電電気量を設定することができるので、処理を簡素化することができる。
【０２１５】
また、前記複数の二次電池に関する温度を測定する温度測定部と、前記各二次電池が曝される温度と前記温度測定部によって測定される温度との関係を示す温度情報を、予め記憶する温度情報記憶部と、前記温度情報記憶部に記憶されている温度情報と前記温度測定部によって測定された温度とに基づいて、前記各充電部が前記複数回の定電流充電によって対応する二次電池へ供給する電気量である総通電電気量をそれぞれ設定する通電電気量設定部とをさらに備えることが好ましい。
【０２１６】
また、前記複数の二次電池に関する温度を測定する温度測定工程と、前記各二次電池が曝される温度と前記温度測定工程によって測定される温度との関係を示す温度情報を、予め記憶する温度情報記憶工程と、前記温度情報記憶工程において記憶された温度情報と前記温度測定工程において測定された温度とに基づいて、前記各充電部が前記複数回の定電流充電によって対応する二次電池へ供給する電気量である総通電電気量をそれぞれ設定する通電電気量設定工程とをさらに含むようにしてもよい。
【０２１７】
二次電池の成層化は、温度条件によって程度が異なる。そして、各二次電池が曝される温度条件には、発熱体と二次電池との位置関係等の影響によって、差異が生じる。そこで、これらの構成によれば、各二次電池の温度条件が、実際に各二次電池が曝される温度と温度測定部による温度測定工程で測定される温度との関係を示す温度情報として予め記憶されており、この温度情報と実際に測定された温度とに基づいて、各充電部が前記複数回の定電流充電によって対応する二次電池へ供給する電気量である総通電電気量がそれぞれ設定される。ここで、総通電電気量が多いほど、充電所要時間が長くなって成層化の解消効果が増大するから、各二次電池が曝される温度条件の差異に起因して生じる成層化を低減することが容易となる。
【０２１８】
また、前記温度情報は、前記温度測定部によって測定される実測温度と前記各二次電池の内部温度との温度差を、当該各二次電池について示す情報であり、前記通電電気量設定部は、前記温度情報記憶部に記憶されている温度情報において、前記内部温度が前記実測温度より高い値を示す二次電池について、前記温度測定部によって測定された実測温度に前記温度情報で示される温度差を加算することによって、当該二次電池の内部温度を推定し、前記温度情報記憶部に記憶されている温度情報において、前記内部温度が前記実測温度より低い値を示す二次電池について、前記温度測定部によって測定された実測温度から前記温度情報で示される温度差を減算することによって、当該二次電池の内部温度を推定し、当該推定された内部温度が高い二次電池ほど前記総通電電気量を減少させるように、前記各総通電電気量を設定することが好ましい。
【０２１９】
この構成によれば、内部温度が実測温度より高い値を示す二次電池については、温度測定部によって測定された実測温度に温度情報で示される温度差が加算されて、当該二次電池の内部温度が推定される。また、内部温度が実測温度より低い値を示す二次電池については、温度測定部によって測定された実測温度から温度情報で示される温度差が減算されて、当該二次電池の内部温度が推定される。そして、推定された内部温度が高い二次電池ほど、すなわち成層化の程度が軽いと考えられる二次電池ほど、総通電電気量が減少されて充電所要時間が短縮され、成層化の低減効果が減少される一方、推定された内部温度が低い二次電池ほど、すなわち成層化が進んでいると考えられる二次電池ほど、総通電電気量が増大されて充電所要時間が長くされ、成層化の低減効果が増大されるように、各総通電電気量が設定される。その結果、各二次電池間における成層化の程度のバラツキが低減される。
【０２２０】
また、前記通電電気量設定部は、前記各充電部によって実行される多段定電流充電における前記複数回の定電流充電において、前記充電終止電圧を低下させることで前記総通電電気量を減少させ、前記充電終止電圧を上昇させることで前記総通電電気量を増大させることによって、前記総通電電気量を設定することが好ましい。
【０２２１】
この構成によれば、通電電気量設定部は、各充電部によって実行される各定電流充電で用いられる充電終止電圧を低下させることで総通電電気量を減少させ、充電終止電圧を上昇させることで総通電電気量を増大させることで、総通電電気量を設定することができる。
【０２２２】
また、前記通電電気量設定部は、前記各二次電池の予め設定された基準温度Ｔ０における満充電電圧をＶｆ、温度と満充電電圧との関係を表す温度係数をｋ、前記温度測定部によって測定された実測温度をＴｒ、前記温度情報によって示される温度差をＴｄとした場合、下記の式（Ａ）を用いて、前記充電終止電圧Ｖｅを算出し、設定することが好ましい。
【０２２３】
Ｖｅ＝Ｖｆ−ｋ×（Ｔｒ＋Ｔｄ−Ｔ０）  ・・・（Ａ）
【０２２４】
この構成によれば、通電電気量設定部は、式（Ａ）を用いて充電終止電圧Ｖｅを算出、設定することで、各二次電池が曝される温度条件が反映された温度差Ｔｄが大きいほど総通電電気量を減少させて充電所要時間を短縮することができるので、各二次電池間における成層化の程度のバラツキを低減することが可能となる。
【０２２５】
また、前記通電電気量設定部は、前記各充電部によって実行される多段定電流充電における前記複数回の定電流充電において、前記充電終止電圧を低下させることで前記総通電電気量を減少させ、前記充電終止電圧を上昇させることで前記総通電電気量を増大させることによって、前記総通電電気量を設定することが好ましい。
【０２２６】
この構成によれば、充電終止電圧の設定を変更するだけで、総通電電気量を変化させることができるので、簡素な処理で総通電電気量を変化させることが可能となる。
【０２２７】
また、前記設定期間は、前記各充電部によって、前回、前記多段定電流充電が実行された後、新たに前記多段定電流充電が開始されるまでの期間であることが好ましい。
【０２２８】
上述の多段定電流充電が実行されると、上述したように各二次電池相互間での成層化の程度のバラツキが低減される。従って、もし仮に、前回の多段定電流充電の実行前の温度に基づいて総通電電気量を設定すると、既に解消されている成層化の影響まで考慮して総通電電気量が設定されることとなり、実際の各二次電池の成層化の状態が総通電電気量に正しく反映されない。しかしながら、前回、前記多段定電流充電が実行された後、新たに前記多段定電流充電が開始されるまでの期間を設定期間として用いると、前回の多段定電流充電によって解消したと考えられる成層化の影響が、総通電電気量から排除されるので、総通電電気量に成層化の程度を反映させる精度を向上させることができる。
【０２２９】
また、前記各充電部は、前記多段定電流充電において繰り返される定電流充電のうち、最後に実行される定電流充電を、前記二次電池の端子電圧に関わらず、所定の補充電時間の間、継続することが好ましい。
【０２３０】
また、前記充電工程における多段定電流充電において繰り返される定電流充電のうち、最後に実行される定電流充電を、前記二次電池の端子電圧に関わらず、所定の補充電時間の間、継続する補充電工程をさらに含むようにしてもよい。
【０２３１】
設定電流値、すなわち充電電流値は、多段定電流充電において定電流充電を繰り返す都度減少されるから、最後の定電流充電における充電電流は微少な値となり、充電に伴う端子電圧の変化が微小となる。そのため、充電終止電圧付近でノイズの影響を受け易く、充電終了条件の判定において、誤判定が生じやすい。そこで、最後に実行する定電流充電を、二次電池の端子電圧に関わらず、所定の補充電時間の間、継続した後に終了することで、微妙な判定が要求される充電終止電圧と端子電圧との比較を実行する必要が無くなり、充電終了条件を誤判定してしまうおそれが低減される。
【０２３２】
また、前記各充電部は、前記多段定電流充電において繰り返される定電流充電のうち、最後に実行される定電流充電を、前記二次電池の端子電圧に関わらず、所定の補充電時間の間、継続し、前記各充電部において用いられる前記各補充電時間を、前記通電電気量設定部によって当該各充電部に対応する二次電池に対応して算出された積分値が増大するほど短くなるように補正する補充電時間補正部をさらに備えることが好ましい。
【０２３３】
この構成によれば、各補充電時間が、積分値が増大するほど短く、すなわち積分値が減少するほど長くなるように補正される。これにより、積分値が小さく、すなわち成層化が進んで充電効率が低下していると考えられる場合ほど、最後の定電流充電の充電時間が長くなって、二次電池に充電される電気量が増大するので、各二次電池間における実際に充電される充電電気量のバラツキが低減される。
【０２３４】
また、前記各充電部は、前記多段定電流充電において繰り返される定電流充電のうち、最後に実行される定電流充電を、前記二次電池の端子電圧に関わらず、所定の補充電時間の間、継続し、前記各充電部において用いられる前記各補充電時間を、前記通電電気量設定部によって当該各充電部に対応する二次電池に対応して取得された最大値が増大するほど短くなるように補正する補充電時間補正部をさらに備えるようにしてもよい。
【０２３５】
この構成によれば、各補充電時間が、前記最大値が増大するほど短く、すなわち前記最大値が減少するほど長くなるように補正される。これにより、前記最大値が小さく、すなわち成層化が進んで充電効率が低下していると考えられる場合ほど、最後の定電流充電の充電時間が長くなって、二次電池に充電される電気量が増大するので、各二次電池間における実際に充電される充電電気量のバラツキが低減される。
【０２３６】
また、前記各充電部は、前記多段定電流充電において繰り返される定電流充電のうち、最後に実行される定電流充電を、前記二次電池の端子電圧に関わらず、所定の補充電時間の間、継続し、前記各充電部において用いられる前記各補充電時間を、前記通電電気量設定部によって推定された内部温度が上昇するほど短くなるように補正する補充電時間補正部をさらに備えることが好ましい。
【０２３７】
この構成によれば、各補充電時間が、各二次電池の内部温度の推定値が高いほど短く、当該内部温度の推定値が低いほど長くなるように補正される。これにより、内部温度が低く、すなわち成層化が進んで充電効率が低下していると考えられる場合ほど、最後の定電流充電の充電時間が長くなって、二次電池に充電される電気量が増大するので、各二次電池間における実際に充電される充電電気量のバラツキが低減される。
【０２３８】
また、前記多段定電流充電において繰り返される定電流充電のうち、最初に実行される定電流充電の継続時間を、前記各二次電池についてそれぞれ計時する計時部と、前記各二次電池に対して前記最初に実行される定電流充電の継続時間と当該充電対象の二次電池を満充電にするために必要な通電電気量とを対応させて記憶する第２記憶部と、前記第２記憶部によって、前記計時部によって計時された各二次電池についての前記最初に実行される定電流充電の継続時間と対応付けて記憶されている通電電気量を、前記多段定電流充電において前記各二次電池に供給するべき通電電気量の目標値である目標通電電気量として取得する目標通電電気量取得部と、前記多段定電流充電が開始されてから前記最後に実行される定電流充電が開始される前までに、前記各充電部によって各二次電池へ供給された通電電気量をそれぞれ検出する通電電気量検出部と、前記目標通電電気量取得部によって取得された目標通電電気量と前記通電電気量検出部によって検出された通電電気量との差を、前記最後に実行される定電流充電における設定電流値で除算することにより、前記補充電時間を算出する補充電時間算出部とをさらに備えることが好ましい。
【０２３９】
二次電池に充電されている充電電気量と、最初に実行される定電流充電の継続時間との間には相関関係がある。そこで、最初に実行される定電流充電の継続時間と二次電池を満充電にするために必要な通電電気量とを対応させて第２記憶部に記憶させておく。そして、第２記憶部によって各二次電池についての最初に実行される定電流充電の継続時間と対応付けて記憶されている通電電気量が、目標通電電気量取得部によって、多段定電流充電において各二次電池に供給するべき通電電気量の目標値である目標通電電気量として得られる。さらに、目標通電電気量取得部によって取得された目標通電電気量と通電電気量検出部によって検出された通電電気量との差が、補充電時間算出部によって、最後に実行される定電流充電における設定電流値で除算されて、補充電時間が算出される。
【０２４０】
そうすると、多段定電流充電全体で二次電池に供給される通電電気量が、目標通電電気量になるように、最後に実行される定電流充電の充電時間が設定される。そして、目標通電電気量は、二次電池を満充電にするために必要な通電電気量として得られたものであるから、二次電池を精度よく満充電にすることが可能となる。
【産業上の利用可能性】
【０２４１】
本発明に係る鉛蓄電池の制御方法および電源システムは、運搬車両の動力源等の目的で制御弁式鉛蓄電池からなる組電池を構成して寒冷地で使用する場合などに適しており、産業の発展に与える影響は大きい。
【図１】
2010079563.tif 000003
【図２】
2010079563.tif 000004
【図３】
2010079563.tif 000005
【図４】
2010079563.tif 000006
【図５】
2010079563.tif 000007
【図６】
2010079563.tif 000008
【図７】
2010079563.tif 000009
【図８】
2010079563.tif 000010
【図９】
2010079563.tif 000011
【図１０】
2010079563.tif 000012
【図１１】
2010079563.tif 000013
【図１２】
2010079563.tif 000014
【図１３】
2010079563.tif 000015
【図１４】
2010079563.tif 000016
【図１５】
2010079563.tif 000017
【図１６】
2010079563.tif 000018
【図１７】
2010079563.tif 000019
【図１８】
2010079563.tif 000020
【図１９】
2010079563.tif 000021
【図２０】
2010079563.tif 000022
【図２１】
2010079563.tif 000023
【図２２】
2010079563.tif 000024
【図２３】
2010079563.tif 000025
【図２４】
2010079563.tif 000026
【図２５】
2010079563.tif 000027
【図２６】
2010079563.tif 000028
【図２７】
2010079563.tif 000029
【図２８】
2010079563.tif 000030
【図２９】
2010079563.tif 000031
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
互いに対向配置された板状の正極と負極との間に、電解液を含浸するセパレータが配設された電池である制御弁式鉛蓄電池を用いた二次電池が複数並列接続された組電池と、
前記各二次電池に対応して設けられ、対応する二次電池をそれぞれ充電する複数の充電部とを備え、
前記各充電部は、
それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させる多段定電流充電を実行する電池充電システム。
【請求項２】
前記二次電池は、
複数の制御弁式鉛蓄電池が直列接続されて構成されている
請求項１記載の電池充電システム。
【請求項３】
前記正極及び負極における、活物質で覆われた部分の重力方向の長さが、１００ｍｍ以上である請求項１又は２記載の電池充電システム。
【請求項４】
前記各二次電池の温度をそれぞれ測定する複数の温度測定部と、
前記多段定電流充電の実行開始前における予め設定された設定期間において前記各温度測定部によって測定された各温度に基づいて、前記各充電部が前記複数回の定電流充電を実行することにより対応する二次電池へ供給する電気量である総通電電気量をそれぞれ設定する通電電気量設定部とをさらに備える請求項１〜３のいずれか１項に記載の電池充電システム。
【請求項５】
前記通電電気量設定部は、
前記各温度測定部によって測定される各温度の、前記設定期間における積算値を前記各二次電池にそれぞれ対応して算出し、当該積算値が大きい二次電池ほど前記総通電電気量を減少させるように、当該各総通電電気量を設定する請求項４記載の電池充電システム。
【請求項６】
前記通電電気量設定部は、
前記各温度測定部によって測定される各温度の、前記設定期間における最大値を前記各二次電池にそれぞれ対応して取得し、当該最大値が大きい二次電池ほど前記総通電電気量を減少させるように、当該各総通電電気量を設定する請求項４記載の電池充電システム。
【請求項７】
前記二次電池の各温度を示す情報と、前記総通電電気量に関する情報とを対応付けて記憶する第１記憶部をさらに備え、
前記通電電気量設定部は、
前記第１記憶部によって、前記各温度測定部によって測定された各温度と対応付けて記憶されている総通電電気量に関する情報に応じて、前記各総通電電気量を設定する請求項４記載の電池充電システム。
【請求項８】
前記積算値と、前記総通電電気量に関する情報とを対応付けて記憶する第１記憶部をさらに備え、
前記通電電気量設定部は、
前記第１記憶部によって、前記積算値と対応付けて記憶されている総通電電気量に関する情報に応じて、当該積算値が大きい二次電池ほど前記総通電電気量を減少させるように、当該各総通電電気量を設定する請求項５記載の電池充電システム。
【請求項９】
前記最大値と、前記総通電電気量に関する情報とを対応付けて記憶する第１記憶部をさらに備え、
前記通電電気量設定部は、
前記第１記憶部によって、前記最大値と対応付けて記憶されている総通電電気量に関する情報に応じて、当該最大値が大きい二次電池ほど前記総通電電気量を減少させるように、当該各総通電電気量を設定する請求項６記載の電池充電システム。
【請求項１０】
前記複数の二次電池に関する温度を測定する温度測定部と、
前記各二次電池が曝される温度と前記温度測定部によって測定される温度との関係を示す温度情報を、予め記憶する温度情報記憶部と、
前記温度情報記憶部に記憶されている温度情報と前記温度測定部によって測定された温度とに基づいて、前記各充電部が前記複数回の定電流充電によって対応する二次電池へ供給する電気量である総通電電気量をそれぞれ設定する通電電気量設定部とをさらに備える請求項１〜３のいずれか１項に記載の電池充電システム。
【請求項１１】
前記温度情報は、
前記温度測定部によって測定される実測温度と前記各二次電池の内部温度との温度差を、当該各二次電池について示す情報であり、
前記通電電気量設定部は、
前記温度情報記憶部に記憶されている温度情報において、前記内部温度が前記実測温度より高い値を示す二次電池について、前記温度測定部によって測定された実測温度に前記温度情報で示される温度差を加算することによって、当該二次電池の内部温度を推定し、前記温度情報記憶部に記憶されている温度情報において、前記内部温度が前記実測温度より低い値を示す二次電池について、前記温度測定部によって測定された実測温度から前記温度情報で示される温度差を減算することによって、当該二次電池の内部温度を推定し、当該推定された内部温度が高い二次電池ほど前記総通電電気量を減少させるように、前記各総通電電気量を設定する請求項１０記載の電池充電システム。
【請求項１２】
前記通電電気量設定部は、
前記各充電部によって実行される多段定電流充電における前記複数回の定電流充電において、前記充電終止電圧を低下させることで前記総通電電気量を減少させ、前記充電終止電圧を上昇させることで前記総通電電気量を増大させることによって、前記総通電電気量を設定する請求項１１記載の電池充電システム。
【請求項１３】
前記通電電気量設定部は、
前記各二次電池の予め設定された基準温度Ｔ０における満充電電圧をＶｆ、温度と満充電電圧との関係を表す温度係数をｋ、前記温度測定部によって測定された実測温度をＴｒ、前記温度情報によって示される温度差をＴｄとした場合、下記の式（Ａ）を用いて、前記充電終止電圧Ｖｅを算出し、設定するものである
Ｖｅ＝Ｖｆ−ｋ×（Ｔｒ＋Ｔｄ−Ｔ０）  ・・・（Ａ）
請求項１２記載の電池充電システム。
【請求項１４】
前記通電電気量設定部は、
前記各充電部によって実行される多段定電流充電における前記複数回の定電流充電において、前記充電終止電圧を低下させることで前記総通電電気量を減少させ、前記充電終止電圧を上昇させることで前記総通電電気量を増大させることによって、前記総通電電気量を設定する請求項５〜１０のいずれか１項に記載の電池充電システム。
【請求項１５】
前記設定期間は、
前記各充電部によって、前回、前記多段定電流充電が実行された後、新たに前記多段定電流充電が開始されるまでの期間である請求項４〜９のいずれか１項に記載の電池充電システム。
【請求項１６】
前記各充電部は、
前記多段定電流充電において繰り返される定電流充電のうち、最後に実行される定電流充電を、前記二次電池の端子電圧に関わらず、所定の補充電時間の間、継続する請求項１〜１５のいずれか１項に記載の電池充電システム。
【請求項１７】
前記各充電部は、
前記多段定電流充電において繰り返される定電流充電のうち、最後に実行される定電流充電を、前記二次電池の端子電圧に関わらず、所定の補充電時間の間、継続し、
前記各充電部において用いられる前記各補充電時間を、前記通電電気量設定部によって当該各充電部に対応する二次電池に対応して算出された積算値が増大するほど短くなるように補正する補充電時間補正部をさらに備える請求項５又は８に記載の電池充電システム。
【請求項１８】
前記各充電部は、
前記多段定電流充電において繰り返される定電流充電のうち、最後に実行される定電流充電を、前記二次電池の端子電圧に関わらず、所定の補充電時間の間、継続し、
前記各充電部において用いられる前記各補充電時間を、前記通電電気量設定部によって当該各充電部に対応する二次電池に対応して取得された最大値が増大するほど短くなるように補正する補充電時間補正部をさらに備える請求項６又は９に記載の電池充電システム。
【請求項１９】
前記各充電部は、
前記多段定電流充電において繰り返される定電流充電のうち、最後に実行される定電流充電を、前記二次電池の端子電圧に関わらず、所定の補充電時間の間、継続し、
前記各充電部において用いられる前記各補充電時間を、前記通電電気量設定部によって推定された内部温度が上昇するほど短くなるように補正する補充電時間補正部をさらに備える請求項１１〜１３のいずれか１項に記載の電池充電システム。
【請求項２０】
前記多段定電流充電において繰り返される定電流充電のうち、最初に実行される定電流充電の継続時間を、前記各二次電池についてそれぞれ計時する計時部と、
前記各二次電池に対して前記最初に実行される定電流充電の継続時間と当該充電対象の二次電池を満充電にするために必要な通電電気量とを対応させて記憶する第２記憶部と、
前記第２記憶部によって、前記計時部によって計時された各二次電池についての前記最初に実行される定電流充電の継続時間と対応付けて記憶されている通電電気量を、前記多段定電流充電において前記各二次電池に供給するべき通電電気量の目標値である目標通電電気量として取得する目標通電電気量取得部と、
前記多段定電流充電が開始されてから前記最後に実行される定電流充電が開始される前までに、前記各充電部によって各二次電池へ供給された通電電気量をそれぞれ検出する通電電気量検出部と、
前記目標通電電気量取得部によって取得された目標通電電気量と前記通電電気量検出部によって検出された通電電気量との差を、前記最後に実行される定電流充電における設定電流値で除算することにより、前記補充電時間を算出する補充電時間算出部とをさらに備える請求項１６〜１９のいずれか１項に記載の電池充電システム。
【請求項２１】
互いに対向配置された板状の正極と負極との間に、電解液を含浸するセパレータが配設された電池である制御弁式鉛蓄電池を用いた二次電池が複数並列接続された組電池の充電方法であって、
前記各二次電池に対応して設けられた複数の充電部によって、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させることにより、多段定電流充電を実行する充電工程を含む組電池の充電方法。
【請求項２２】
前記多段定電流充電の実行開始前における予め設定された設定期間において、前記各二次電池の温度をそれぞれ測定する温度測定工程と、
前記温度測定工程によって測定された各温度に基づいて、前記各充電部が前記複数回の定電流充電によって対応する二次電池へ供給する電気量である総通電電気量をそれぞれ設定する通電電気量設定工程とをさらに含む請求項２１記載の組電池の充電方法。
【請求項２３】
前記複数の二次電池に関する温度を測定する温度測定工程と、
前記各二次電池が曝される温度と前記温度測定工程によって測定される温度との関係を示す温度情報を、予め記憶する温度情報記憶工程と、
前記温度情報記憶工程において記憶された温度情報と前記温度測定工程において測定された温度とに基づいて、前記各充電部が前記複数回の定電流充電によって対応する二次電池へ供給する電気量である総通電電気量をそれぞれ設定する通電電気量設定工程とをさらに含む請求項２１記載の組電池の充電方法。
【請求項２４】
前記充電工程における多段定電流充電において繰り返される定電流充電のうち、最後に実行される定電流充電を、前記二次電池の端子電圧に関わらず、所定の補充電時間の間、継続する補充電工程をさらに含む請求項２１〜２３のいずれか１項に記載の組電池の充電方法。
【手続補正２】
【補正対象書類名】明細書
【補正対象項目名】全文
【補正方法】変更
【補正の内容】
【発明の詳細な説明】
【技術分野】
【０００１】
本発明は制御弁式鉛蓄電池からなる組電池の充電方法、及びこのような組電池を充電する電池充電システムに関する。
【背景技術】
【０００２】
二酸化炭素の排出や石油資源の枯渇を抑制する気運が高まる中、鉛蓄電池などの二次電池のみを動力源とする小型車両の開発が嘱望されている。中でも鉛蓄電池は、タフユースに強く適度な重量を有しているため、例えば運搬車両の動力源として有用と考えられる。
【０００３】
鉛蓄電池は過充電の際に電解液（硫酸）における水分が電気分解する。この現象を踏まえ、水の電気分解によって失われる水を補充することを許容する液式鉛蓄電池と、電気分解した酸素ガスを再び水として戻すことで水の補充を不要とした制御弁式鉛蓄電池とがある。これまでフォークリフトなどの運搬車両の動力源としては、水の補充は必要だがタフユースに適した液式鉛蓄電池を用いるのが一般的であった。
【０００４】
複数個の液式鉛蓄電池からなる組電池の構成としては、複数個の液式鉛蓄電池を直列に接続（例えば６０個の電池を直列に接続）するか、複数個の液式鉛蓄電池を直列に接続した直列回路を並列に接続（例えば６個の電池を直列に接続した１０つの直列回路を並列に接続）することになる。
【０００５】
上述した構成で充電することを考えた場合、前者の構成では高電圧仕様の充電装置で充電せざるを得ず、商用電源電圧を高圧化するなどの手間が生じる。一方、後者の構成では低電圧仕様の充電装置で充電できるので、商用電流をそのまま用いることも可能となる。そもそも液式鉛蓄電池は２時間率を超えるような高率で充電すると効率が低下するため、比較的小さな充電電流が用いられる。従って、後者の構成のように、複数の液式鉛蓄電池の直列回路を並列接続した構成において、各直列回路へ並列に充電電流を供給することが比較的容易である。
【０００６】
また、液式鉛蓄電池は、部品抵抗の影響が小さく、従って後者の構成のように複数の液式鉛蓄電池の直列回路を並列接続した場合であっても、各直列回路相互間での抵抗値の差異が小さいので、各回路へ分流する充電電流値の差は無視できる程度に小さくできる。そのため、液式鉛蓄電池の場合、後者の構成を採った場合のデメリットが少なく、前者の構成よりも有利である。
【０００７】
一方、部品抵抗より影響の大きい反応抵抗は、電解液量に反比例するため、電解液量が液式鉛蓄電池より少なくなる制御弁式鉛蓄電池の方が、反応抵抗が大きくなりやすい。そのため、内部抵抗（部品抵抗＋反応抵抗）は制御弁式の方がバラツキやすい。そのため、制御弁式鉛蓄電池は、液式鉛蓄電池と比べて並列での充電に適さない。
【０００８】
したがって、液式鉛蓄電池では、複数の液式鉛蓄電池の直列回路を並列接続して各液式鉛蓄電池を並列に充電することで、良好な充電が可能である。そのため、液式鉛蓄電池からなる直列回路を並列接続した組電池の充電方法として、各々の直列回路を並列にした状態でそれぞれに充電装置を接続し、各直列回路の充電を個別に制御して充電するような方法（例えば特許文献１）は、煩雑な上に、かえってそれぞれの充電装置の定格電流範囲内での誤差によって直列回路ごとに充電容量がばらつく虞があるため、忌避されてきた。
【先行技術文献】
【特許文献】
【０００９】
【特許文献１】特開昭５５−０５３１４０号公報
【発明の概要】
【発明が解決しようとする課題】
【００１０】
ところが近年、２４時間稼動の工場でフォークリフトなどの運搬車両を連続使用する機会が増すにつれ、水の補充が不要な制御弁式鉛蓄電池が動力源として嘱望されるようになった。これに応えるべく、複数個の制御弁式鉛蓄電池を直列に接続した直列回路を並列に接続した組電池を構成したところ、充電を繰返すことにより著しい容量低下が見られることがわかった。
【００１１】
本発明の目的は、制御弁式鉛蓄電池を用いた組電池を、繰り返し充電した際の容量低下を低減することができる組電池の充電方法、及び電池充電システムを提案することである。
【課題を解決するための手段】
【００１２】
本発明の一局面に従う電池充電システムは、互いに対向配置された板状の正極と負極との間に、電解液を含浸するセパレータが配設された電池である制御弁式鉛蓄電池を用いた二次電池が複数並列接続された組電池と、前記各二次電池に対応して設けられ、対応する二次電池をそれぞれ充電する複数の充電部とを備え、前記各充電部は、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させる多段定電流充電を実行する。
【００１３】
また、本発明の一局面に従う組電池の充電方法は、互いに対向配置された板状の正極と負極との間に、電解液を含浸するセパレータが配設された電池である制御弁式鉛蓄電池を用いた二次電池が複数並列接続された組電池の充電方法であって、前記各二次電池に対応して設けられた複数の充電部によって、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させることにより、多段定電流充電を実行する充電工程を含む。
【００１４】
この構成によれば、制御弁式鉛蓄電池を用いた二次電池が複数並列接続された組電池を多段定電流充電する際に、各二次電池は、端子電圧が所定の充電終止電圧になるまで所定の設定電流値の電流を供給する定電流充電が、充電電流値を都度減少させつつ複数回繰り返される。そうすると、充電電流値が大きい初期の定電流充電においては、成層化が進んでいる（成層化が重篤な）二次電池の方が、成層化が進んでいない（成層化が軽度な）二次電池よりも端子電圧の上昇が早いため、短時間で定電流充電が終了する。
【００１５】
そして、大きな電流値で充電する初期の定電流充電が短時間で終了すると、多段定電流充電初期の定電流充電によって成層化が重篤な二次電池の充電される電気量は、成層化が軽度な二次電池より少なくなるため、成層化が重篤な二次電池では、その不足分が多段定電流充電末期の充電電流値が小さい定電流充電によって充電されることとなる。そうすると、成層化が重篤な二次電池は、成層化が軽度な二次電池よりも少ない電流値で充電される期間が長くなるから、多段定電流充電による充電時間全体が、成層化が軽度な二次電池よりも長くなる。従って、成層化が重篤なものは充電時間が長くなり、成層化が軽度なものは充電時間が短くなる。
【００１６】
ここで、成層化は、充電時間が長いほど解消されるので、並列接続された複数の二次電池相互間において、成層化の程度にバラツキがあったとしても、成層化が重篤なものの方が、成層化が軽度なものよりも充電時間が長くなって成層化がより多く解消される結果、成層化の程度のバラツキが低減される。そして、各二次電池間の、成層化のバラツキが低減されることによって、最も成層化が重篤な制御弁式鉛蓄電池におけるその成層化の程度が軽減される結果、成層化に起因して電池容量が減少するおそれが低減される。そうすると、組電池全体の電池容量が減少するおそれも低減される。
【発明の効果】
【００１７】
本発明によれば、制御弁式鉛蓄電池を用いた組電池を、繰り返し充電した際の容量低下を低減することができる。
【図面の簡単な説明】
【００１８】
【図１】本発明に係る組電池の充電方法が適用された電池充電システムの第１実施形態を表すブロック図である。
【図２】図１に示す充電装置の構成の一例を示すブロック図である。
【図３】図１に示す制御弁式鉛蓄電池の一例を示す構成図である。
【図４】図３に示す正極板、及び負極板の一例を示す構造図である。
【図５】図１に示す充電装置の動作の一例を示すフローチャートである。
【図６】ｎ段定電流充電における二次電池ごとの充電挙動を表す模式図であって、図６Ａは成層化の度合が軽度な二次電池の挙動を、図６Ｂは成層化の度合が重篤な二次電池の挙動を示すものである。
【図７】制御弁式鉛蓄電池における正極および負極の高さと充電受け入れ性との相関を示す図である。
【図８】本発明の第３実施形態に係る電池充電システムの一例を示すブロック図である。
【図９】図８に示す充電装置の構成の一例を示すブロック図である。
【図１０】図８に示す処理部による熱履歴値の算出動作の一例を示すフローチャートである。
【図１１】図８に示す処理部による熱履歴値の算出動作の一例を示すフローチャートである。
【図１２】図９に示す充電装置の動作の一例を示すフローチャートである。
【図１３】図９に示す充電装置の動作の一例を示すフローチャートである。
【図１４】図８に示す充電装置による充電に伴う二次電池の端子電圧Ｖと、充電電流Ｉの変化の一例を示す説明図である。
【図１５】図８に示す充電装置による充電に伴う二次電池の端子電圧Ｖと、充電電流Ｉの変化の一例を示す説明図である。
【図１６】ｎ段定電流充電における二次電池ごとの充電挙動を表す模式図であって、（ａ）は成層化の度合が重篤な二次電池の挙動を、（ｂ）は成層化の度合が軽微な二次電池の挙動を示すものである。
【図１７】本発明の第４実施形態に係る電池充電システムの一例を示すブロック図である。
【図１８】図１７に示す充電装置の構成の一例を示すブロック図である。
【図１９】各二次電池の配設状態の一例を示す説明図である。
【図２０】記憶部に記憶されている温度情報の一例について説明するための説明図である。
【図２１】処理部によって、各二次電池に対応して設定される充電終止電圧の一例を示す説明図である。
【図２２】各二次電池の配設状態の他の一例を示す説明図である。
【図２３】記憶部に記憶されている温度情報の一例について説明するための説明図である。
【図２４】処理部によって、各二次電池に対応して設定される充電終止電圧の一例を示す説明図である。
【図２５】図１７に示す処理部の動作の一例を示すフローチャートである。
【図２６】図１８に示す充電装置の動作の一例を示すフローチャートである。
【図２７】図１８に示す充電装置の動作の一例を示すフローチャートである。
【図２８】図１８に示す充電装置による充電に伴う二次電池の端子電圧Ｖと、充電電流Ｉの変化の一例を示す説明図である。
【図２９】図１８に示す充電装置による充電に伴う二次電池の端子電圧Ｖと、充電電流Ｉの変化の一例を示す説明図である。
【発明を実施するための形態】
【００１９】
以下に、本発明を実施するための最良の形態について、図を用いて説明する。なお、各図において同一の符号を付した構成は、同一の構成であることを示し、その説明を省略する。
【００２０】
ところで、鉛蓄電池の充電反応は、正極および負極の放電生成物である硫酸鉛を二酸化鉛または海綿状鉛に戻す反応であり、その際に、硫酸を生成する。生成された硫酸は、一時的に活物質の周辺における電解液の濃度を上昇させる。濃度の高い電解液は周りの電解液より比重が重いため、重力により電池の下部へ沈降する。
【００２１】
その結果、電池の下部で電解液の濃度が高くなり、上部で電解液の濃度が低くなる現象（以下、成層化と称する）が起こる。成層化によって硫酸の濃度が高くなった電解液の中では、一般にサルフェーションと呼ばれる硫酸鉛の結晶の粗大化と硫酸鉛結晶の蓄積が起こり、活物質の充電受入性が低下する。この現象を把握せずに無作為な充電を繰返すと、電池容量が急激に低下して短寿命となる。
【００２２】
発明者らが鋭意検討した結果、上述した成層化は、制御弁式鉛蓄電池の置かれる環境温度に相応して度合が変化することを知見した。具体的には、環境温度が低い場合、成層化は以下のように推測される理由によって顕著化しやすくなる。
【００２３】
すなわち、充電末期に正極から発生した酸素ガスは、正極活物質の孔の中に含まれる電解液と置換されることによって、この電解液を外側（セパレータ側）へと押し出すとともに、正極の表面から離脱した酸素ガスの気泡の一部は、電解液を含浸したセパレータ内を上昇して電解液を攪拌し、電解液の成層化を解消するものと考えられる。制御弁式鉛蓄電池は液式鉛蓄電池と比べて成層化の発生量は少ないものの、酸素ガスによって攪拌される電解液の量も少ないために上述した成層化の解消の効果も得られにくい。
【００２４】
加えて環境温度が低い（例えば１０℃未満）場合、環境温度が高い（例えば４０℃超過）場合と比較して充電末期における正極での酸素ガス発生量はさらに少なく、前記した成層化の解消作用が十分に得られなくなる。組電池に用いられる数が多くかつ短時間での充電を要求される制御弁式鉛蓄電池において、液式鉛蓄電池と比べて成層化は僅かであっても、組電池全体に与える影響は大きい。
【００２５】
また、液式鉛蓄電池に比べて、制御弁式鉛蓄電池の方が、環境温度が電池の劣化に与える影響が大きいことがわかった。１つは、温度に関わらず同じ充電終止電圧条件で充電すれば、高温になるほど充電終止電圧に到達するまでの時間が長くなり、すなわち充電電気量が多くなり、過充電が進んで水の電気分解が多量に起ることで電解液が高濃度になる。電解液が高濃度になると、正極格子の腐食が促進され、短寿命となる。制御弁式鉛蓄電池では、液式鉛蓄電池のように、補水と充電により電解液濃度を均等にする、ということができない。
【００２６】
そのため、複数の制御弁式鉛蓄電池を用いた組電池では、各制御弁式鉛蓄電池の温度にバラツキが生じると、各制御弁式鉛蓄電池における成層化の程度にもバラツキが生じる。そして、成層化の程度がバラついたまま各制御弁式鉛蓄電池を同じように充放電させると、成層化が進んだ制御弁式鉛蓄電池においてサルフェーションが起こり、活物質の充電受入性が低下し、その制御弁式鉛蓄電池の電池容量が減少する。そうすると、組電池全体の電池容量も減少する。
【００２７】
特に、制御弁式鉛蓄電池が複数直列接続されている場合には、その直列回路に含まれる制御弁式鉛蓄電池のうち最も電池容量が減少した制御弁式鉛蓄電池によって、直列回路全体の充放電可能な電気量が制限されてしまうので、成層化のバラツキにより生じる電池容量の減少が、さらに顕著となる。
【００２８】
本発明はこれらの知見に基づいてなされたものであって、複数個の制御弁式鉛蓄電池（二次電池）を並列に接続して負荷に接続する組電池、特に複数個の制御弁式鉛蓄電池を直列に接続した直列回路（二次電池）を並列に接続して負荷に接続する組電池において、下記の構成を採用することで、以下に示す効果が得られるようになる。
【００２９】
第１に、各々の二次電池（二次電池）にそれぞれ充電装置を接続することで、環境温度が異なるそれぞれの二次電池に合わせて充電できるようになる。前述したように、各々の二次電池にそれぞれ充電装置を接続すれば、それぞれの充電装置の定格電流範囲内での誤差によって二次電池ごとに充電電気量がばらつく虞がある。しかしながら、液式鉛蓄電池の場合とは異なり、制御弁式鉛蓄電池からなる二次電池では、環境温度が異なる（すなわち成層化の度合が異なる）状況で並列に接続して１つの充電装置で充電する方が、充電装置の精度バラツキよりも、充電電気量のばらつきは大きくなる。
【００３０】
第２に、充電装置のそれぞれが各々の二次電池の充電電圧を検出してｎ段（多段）定電流充電を行うことで、以下に挙げる効果が得られる。
【００３１】
まず、成層化によって電解液である硫酸の濃度は電池の下部ほど高くなるものの、正極および負極のタブ（集電部）は電池の上部に設けられているので充電反応（放電生成物である硫酸鉛から硫酸成分が電解液に戻る反応）は電池の上部ほど進行しやすく（電池の上部ほど硫酸が電解液に戻されやすく）なる。成層化を着実に解消するためには時間を掛けて徐々に電池の上部から硫酸を電解液に戻す方が好ましいが、充電時間を短縮するためには公知のｎ段定電流充電（二次電池の充電電圧が所定の制御電圧に上昇して到達した時点で、段階的に電流値を小さくしていく充電）を適用することが好ましい。
【００３２】
ところが充電装置のそれぞれが各々の二次電池の充電電圧を検出してｎ段定電流充電を行うことで、成層化が著しい二次電池ほど充電所要時間が延びることになる。すなわち成層化が著しい二次電池は他の二次電池と比較して内部抵抗が高くなるため、充電開始直後の１段目の充電（最も電流値が大きい）において充電電圧が制御値に早く到達する一方、充電電流が徐々に小さくなる２段目以降の充電電気量が多くなり、結果として他の二次電池と比較して充電所要時間が延びる。
【００３３】
このように成層化が起こりやすい二次電池では充電所要時間に比例して成層化が着実に解消されるのだが、成層化が起こりにくい二次電池では充電所要時間が短いために成層化が十分に解消されない。この差によって結果的に各二次電池相互間の成層化の度合が揃うようになり、二次電池ごとの充電電気量の差に起因する不具合（過放電および次の充電における充電容量ばらつき）が軽減される。この第２の効果は、成層化が著しい制御弁式鉛蓄電池に対して、本発明に係る充電方法を適用した場合に特有の効果と考えられる。
【００３４】
以下、本発明に係る具体的な実施形態について、説明する。
【００３５】
（第１実施形態）
本発明の第１実施形態に係る組電池の充電方法、及び電池充電システムは、例えば複数個の制御弁式鉛蓄電池を直列に接続した直列回路（二次電池）を並列に接続して負荷に接続する組電池の充電方法を用いる。この充電方法は、各々の直列回路にそれぞれ充電装置を接続し、充電装置のそれぞれが各々の直列回路の充電電圧を検出して、電流値をｎ−１（但しｎは２以上の整数）回変化させて定電流充電を複数回繰り返すｎ段定電流充電を行う。
【００３６】
図１は本発明に係る組電池の充電方法が適用された電池充電システムの第１実施形態を表すブロック図である。図１に示す電池充電システム１００は、二次電池１ａ，１ｂと、充電装置（充電部）２ａ，２ｂと、ダイオード３ａ，３ｂ，４ａ，４ｂとを備えている。二次電池１ａ，１ｂは、それぞれ複数の制御弁式鉛蓄電池Ｂが直列接続されて構成されている。そして、電池充電システム１００の外部に負荷５が接続されるようになっている。
【００３７】
複数の制御弁式鉛蓄電池からなる二次電池１ａは、同様の構成からなる二次電池１ｂと並列に接続され、組電池を構成している。二次電池１ａと１ｂとにはそれぞれ、個別に充電装置２ａと２ｂとが接続されている。放電の際にはダイオード３ａおよび３ｂを介して二次電池１ａおよび１ｂから電流が負荷５に供給される。充電の際にはダイオード３ａおよび３ｂが閉じる一方でダイオード４ａおよび４ｂを介して充電装置２ａおよび２ｂから電流が二次電池１ａおよび１ｂに供給される。
【００３８】
図２は、図１に示す充電装置２ａ，２ｂの構成の一例を示すブロック図である。図２に示す充電装置２ａ，２ｂは、例えばアナログデジタルコンバータ等を用いて構成され、二次電池１ａ，１ｂの端子電圧を検出する電圧検出部２２と、二次電池１ａ，１ｂを充電するための充電電流を出力する定電流回路２３と、制御部２１とを備えて構成されている。定電流回路２３は、例えばスイッチング電源回路等によって構成されている。
【００３９】
制御部２１は、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、その周辺回路等とを備えて構成されている。そして、制御部２１は、例えばＲＯＭに記憶された制御プログラムを実行することにより、充電制御部２１１として機能する。
【００４０】
充電制御部２１１は、電圧検出部２２によって検出された二次電池１ａ，１ｂの端子電圧Ｖに応じて、定電流回路２３の出力電流値を制御する。
【００４１】
なお、並列接続されている二次電池の数や、これに対応する充電装置の数は、複数であればよく、２個に限らない。また、二次電池１ａ，１ｂは、複数の制御弁式鉛蓄電池Ｂが直列接続されたものに限られず、それぞれ１個の制御弁式鉛蓄電池Ｂから構成されていてもよい。以下、二次電池の数、及び充電装置の数が２個である場合を例に、説明する。
【００４２】
図３は、図１に示す制御弁式鉛蓄電池Ｂの一例を示す構成図であり、ポリプロピレン樹脂よりなる電槽Ｂ１には複数のセルＢ２が同一方向に連接されて構成されている。各セルＢ２には、正極板Ｂ３、負極板Ｂ４がガラス繊維を主体とするセパレータＢ５を介して積層されている。そして、同極性の極板同士がストラップＢ６によって一体化された極板群Ｂ７が電槽Ｂ１に収納されている。
【００４３】
この極板群Ｂ７は、隔壁Ｂ８を介して接続体Ｂ９により隣接セルの極板群と接続されている。さらに、電槽Ｂ１の上部には各セルからの排気構造Ｂ１０を有した蓋Ｂ１１が溶着一体化されて、制御弁式鉛蓄電池Ｂが構成されている。また、セパレータＢ５には、電解液が含浸されている。
【００４４】
図４は、図３に示す正極板Ｂ３、及び負極板Ｂ４の一例を示す構造図である。正極板Ｂ３、及び負極板Ｂ４は、格子状の中骨Ｂ３１の上側の一端に、上枠骨Ｂ３２が設けられ、中骨Ｂ３１の下側の一端に、下枠骨Ｂ３３が設けられ、上枠骨Ｂ３２には集電耳部Ｂ３４が連接され、さらに中骨Ｂ３１（及び上枠骨Ｂ３２、下枠骨Ｂ３３の一部）には活物質Ｂ３５が充填（塗布）されて、正極板Ｂ３、及び負極板Ｂ４の一部（大部分）が活物質Ｂ３５で覆われている。
【００４５】
この場合、上枠骨Ｂ３２及び下枠骨Ｂ３３が上下方向となるように正極板Ｂ３、及び負極板Ｂ４を配置すると、図４に示す長さＬが、活物質Ｂ３５で覆われた部分の重力方向の長さとなる。正極板Ｂ３、及び負極板Ｂ４は、長さＬが、例えば１００ｍｍ以上、２００ｍｍ以下にされている。
【００４６】
図５は、図１に示す充電装置２ａの動作の一例、すなわち組電池の充電方法に係る多段（ｎ段）定電流充電の一例を示すフローチャートである。なお、充電装置２ｂは、充電装置２ａと並行して同様に動作するので、その説明を省略する。充電装置２ａ，２ｂは、それぞれが備える充電制御部２１１による制御動作によって、以下の多段定電流充電を実行する。
【００４７】
まず、複数回（ｎ回）の定電流充電で用いられる充電電流値Ｉｃ１〜Ｉｃｎが、例えば充電装置２ａ，２ｂにおける制御部２１のＲＯＭに、予め記憶されている。充電電流Ｉは、１段目の定電流充電が最も電流値（Ｉｃ１）が大きく、２段目の定電流充電において電流値（Ｉｃ２）は電流値（Ｉｃ１）よりも小さくなり、最終のｎ段目の定電流充電が最も電流値（Ｉｃｎ）が小さい。
【００４８】
まず、ステップＳ０１において、充電装置２ａによって、充電電流Ｉが充電電流値Ｉｃ１に設定されて、１段目の定電流充電Ｃ１が開始され、二次電池１ａが充電される。ステップＳ０２において、充電装置２ａに接続された二次電池１ａの電圧Ｖが１段目の充電終止電圧Ｖｅ１以上であるか否かが判断され、ＶがＶｅ１未満であれば（ステップＳ０２でＮＯ）１段目の定電流充電Ｃ１が継続され、Ｖｅ１以上であれば（ステップＳ０２でＹＥＳ）１段目の定電流充電Ｃ１を終止する。
【００４９】
次いでステップＳ０３において、充電装置２ａによって、充電電流Ｉが充電電流値Ｉｃ２に設定されて、２段目の定電流充電Ｃ２が開始される。ステップＳ０４において、接続された二次電池１ａの電圧Ｖが２段目の充電終止電圧Ｖｅ２以上であるか否かが判断され、電圧ＶがＶｅ２未満であれば（ステップＳ０４でＮＯ）２段目の定電流充電Ｃ２が継続され、Ｖｅ２以上であれば（ステップＳ０４でＹＥＳ）２段目の定電流充電Ｃ２を終止する。
【００５０】
このようなステップを繰返した後、ステップＳ０５において、ｎ段目の定電流充電Ｃｎが開始される。ステップＳ０６において、接続された二次電池１ａの電圧Ｖがｎ段目の充電終止電圧Ｖｅｎ以上であるか否かが判断され、電圧ＶがＶｅｎ未満であれば（ステップＳ０６でＮＯ）ｎ段目の定電流充電Ｃｎが継続され、Ｖｅｎ以上であれば（ステップＳ０６でＹＥＳ）ステップＳ０７に移行して充電を終止する。
【００５１】
本発明においては、それぞれの直列回路に接続された充電装置が、個々に上述したｎ段定電流充電を行うことになる。例えば、充電装置２ｂは、二次電池１ｂに対して上述のステップＳ０１〜Ｓ０７と同様の多段定電流充電を実行する。これによる効果は後ほど詳述する。なお同じ段目の充電終止電圧は直列回路ごとに異ならない方が好ましいが、各段目の充電終止電圧Ｖｅ１、Ｖｅ２およびＶｅｎは同じ値であっても異なる値であっても良い。
【００５２】
例えば、各段目の充電終止電圧Ｖｅ１、Ｖｅ２およびＶｅｎを、二次電池１ａ，１ｂの満充電電圧に設定しておけば、二次電池１ａ，１ｂを満充電することができる。以下、充電終止電圧Ｖｅ１〜Ｖｅｎを総称して充電終止電圧Ｖｅと称する。
【００５３】
ここで、鉛蓄電池は、ＳＯＣ（State Of Charge）が増大するほど充電電流が流れることによる劣化が生じやすくなる性質がある。そのため、ＳＯＣが０％に近い状態から満充電に近い状態まで同じ電流値で定電流充電を行おうとすると、満充電に近い充電末期においても鉛蓄電池を劣化させないような小さな電流値で定電流充電を行う必要がある。
【００５４】
しかしながら、図１に示す充電装置２ａ，２ｂのように、段階的に充電電流値を減少させながら多段定電流充電を行うことで、充電初期のＳＯＣが小さいときは、充電末期のＳＯＣが大きいときよりも充電電流値を増大させることができる結果、充電時間を短縮することができる。
【００５５】
図６はｎ段定電流充電における二次電池ごとの充電挙動を表す模式図であって、図６Ａは成層化の度合が軽度な二次電池の挙動を、図６Ｂは成層化の度合が重篤な二次電池の挙動を示すものである。なお図６Ａ、図６Ｂにおける縦軸は充電電流（Ｉ）を示し、横軸は充電所要時間（ｔ）を示す。
【００５６】
成層化の度合が軽度な二次電池は内部抵抗が比較的小さいため、内部抵抗に充電電流が流れることで生じる電圧が小さい。その結果、図６Ａに示すように、大きな充電電流で充電する１段目の定電流充電Ｃ１において、制御値（図５のステップＳ０２におけるＶｅ１）に達するまでの所要時間（Ｃ１）が比較的長い。このように充電電流値が大きな値に設定された１段目の定電流充電Ｃ１にて十分に（長時間）充電された二次電池では、その後の２段目からｎ段目までの定電流充電Ｃ２〜Ｃｎにおける制御値（図５のステップＳ０４におけるＶｅ２、・・・およびステップＳ０６におけるＶｅｎ）に達するまでの所要時間（定電流充電Ｃ２〜Ｃｎの期間）が比較的短くなり、結果的に充電所要時間（Ｃ１＋Ｃ２＋・・・・＋Ｃｎ−１＋Ｃｎ）は、成層化の度合が軽度な二次電池の方が、成層化の度合が重篤な二次電池よりも短くなる。
【００５７】
成層化の度合が重篤な二次電池は内部抵抗が比較的大きいため、内部抵抗に充電電流が流れることで生じる電圧が大きい。その結果、図６Ｂに示すように、大きな充電電流で充電する１段目の定電流充電Ｃ１において、二次電池の端子電圧Ｖが制御値に達するまでの所要時間（Ｃ１）が比較的短い。このように１段目にて十分に充電されなかった二次電池では、電流値が小さくなるにつれて内部抵抗の影響が低下するため、２段目からｎ段目までの定電流充電Ｃ２〜Ｃｎにおける制御値に達するまでの所要時間（定電流充電Ｃ２〜Ｃｎの期間）が比較的長くなり、結果的に充電所要時間（Ｃ１＋Ｃ２＋・・・・＋Ｃｎ−１＋Ｃｎ）は、成層化の度合が重篤な二次電池の方が、成層化の度合が軽度な二次電池よりも長くなる。
【００５８】
例えば、制御弁式鉛蓄電池からなる二次電池１ａに比べて二次電池１ｂが外気に晒されやすい箇所に配置された形で、図１に示す電池充電システム１００が寒冷地において運搬車両の動力源として用いることを想定した場合、二次電池１ｂの方が低温になるから成層化は重篤になる。すなわち二次電池１ａに対する多段定電流充電の実行経過が図６Ａに該当し、二次電池１ｂに対する多段定電流充電の実行経過が図６Ｂに該当するようになり、成層化が軽度な二次電池１ａの方が、成層化が重篤な二次電池１ｂと比較して充電所要時間は短くなる。
【００５９】
成層化を着実に解消するためには、時間を掛けて徐々に電池の上部から硫酸を電解液に戻す方が好ましい。すなわち成層化の解消度合は充電所要時間に比例するのだが、上述したように、電池充電システム１００によれば、成層化が軽度な二次電池１ａの方が、成層化が重篤な二次電池１ｂよりも充電時間が短くなるから、成層化が軽度な二次電池１ａの方が、成層化が重篤な二次電池１ｂよりも成層化の解消作用が小さく、従って成層化の解消が不十分になるのに対して、成層化が重篤な二次電池１ｂの方が、成層化の解消作用が大きくなる。
【００６０】
しかしこのことによって、バラついていた各二次電池間の成層化の度合が揃うようになり、結果的に二次電池ごとの充電電気量の差に起因する不具合、例えば成層化が重篤で充電が不十分な二次電池における過放電や、充放電サイクルを重ねるほど拡がる二次電池ごとの充電電気量ばらつき（特定の二次電池の酷使につながる）などが軽減される。この第２の効果は、成層化が著しい制御弁式鉛蓄電池特有の効果と考えられる。
【００６１】
そして、このようにして各二次電池間の、成層化のバラツキが低減されることによって、最も成層化が進んだ制御弁式鉛蓄電池であってもその成層化の程度が軽減される結果、サルフェーションにより電池容量が減少するおそれが低減される。そうすると、組電池全体の電池容量が減少するおそれも低減される。
【００６２】
なお、多段定電流充電においては、充電電流を減少させる段数を増加させるほど、ＳＯＣに応じて鉛蓄電池を劣化させない最大限度に近い充電電流を、各段の定電流充電において設定することが可能になるから、段数を増加させるほど、充電時間が短くなる。しかしながら、充電時間が短くなると、制御弁式鉛蓄電池における成層化解消の効果が減少してしまう。従って、成層化解消の効果と充電時間短縮効果とのバランスによって、適宜充電電流を減少させる段数（複数回数）を設定することが望ましい。
【００６３】
（第２実施形態）
本発明の第２実施形態に係る組電池の充電方法、及び電池充電システムは、最後に実行する定電流充電Ｃｎの終了条件を、二次電池の端子電圧Ｖに関わらず、所定の補充電時間ｔｎの間、継続するものである。
【００６４】
電流値をｎ回変化させるｎ段定電流充電においては、最後のｎ段目の充電における第ｎ定電流は非常に小さい値で設定することが多いので、二次電池の電圧Ｖの時間に対する変化が微小となる。そのため、充電終止電圧Ｖｅｎ付近でノイズの影響を受け易く、電圧による充電終止条件の判定（図５のステップＳ０６における充電終止電圧Ｖｅｎと電圧Ｖとの比較による充電終了条件の判定）において、誤判定が生じやすい。そこで、最後に実行する定電流充電Ｃｎを、二次電池の端子電圧Ｖに関わらず、所定の補充電時間ｔｎの間、継続した後に終了することで、微妙な判定が要求される充電終止電圧Ｖｅｎと電圧Ｖとの比較を実行する必要が無くなり、僅かな電圧の変化で左右されることなく、比較的精度よく充電終了条件を判定することができる結果、充電終了条件を誤判定してしまうおそれが低減される。
【００６５】
なお、定電流充電Ｃ１で要した充電時間や二次電池１ａ，１ｂの温度に応じて補充電時間ｔｎを設定する変形例が考えられるが、このような変形例については、後述する他の実施形態において説明する。
【００６６】
次に、制御弁式鉛蓄電池における正極および負極の高さを１００ｍｍ以上としたことの効果について説明する。なお、本明細書において、正極および負極の高さは、極板の一要素である集電体において、活物質が充填された部分の高さ、すなわち極板の活物質で覆われた部分の重力方向の長さを意味し、集電耳部およびこれに連設された上枠骨、および下枠骨等、活物質が充填されていない部分の高さ寸法は含まれない。但し、活物質の充填厚みを集電体厚みよりも大とし、上枠骨や下枠骨の一部あるいはすべてに活物質が充填されている場合はその限りではない。
【００６７】
図７は、制御弁式鉛蓄電池における正極および負極の高さと充電受け入れ性との相関を示す図であり、縦軸は充電受け入れ性指標を（％）を示し、横軸は制御弁式鉛蓄電池の正極および負極の極板高さ、すなわち、本明細書においては、活物質充填部の高さ（ｍｍ）を示す。
【００６８】
なお、本明細書において、充電受け入れ性として、充電受け入れ性指標で表し、それぞれの定義は以下によるものとした。
【００６９】
まず、各種の極板高さを有する制御弁式鉛蓄電池から構成される二次電池を、各電池温度で、３時間率電流で１．７５Ｖ／セルまで連続して定電流放電して、二次電池の放電容量Ｑｄを計測する。
【００７０】
その後、各二次電池を、放電時の温度で、１段目の充電電流を０．８ＣＡとし、セル電圧が２．４Ｖ／セルとなった時点で、充電電流を、０．８ＣＡから０．６ＣＡ、０．４ＣＡ、０．２ＣＡおよび０．１ＣＡへと順次切り替えていく、５段充電を行い、この５段充電の１段目で充電された充電電気量Ｑｃ１を計測した。ここで、１ＣＡ＝１Ｉｔである。また、１Ｉｔ（電池容量（Ａｈ）／１（ｈ））は、二次電池の公称容量値を１Ｉｔの電流値で放電した場合に、１時間で二次電池の残容量がゼロとなるような電流値である。
【００７１】
そして、前記した放電容量Ｑｄに対する充電電気量Ｑｃ１の比率（Ｑｃ１／Ｑｄ）を充電受け入れ性ηとした。さらに、電池温度２５℃であって、かつ極板高さ１００ｍｍの制御弁式鉛蓄電池から構成される二次電池の充電受け入れ性ηを標準の充電受け入れ性ηｒとし、各温度、各極板高さの二次電池の充電受け入れ性ηをηｒに対する百分率として表し、これを充電受け入れ性指標（％）として図７の縦軸とした。
【００７２】
上述したように、制御弁式鉛蓄電池は液式鉛蓄電池と比べて電解液の量が少ないため、電池の下部と上部との硫酸濃度の差が緩和しにくい（ＳＯ42-の拡散が困難である）。中でも図７に示すように、正極および負極の高さが１００ｍｍ以上の制御弁式鉛蓄電池の場合、電池の下部と上部との硫酸濃度の差が特に緩和しにくくなって、成層化が顕著となり、特に低温環境での充電受け入れ性が低下する。また、電流値が大きい高率充電が困難になる。
【００７３】
しかし、電池充電システム１００によれば、このような高率充電を１段目とするようなｎ段定電流充電を想定した場合、繰り返し述べたように、低温環境に置かれた制御弁式鉛蓄電池（二次電池）の充電所要時間が高温環境に置かれた制御弁式鉛蓄電池（二次電池）の充電所要時間よりも長くなり、二次電池ごとの成層化の度合が揃うようになる。図７の結果は、正極および負極の高さが１００ｍｍ以上の制御弁式鉛蓄電池において、成層化がより顕著になる一方、極板高さが１００ｍｍに満たない制御弁式鉛蓄電池では、成層化が僅かしか生じないことを示している。
【００７４】
そうすると、極板高さが１００ｍｍに満たない制御弁式鉛蓄電池を複数組み合わせた組電池では、そもそも成層化が僅かしか生じないのに対し、極板高さが１００ｍｍ以上の制御弁式鉛蓄電池を複数組み合わせた組電池では、各制御弁式鉛蓄電池における成層化が顕著となる結果、各制御弁式鉛蓄電池間での成層化のバラツキも増大する。従って、電池充電システム１００における制御弁式鉛蓄電池Ｂとして、必ずしも極板高さが１００ｍｍ以上の制御弁式鉛蓄電池を用いる必要はないが、極板高さが１００ｍｍに満たない制御弁式鉛蓄電池を用いた場合よりも、成層化の程度のバラツキが大きい、極板高さが１００ｍｍ以上の制御弁式鉛蓄電池を用いた場合の方が、電池充電システム１００における成層化のバラツキを低減する効果（成層化度合の平準化）のメリットが大きくなる。
【００７５】
（第３実施形態）
本発明の第３実施形態に係る組電池の充電方法、及び電池充電システムは、例えば複数個の制御弁式鉛蓄電池を直列に接続した直列回路（二次電池）を並列に接続して負荷に接続する組電池の充電方法であって、各々の直列回路にそれぞれ充電装置を接続し、充電装置のそれぞれが各々の直列回路の充電電圧を検出して、電流値をｎ−１（但しｎは２以上の整数）回変化させて定電流充電を複数回繰り返すｎ段定電流充電を行うに当たり、各々の直列回路の熱履歴に基づいて、各々の直列回路における通電電気量を変化させる。
【００７６】
この構成によれば、各々の直列回路が経た熱履歴（例えば組電池がどのような地域でどのように使用され、結果的に各々の直列回路間でどの程度の環境温度差が生じるか）という予測が困難な因子を考慮して、直近の環境温度のみに頼らず各々の直列回路における通電電気量を変化させる。これにより、成層化がより重篤な（低温環境下の履歴が長い）直列回路を正確に判定し、この通電直列回路の通電電気量を大きくしてより活発に成層化解消反応（酸素ガス発生反応）を促して、直列回路間の成層化の解消度合をより揃えることが可能となる。
【００７７】
なお、充電電気量とは、二次電池（制御弁式鉛蓄電池）に実際に蓄えられた電気量を意味し、通電電気量とは、充電装置から二次電池へ供給された電気量を意味するものとする。
【００７８】
以下、第３実施形態に係る具体的な実施形態について、説明する。図８は、第３実施形態に係る電池充電システムの一例を示すブロック図である。
【００７９】
図８に示す電池充電システム１００’は、図１に示す電池充電システム１００とは、処理部６（通電電気量設定部）、温度測定部７ａ，７ｂ、及び後述する電流検出部をさらに備える点、及び充電装置２ａ’，２ｂ’の構成が異なる。その他の構成は図１に示す電池充電システム１００と同様であるのでその説明を省略し、以下本実施形態の特徴的な点について説明する。
【００８０】
温度測定部７ａ，７ｂは、例えばサーミスタや熱電対等を用いて構成された温度センサである。温度測定部７ａ，７ｂは、例えば二次電池１ａ，１ｂの近傍に配設されて、二次電池１ａ，１ｂの温度をそれぞれ検出する。なお、温度測定部７ａ，７ｂは、例えば制御弁式鉛蓄電池Ｂの電槽Ｂ１内や外壁面に配設されて直接二次電池１ａ，１ｂの温度を検出するものであってもよく、二次電池１ａ，１ｂの近傍の温度を検出することで、間接的に二次電池１ａ，１ｂの温度を検出するものであってもよい。
【００８１】
処理部６は、例えばマイクロコンピュータを用いて構成された制御回路である。処理部６は、通電電気量設定部の一例に相当している。処理部６は、温度測定部７ａ，７ｂによって測定される二次電池１ａ，１ｂの温度の、予め設定された設定期間における積算値を、熱履歴を示す熱履歴値Ｈｒとしてそれぞれ算出し、熱履歴値Ｈｒが大きい二次電池ほど多段定電流充電における総通電電気量を減少させるように、充電装置２ａ’，２ｂ’における充電終止電圧Ｖｅ１〜Ｖｅｎを設定する。
【００８２】
具体的には、処理部６は、例えばＲＯＭによって構成された記憶部６１（第１記憶部）が設けられており、記憶部６１には、熱履歴値Ｈｒ（積算値、最大値）が大きいほど、充電終止電圧Ｖｅ１〜Ｖｅｎが低下するように、熱履歴値Ｈｒと充電終止電圧Ｖｅ１〜Ｖｅｎとが対応付けられたルックアップテーブル（ＬＵＴ）である熱履歴値テーブルが予め記憶されている。
【００８３】
ここで、充電終止電圧Ｖｅ１〜Ｖｅｎが高いほど、充電装置２ａ’，２ｂ’によって実行される多段定電流充電において二次電池１ａ，１ｂへ供給される総通電電気量が増大するので、充電終止電圧Ｖｅ１〜Ｖｅｎは、総通電電気量を示す情報となる。また、熱履歴値Ｈｒは、温度測定部７ａ，７ｂによって検出された温度から算出されており、各温度に関する情報に相当している。
【００８４】
処理部６は、熱履歴値テーブルを参照し、熱履歴値Ｈｒが大きいほど、充電装置２ａ’，２ｂ’における充電終止電圧Ｖｅ１〜Ｖｅｎを小さな値に設定することで、熱履歴値Ｈｒが大きい二次電池ほど多段定電流充電における総通電電気量を減少させるように、その通電電気量を制御する。
【００８５】
また、上記設定期間としては、例えば、充電装置２ａ，２ｂによって、前回、多段定電流充電が実行された後、新たに多段定電流充電が開始されるまでの期間が設定されている。
【００８６】
図９は、図８に示す充電装置２ａ’，２ｂ’の構成の一例を示すブロック図である。図９に示す充電装置２ａ’，２ｂ’は、図２に示す充電装置２ａ，２ｂとは、制御部２１’の構成が異なる。制御部２１’は、計時部２１２、目標通電電気量取得部２１３、通電電気量検出部２１４、補充電時間算出部２１５、補充電時間補正部２１６、及び記憶部２１７（第２記憶部）をさらに備える点で、図２に示す制御部２１と異なる。
【００８７】
なお、計時部２１２、目標通電電気量取得部２１３、通電電気量検出部２１４、補充電時間算出部２１５、補充電時間補正部２１６、及び記憶部２１７が、充電装置２ａ’，２ｂ’にそれぞれ設けられる例を示したが、これら各部が例えば処理部６に設けられて、補充電時間算出部２１５や補充電時間補正部２１６によって得られた各二次電池に対応する補充電時間ｔｎを、処理部６から充電装置２ａ’，２ｂ’における制御部２１’へ送信する構成としてもよい。
【００８８】
また、充電制御部２１１’は、処理部６によって設定された充電終止電圧Ｖｅ１〜Ｖｅｎに基づいて、多段定電流充電を実行する点、及び最後の定電流充電Ｃｎを、補充電時間算出部２１５によって算出され、あるいはさらに補充電時間補正部２１６によって補正された補充電時間の間、二次電池の端子電圧Ｖに関わらず継続する点で、図２に示す充電制御部２１１とは異なる。
【００８９】
計時部２１２は、例えばタイマ回路を用いて構成されており、多段定電流充電において繰り返される定電流充電のうち、最初に実行される定電流充電Ｃ１の継続時間ｔｃ１を計時する。
【００９０】
記憶部２１７は、例えばＲＯＭを用いて構成されており、継続時間ｔｃ１と二次電池１ａ，１ｂを満充電にするために必要な通電電気量である通電電気量Ｑｆとを対応付けるルックアップテーブル（ＬＵＴ）である通電電気量テーブルが、予め記憶されている。すなわち、最初の定電流充電Ｃ１の実行を開始した際の二次電池１ａ，１ｂのＳＯＣが小さいほど、定電流充電Ｃ１の継続時間ｔｃ１は長くなるから、二次電池１ａ，１ｂのＳＯＣと継続時間ｔｃ１との間には相関関係がある。また、二次電池１ａ，１ｂのＳＯＣが小さいほど通電電気量Ｑｆは大きくなるから、継続時間ｔｃ１と通電電気量Ｑｆとの間にも相関関係がある。そこで、例えば実験的に継続時間ｔｃ１と通電電気量Ｑｆとの対応関係を測定し、予め通電電気量テーブルとして記憶部２１７に記憶されている。
【００９１】
また、記憶部２１７には、熱履歴値Ｈｒと充電効率係数Ｋｃとを対応付けるルックアップテーブル（ＬＵＴ）である充電効率係数テーブルが、予め記憶されている。充電効率係数Ｋｃは、充電装置２ａ’，２ｂ’から二次電池１ａ，１ｂへ供給された通電電気量Ｑｃに対する、二次電池１ａ，１ｂに実際に充電された充電電気量Ｑｒの比（Ｑｒ／Ｑｃ）である充電効率の、逆数（Ｑｃ／Ｑｒ）である。
【００９２】
制御弁式鉛蓄電池Ｂは、温度が高くなるほど成層化が生じにくく、充電効率が向上する性質がある。従って、熱履歴値Ｈｒが大きくなるほど充電効率が向上し、充電効率係数Ｋｃが小さくなる。このような、熱履歴値Ｈｒと充電効率係数Ｋｃとの対応関係が、例えば予め実験的に求められて充電効率係数テーブルとして、記憶部２１７に記憶されている。
【００９３】
そして、制御部２１’は、例えばＲＯＭに記憶された制御プログラムを実行することにより、目標通電電気量取得部２１３、通電電気量検出部２１４、補充電時間算出部２１５、及び補充電時間補正部２１６として機能する。
【００９４】
なお、図８においては図示を省略したが、二次電池１ａとダイオード３ａの間には、電流検出部８ａが接続され、二次電池１ｂとダイオード３ｂの間には、電流検出部８ｂが接続されている。
【００９５】
電流検出部８ａ，８ｂは、例えば電流検出用のシャント抵抗やホール素子等の電流検出素子や、アナログデジタルコンバータ等を用いて構成されている。そして、電流検出部８ａ，８ｂは、二次電池１ａ，１ｂに流れる電流を検出してその電流値を示す信号を、制御部２１’へ出力する。
【００９６】
目標通電電気量取得部２１３は、記憶部２１７を参照し、計時部２１２によって計時された継続時間ｔｃ１と対応付けて記憶されている通電電気量を、多段定電流充電において二次電池１ａ，１ｂに供給するべき通電電気量の目標値である目標通電電気量Ｑｔとして取得する。
【００９７】
通電電気量検出部２１４は、多段定電流充電が開始されてから最後に実行される定電流充電Ｃｎが開始される前までの期間、例えば電流検出部８ａ，８ｂによって検出された電流値を単位時間毎に積算することによって、定電流回路２３から二次電池１ａ，１ｂへ供給された通電電気量Ｑｃを検出する。
【００９８】
補充電時間補正部２１６は、記憶部２１７に記憶されている充電効率係数テーブルを参照し、処理部６によって算出された熱履歴値Ｈｒと対応付けられている充電効率係数Ｋｃを、目標通電電気量取得部２１３によって取得された目標通電電気量Ｑｔに乗算することにより、目標通電電気量Ｑｔを補正する。
【００９９】
ここで、充電効率係数テーブルには、熱履歴値Ｈｒが大きくなるほど充電効率係数Ｋｃが小さくなるように対応付けられているから、熱履歴値Ｈｒが大きくなるほど目標通電電気量Ｑｔが小さくなるように補正される。そして、目標通電電気量Ｑｔが小さくなると、後述するように補充電時間算出部２１５によって算出される補充電時間ｔｎが短くなるから、補充電時間補正部２１６は、目標通電電気量Ｑｔを補正することによって、結果的に熱履歴値Ｈｒが大きくなるほど補充電時間ｔｎを短くするように補正することとなる。なお、補充電時間補正部２１６は、目標通電電気量Ｑｔを補正する例に限られず、補充電時間算出部２１５によって算出される補充電時間ｔｎを直接補正するようにしてもよい。
【０１００】
補充電時間算出部２１５は、目標通電電気量取得部２１３によって取得され、あるいは補充電時間補正部２１６によって補正された目標通電電気量Ｑｔ、通電電気量検出部２１４によって検出された通電電気量Ｑｃ、及び最後に実行される定電流充電Ｃｎにおける充電電流値（設定電流値）Ｉｃｎに基づき、下記の式（１）を用いて補充電時間ｔｎを算出する。
【０１０１】
補充電時間ｔｎ＝（Ｑｔ−Ｑｃ）／Ｉｃｎ  ・・・（１）
次に、上述のように構成された電池充電システム１００’の動作について説明する。図１０は、図８に示す処理部６による二次電池１ａについての熱履歴値Ｈｒの算出動作の一例を示すフローチャートである。まず、処理部６は、充電装置２ａ’から多段定電流充電の終了通知が有るまで待機し（ステップＳ１１でＮＯ）、終了通知を受信すると（ステップＳ１１でＹＥＳ）、ステップＳ１２に移行して、積算値Ｘａの算出を開始する。
【０１０２】
ステップＳ１２において、処理部６は、温度測定部７ａによって測定された温度ｔａを、単位時間毎にそれぞれ積算し、積算値Ｘａを算出する（ステップＳ１２）。処理部６は、充電装置２ａ’による新たな充電が開始されるまで積算値Ｘａの積算を継続する（ステップＳ１３でＮＯ）。そして、充電が開始されると（ステップＳ１３でＹＥＳ）、それまで積算された積算値Ｘａを熱履歴値Ｈｒとして、充電装置２ａ’へ送信する（ステップＳ１４）。
【０１０３】
ここで、制御弁式鉛蓄電池Ｂは、温度が低いほど成層化が生じやすいと考えられるから、熱履歴値Ｈｒは、二次電池１ａの成層化の程度を表す指標として用いることができる。すなわち、熱履歴値Ｈｒが小さいほど、成層化が進んでいると考えられる。
【０１０４】
さらに、処理部６は、熱履歴値テーブルを参照して、熱履歴値Ｈｒと対応付けて記憶されている充電終止電圧Ｖｅ１〜Ｖｅｎを取得し、充電装置２ａ’へ送信する（ステップＳ１５）。
【０１０５】
一方、処理部６は、ステップＳ１１〜Ｓ１５と並行して、図１１に示すステップＳ２１〜Ｓ２５を実行することで、ステップＳ１１〜Ｓ１５と同様の処理を二次電池１ｂ及び充電装置２ｂ’に対して実行し、二次電池１ｂの温度に応じた熱履歴値Ｈｒと充電終止電圧Ｖｅ１〜Ｖｅｎとを充電装置２ｂ’へ送信する。
【０１０６】
なお、処理部６は、充電開始時（ステップＳ１３，Ｓ２３でＹＥＳ）に、例えばまだ１回も多段定電流充電が実行されていないなどして熱履歴値Ｈｒが算出されていない場合は、予め設定された標準的な熱履歴値Ｈｒと充電終止電圧Ｖｅ１〜Ｖｅｎとを充電装置２ａ’，２ｂ’へ送信するようにしてもよい。
【０１０７】
以上、ステップＳ１１〜Ｓ１５、Ｓ２１〜Ｓ２５の処理により、処理部６は、熱履歴値Ｈｒが大きい二次電池ほど多段定電流充電における総通電電気量を減少させるように、充電装置２ａ’，２ｂ’による通電電気量を制御することができる。
【０１０８】
また、電池充電システム１００’によれば、電池充電システム１００と同様、多段定電流充電を実行した後、各二次電池相互間での成層化の程度のバラツキが低減される。従って、もし仮に、多段定電流充電の実行状況と無関係に、累積的に温度を積算して熱履歴値Ｈｒを算出したとすれば、多段定電流充電の実行によって成層化のバラツキが既に解消している期間の温度状況まで含んで熱履歴値Ｈｒが算出される結果となり、熱履歴値Ｈｒが、成層化の程度を正しく反映しなくなるおそれがある。
【０１０９】
しかしながら、処理部６は、ステップＳ１１〜Ｓ１４、Ｓ２１〜Ｓ２４において、前回の多段定電流充電が終了してから次の多段定電流充電が開始されるまでの設定期間において、熱履歴値Ｈｒを算出するので、前回の多段定電流充電によって解消したと考えられる成層化の影響を、熱履歴値Ｈｒから排除することで、熱履歴値Ｈｒに成層化の程度を反映させる精度を向上させることができる。
【０１１０】
なお、設定期間は、前回の多段定電流充電が終了してから次の多段定電流充電が開始されるまでに限られず、例えば予め固定的に設定された期間であってもよい。
【０１１１】
図１２、図１３は、図９に示す充電装置２ａ’，２ｂ’の動作の一例を示すフローチャートである。充電装置２ａ’，２ｂ’は、図１２、図１３に示す処理を並行してそれぞれ実行する。以下、充電装置２ａ’，２ｂ’の動作を一括して説明する。
【０１１２】
また、図１４は図９に示す充電装置２ａ’による充電に伴う二次電池１ａの端子電圧Ｖと、充電電流Ｉの変化の一例を示す説明図である。図１５は充電装置２ｂ’による充電に伴う二次電池１ｂの端子電圧Ｖと、充電電流Ｉの変化の一例を示す説明図である。図１４、図１５においては、二次電池１ｂ（図１５）の方が二次電池１ａ（図１４）よりも成層化が進んでいる例を示している。
【０１１３】
まず、制御部２１’は、二次電池１ａ，１ｂの充電開始前に、処理部６から熱履歴値Ｈｒと充電終止電圧Ｖｅ１〜Ｖｅｎとを受信する（ステップＳ３１）。
【０１１４】
次に、通電電気量検出部２１４によって、電流検出部８ａ，８ｂによって検出された電流値が例えば単位時間毎に積算されて、通電電気量Ｑｃの積算が開始され（ステップＳ３２）、さらに計時部２１２によって、定電流充電Ｃ１の継続時間ｔｃ１の計時が開始される（ステップＳ３３）。
【０１１５】
そして、ステップＳ３４において、充電制御部２１１によって、定電流回路２３から出力される充電電流Ｉが充電電流値Ｉｃ１に設定されて、１段目の定電流充電Ｃ１が開始され（タイミングＴ１）、二次電池１ａ，１ｂが充電される（ステップＳ３４）。次に、充電制御部２１１によって、二次電池１ａ，１ｂの電圧Ｖが１段目の充電終止電圧Ｖｅ１以上であるか否かが判断され、端子電圧ＶがＶｅ１未満であれば１段目の定電流充電Ｃ１が継続され（ステップＳ３５でＮＯ）、Ｖｅ１以上であれば１段目の定電流充電Ｃ１を終止する（ステップＳ３５でＹＥＳ、タイミングＴ２）。
【０１１６】
ここで、例えば二次電池１ａの方が二次電池１ｂよりも高温の温度環境に置かれていた場合、処理部６によって算出された熱履歴値Ｈｒは、二次電池１ａの方が二次電池１ｂよりも大きな値になる結果、処理部６によって充電装置２ａ’へ送信（設定）された充電終止電圧Ｖｅ１〜Ｖｅｎは、充電装置２ｂ’へ送信（設定）された充電終止電圧Ｖｅ１〜Ｖｅｎより低い電圧にされている。
【０１１７】
図１４においては、充電装置２ａ’へ送信（設定）された充電終止電圧Ｖｅ１〜Ｖｅｎが、電圧Ｖａであり、図１５においては、充電装置２ｂ’へ送信（設定）された充電終止電圧Ｖｅ１〜Ｖｅｎが、電圧Ｖｂである例を示しており、この場合、Ｖａ＜Ｖｂとなっている。これにより、高温の温度環境に置かれて成層化の影響が少なく、充電効率が高くなっていると考えられる二次電池１ａへ供給される通電電気量の方が、低温の温度環境に置かれて成層化が進み、充電効率が低くなっていると考えられる二次電池１ｂへ供給される通電電気量より少なくされる結果、実際に二次電池１ａ，１ｂに充電される充電電気量の差（バラツキ）が小さくなるようにされている。
【０１１８】
そして、定電流充電Ｃ１が終了すると（ステップＳ３５でＹＥＳ、タイミングＴ２）、計時部２１２によって計時された継続時間ｔｃ１が、目標通電電気量取得部２１３によって取得され（ステップＳ３６）、目標通電電気量取得部２１３によって、記憶部２１７の通電電気量テーブルが参照されて、継続時間ｔｃ１と対応付けて記憶されている通電電気量が、目標通電電気量Ｑｔとして取得される（ステップＳ３７）。
【０１１９】
次に、補充電時間補正部２１６によって、記憶部２１７に記憶されている充電効率係数テーブルが参照されて、処理部６から受信された熱履歴値Ｈｒと対応付けられている充電効率係数Ｋｃが取得される（ステップＳ３８）。そして、補充電時間補正部２１６によって、充電効率係数Ｋｃが、目標通電電気量取得部２１３によって取得された目標通電電気量Ｑｔに乗算されて、目標通電電気量Ｑｔが補正される（ステップＳ３９）。
【０１２０】
これにより、熱履歴値Ｈｒが大きいほど充電効率係数Ｋｃが小さくなるから、熱履歴値Ｈｒが大きくなるほど、目標通電電気量Ｑｔが小さく、補充電時間ｔｎが短くなるように補正される。ここで、もし仮に、補充電時間補正部２１６による目標通電電気量Ｑｔ（補充電時間ｔｎ）の補正が実行されなかったとすれば、処理部６によるステップＳ１１〜Ｓ１５、Ｓ２１〜Ｓ２５の処理により、熱履歴値Ｈｒが大きい二次電池ほど多段定電流充電における通電電気量を減少させるように充電終止電圧Ｖｅ１〜Ｖｅｎが小さな値に設定されて、上述したように実際に二次電池１ａ，１ｂに充電される充電電気量の差（バラツキ）を低減しようとしているにもかかわらず、熱履歴値Ｈｒが大きな二次電池は、通電電気量Ｑｃが減少してステップＳ４５において、補充電時間ｔｎが長い時間に設定されて、最終の定電流充電Ｃｎの充電時間が延びて通電電気量が増大し、処理部６による充電電気量のバラツキ低減効果が相殺されてしまうおそれがある。
【０１２１】
しかしながら、電池充電システム１００’によれば、補充電時間補正部２１６によって、熱履歴値Ｈｒが大きくなるほど、目標通電電気量Ｑｔが小さく、補充電時間ｔｎが短くなるように補正されるので、処理部６による充電電気量のバラツキ低減効果が相殺されるおそれが低減される。
【０１２２】
次に、ステップＳ４１において、充電制御部２１１によって、定電流回路２３から出力される充電電流Ｉが充電電流値Ｉｃ２に設定されて、２段目の定電流充電Ｃ２が開始され（タイミングＴ２）、二次電池１ａ，１ｂが充電される（ステップＳ４１）。次に、充電制御部２１１によって、二次電池１ａ，１ｂの端子電圧Ｖが２段目の充電終止電圧Ｖｅ２以上であるか否かが判断され、端子電圧Ｖが充電終止電圧Ｖｅ２未満であれば２段目の定電流充電Ｃ２が継続され（ステップＳ４２でＮＯ）、充電終止電圧Ｖｅ２以上であれば２段目の定電流充電Ｃ２を終止する（ステップＳ４２でＹＥＳ）。
【０１２３】
以降、充電電流値を順次減少させながら定電流充電を繰り返し、ｎ−１回目（最後の一つ前）の定電流充電（ｎ−１）が終了すると（ステップＳ４４でＹＥＳ）、補充電時間算出部２１５によって、通電電気量検出部２１４によって積算された通電電気量Ｑｃ、目標通電電気量Ｑｔ、及び充電電流値（設定電流値）Ｉｃｎに基づき、上記式（１）を用いて補充電時間ｔｎが算出される（ステップＳ４５）。
【０１２４】
次に、充電制御部２１１によって、定電流回路２３から出力される充電電流Ｉが充電電流値Ｉｃｎに設定されて、ｎ段目（最終）の定電流充電Ｃｎが開始され（タイミングＴ３）、二次電池１ａ，１ｂが充電される（ステップＳ４６）。
【０１２５】
そして、計時部２１２によって、定電流充電Ｃｎの開始後の経過時間ｔが計時され、充電制御部２１１によって、経過時間ｔと補充電時間ｔｎとが比較される（ステップＳ４７）。そして、経過時間ｔが補充電時間ｔｎ以上になると（ステップＳ４７でＹＥＳ）、充電制御部２１１は、定電流回路２３による電流出力をゼロにして、多段定電流充電を終了する（ステップＳ４８）。
【０１２６】
さらに、充電制御部２１１によって、処理部６へ、多段定電流充電が終了した旨、通知され（ステップＳ４９）、処理を終了する。
【０１２７】
以上、ステップＳ４６〜Ｓ４８の処理により、補充電時間算出部２１５は、多段定電流充電全体を通じての二次電池１ａ，１ｂへの通電電気量が、目標通電電気量取得部２１３によって取得され、さらに補充電時間補正部２１６によって温度の影響（成層化の影響）が補正された目標通電電気量Ｑｔになるように、最後の定電流充電Ｃｎで充電されるから、二次電池１ａ，１ｂを満充電する精度が向上する。
【０１２８】
なお、処理部６は、ステップＳ１２〜１４、Ｓ２２〜Ｓ２４において、上記設定期間における温度ｔａ，ｔｂの最大値を熱履歴値Ｈｒとして取得するようにしてもよい。これにより、熱履歴値Ｈｒの取得処理を簡素化できる。
【０１２９】
なお、処理部６は、二次電池１ａおよび１ｂに近接させた温度測定部７ａおよび７ｂからの温度情報に基づいて、処理部６が二次電池１ａおよび１ｂが経た熱履歴を求め、かつこれら直列回路に接続された充電装置２ａおよび２ｂからの通電電気量を変えるように指令するようにしてもよい。なお「直列回路が経た熱履歴に基づいて、各々の直列回路における通電電気量を変える」とは、少なくとも以下の２つの方法から選択できる。
【０１３０】
第１の方法は、処理部６が、二次電池１ａおよび１ｂのうち、温度が高かった時間が長いものほど通電電気量を小さくするようにする。具体的には、温度測定部７ａおよび７ｂが測定した温度を、タイマー（図示せず）が測定した時間とともに処理部６が処理する。ここでいう処理とは、例えば温度（Ｔａ・・・Ｔｚ）とその温度に置かれた時間（ｔａ・・・ｔｚ）との積（Ｔａｔａ・・・Ｔｚｔｚ）の総和（Ｔ＝Ｔａｔａ＋・・・＋Ｔｚｔｚ）を算出し、その総和に応じて充電装置２ａおよび２ｂが出力すべき通電電気量を導き出す過程をいう。そして仮に二次電池１ｂの方が二次電池１ａより温度が高かった時間が長ければ（この例に従えば、二次電池１ｂのＴが二次電池１ａのＴより大きければ）、処理部６は充電装置２ａに対し、双方の総和Ｔの差に相応して、充電装置２ｂより通電電気量が小さくなるように指令するようにしてもよい。
【０１３１】
第２の方法は、処理部６が、二次電池１ａおよび１ｂのうち、温度がより高かったものほど通電電気量を小さくするようにする。具体的には、温度測定部７ａおよび７ｂが測定した温度のうち、それぞれにおける最高温度（Ｔｍａｘ）を処理部６が記憶する。そして仮に二次電池１ｂの最高温度Ｔｍａｘの方が二次電池１ａの最高温度Ｔｍａｘより大きければ、処理部６は充電装置２ａに対し、双方のＴｍａｘの差に相応して、充電装置２ｂより通電電気量が小さくなるように指令する。
【０１３２】
上記第１、第２いずれの方法の場合も、例えば二次電池１ｂに対して１ａの方が低温環境下の履歴が長ければ（またはより低温であれば）、充電装置２ｂより２ａの方がより大きな通電電気量を発することになる。このような構成を採ることで、低温下の履歴が長かったために成層化がより重篤となったのは二次電池１ａであることを正確に導き出し、かつその後で、二次電池１ａを二次電池１ｂよりも多い電気量で充電して酸素ガスをより多く発生させることで、成層化の解消を進ませることができる。一方、成層化が軽微な二次電池１ｂは二次電池１ｂよりも少ない電気量で充電されるために酸素ガス発生量が少なくなり、結果的に成層化の解消が進みにくくなる。これら双方の結果に伴って、直列回路間の成層化の解消度合が揃いやすくなり、「直列回路間の劣化度合バラツキ」という組電池における最大の劣化要因が解消されやすくなる。なお通電電気量は、充電装置２ａおよび２ｂにおいて充電電流もしくは充電終止電圧を変えることで、変化させることができる。
【０１３３】
図１６はｎ段定電流充電における直列回路ごとの充電挙動を表す模式図であって、（ａ）は成層化の度合が重篤な直列回路の挙動を、（ｂ）は成層化の度合が軽微な直列回路の挙動を示すものである。なお図３における縦軸は充電電流（Ｉ）を示し、横軸は充電所要時間（ｔ）を示す。
【０１３４】
図１６に示すように、図６Ａ、図６Ｂと同様、成層化の度合が重篤な二次電池（ａ）の方が、成層化の度合が軽度な二次電池（ｂ）よりも充電所要時間が長くなる結果、バラついていた二次電池ごとの成層化の度合が揃うようになる。そして、このようにして各二次電池間の、成層化のバラツキが低減されることによって、組電池全体の電池容量が減少するおそれも低減される。
【０１３５】
さらに、図１６に示すように、各々の直列回路が経た熱履歴に基づいて、各々の直列回路における通電電気量（充電電流値）を変化させることで、成層化がより重篤な（低温環境下の履歴が長い）直列回路ほど、より活発に成層化解消反応（酸素ガス発生反応）を促すことができる。すなわち、直列回路間の成層化の解消度合をより揃えることが可能となる。
【０１３６】
また、制御弁式鉛蓄電池の熱履歴に相応して通電電気量を決定するテーブルに基づいて、直列回路ごとに通電電気量を変化させるようにしてもよい。処理部６が数値化した熱履歴に基づいて充電装置２ａおよび２ｂに出力すべき通電電気量を都度細かく指令する方法よりも、処理部６が熱履歴に相応して通電電気量を決定するテーブルを有しており、数値化した熱履歴とテーブルとを照合しながら直列回路ごとに通電電気量を変える方が、通電電気量を細かく指令する（すなわち充電装置２ａおよび２ｂの出力条件を細かく変化させる）ことによる煩雑さ（複雑な微調整を伴う）から解放されるので好ましい。なお「制御弁式鉛蓄電池の熱履歴に相応して通電電気量を決定するテーブルに基づいて、直列回路ごとに通電電気量を変える」とは、少なくとも以下の２つの方法から選択できる。
【０１３７】
第１の方法は、制御弁式鉛蓄電池の温度が高かった時間が長いものほど通電電気量を小さくするようにテーブルが設定されているものである。具体的には、温度測定部７ａおよび７ｂが測定した温度を、タイマー（図示せず）が測定した時間とともに処理部６が処理する。ここでいう処理とは例えば、温度に関する因子（Ｔａ・・・Ｔｚ）とその温度に置かれた時間（ｔａ・・・ｔｚ）との積（Ｔａｔａ・・・Ｔｚｔｚ）の総和（Ｔ＝Ｔａｔａ＋・・・＋Ｔｚｔｚ）を算出する過程をいう。そして処理部６は双方の総和Ｔの差を処理部６が記憶したテーブルと照合する。テーブルは総和Ｔの差が一定範囲であれば一定の充電電流に一本化されるように設定されている。そして処理部６はこのテーブルとの照合結果に基づいて、仮に二次電池１ｂの方が二次電池１ａより温度が高かった時間が長ければ（この例に従えば、二次電池１ｂのＴが二次電池１ａのＴより大きければ）、充電装置２ａに対し、充電装置２ｂより通電電気量が小さくなるように指令する。
【０１３８】
第２の方法は、制御弁式鉛蓄電池の温度がより高温であったものほど通電電気量を小さくするようにテーブルが設定されているものである。具体的には、温度測定部７ａおよび７ｂが測定した温度のうち、それぞれにおける最高温度（Ｔｍａｘ）を処理部６が記憶する。そして処理部６は双方のＴｍａｘの差を処理部６が記憶したテーブルと照合する。テーブルはＴｍａｘの差が一定範囲であれば一定の充電電流に一本化されるように設定されている。そして処理部６はこのテーブルとの照合結果に基づいて、仮に二次電池１ｂの最高温度Ｔｍａｘの方が二次電池１ａの最高温度Ｔｍａｘより大きければ、充電装置２ａに対し、充電装置２ｂより通電電気量が小さくなるように指令する。
【０１３９】
（第４実施形態）
従来、電池温度により適切な充電制御とするため、各電池の表面温度を測定して、その温度により充電制御を変更する検討もなされている。しかしながら、充電器の発熱部が組電池近くにあると、電池表面温度が発熱体の影響を受けてしまい、正しく電池内部の温度を測定できず、適切な温度制御ができない、という問題があった。その影響は、発熱体と電池の位置関係により異なる。
【０１４０】
そこで、本発明の第４実施形態に係る組電池の充電方法、及び電池充電システムは、例えば複数個の制御弁式鉛蓄電池を直列に接続した直列回路（二次電池）を並列に接続して負荷に接続する組電池の充電方法を用いる。この充電方法は、各々の直列回路にそれぞれ充電装置を接続し、充電装置のそれぞれが各々の直列回路の充電電圧を検出して、電流値をｎ−１（但しｎは２以上の整数）回変化させるｎ段定電流充電を行う。そして、各々の直列回路が曝される環境温度を加味して、各々の直列回路における充電電気量を変化させる。
【０１４１】
このように、各々の直列回路が曝される環境温度の影響（例えば直列回路どうしの配列や、車載された他の機器からの発熱およびその機器の配置によって生じる輻射熱）に基づいて、各々の直列回路における充電電気量を変化させることで、成層化がより重篤な（環境温度の影響を受けないために低温に曝されやすい）直列回路ほど、充電電気量を大きくしてより活発に成層化解消反応（酸素ガス発生反応）を促すことができる。すなわち、直列回路間の成層化の解消度合をより揃えることが可能となる。
【０１４２】
以下、第４実施形態に係る具体的な実施形態について、説明する。図１７は、第４実施形態に係る電池充電システム１００’’の一例を示すブロック図である。また、図１８は、図１７に示す充電装置２ａ’’，２ｂ’’の構成の一例を示すブロック図である。
【０１４３】
電池充電システム１００’’は、二次電池１ａおよび１ｂが曝される環境温度を加味して、これら直列回路に接続された充電装置２ａおよび２ｂからの充電電流を処理部６の指令によって変える。なお「直列回路が曝される環境温度を加味して、各々の直列回路における充電電流を変える」とは、予め実験結果およびシミュレーションで明確になった環境温度の影響（例えば、直列回路どうしの配列や、車載された他の機器からの発熱およびその機器の配置によって生じる輻射熱の影響を受けた電池表面の温度と、電池内部の温度との温度差Ｔｄ）を処理部９が記憶しており、その記憶に基づいて二次電池１ａと１ｂとで充電電流もしくは充電終止電圧を変える方法である。例えば二次電池１ｂに対して１ａの方が環境温度の影響を受けないために低温に曝されやすいのであれば、処理部９からの指令に基づいて、二次電池１ａに接続した充電装置２ａの方が、二次電池１ｂに接続した充電装置２ｂより高い充電終止電圧を設定するなどして、二次電池１ａにより大きな充電電気量を与えることになる。
【０１４４】
この方法によれば、環境温度の影響を受けないために低温に曝されやすく成層化がより重篤となる二次電池１ａは、二次電池１ｂよりも酸素ガス発生量が多くなり、結果的に成層化の解消が進みやすくなる。一方、成層化が軽微な二次電池１ｂは二次電池１ａよりも酸素ガス発生量が少なくなり、結果的に成層化の解消が進みにくくなる。これら双方の結果に伴って、直列回路間の成層化の解消度合が揃いやすくなり、「直列回路間の劣化度合バラツキ」という組電池における最大の劣化要因が解消されやすくなる。
【０１４５】
具体的には、図１７に示す電池充電システム１００’’は、図８に示す電池充電システム１００’とは、処理部９（通電電気量設定部）の動作が処理部６と異なる点、温度測定部７ｂを備えない点、及び充電装置２ａ’’，２ｂ’’が、充電制御部２１１の代わりに充電制御部２１１’を備え、補充電時間補正部２１６の代わりに補充電時間補正部２１６’を備える点で異なる。
【０１４６】
図１８に示す充電装置２ａ’’，２ｂ’’における制御部２１’’が備える充電制御部２１１’は、処理部９によって設定された充電終止電圧Ｖｅ１〜Ｖｅｎに基づいて、多段定電流充電を実行する点で、図９に示す充電制御部２１１と異なる。
【０１４７】
また、補充電時間補正部２１６’は、処理部９によって推定された二次電池１ａ，１ｂの内部温度に基づき、充電効率係数Ｋｃを取得する点で、図９に示す補充電時間補正部２１６と異なる。また、記憶部２１７’に予め記憶される充電効率係数テーブルは、内部温度Ｔｉと充電効率係数Ｋｃとを対応付けるルックアップテーブル（ＬＵＴ）である点で、記憶部２１７と異なる。
【０１４８】
その他の構成は図８に示す電池充電システム１００’と同様であるのでその説明を省略し、以下本実施形態の特徴的な点について説明する。
【０１４９】
なお、計時部２１２、目標通電電気量取得部２１３、通電電気量検出部２１４、補充電時間算出部２１５、補充電時間補正部２１６’、及び記憶部２１７’が、充電装置２ａ’’，２ｂ’’にそれぞれ設けられる例を示したが、これら各部が例えば処理部９に設けられて、補充電時間算出部２１５や補充電時間補正部２１６’によって得られた各二次電池に対応する補充電時間ｔｎを、処理部９から充電装置２ａ’’，２ｂ’’における制御部２１’’へ送信する構成としてもよい。
【０１５０】
処理部９は、例えばマイクロコンピュータを用いて構成された制御回路である。処理部９には、例えばＲＯＭによって構成された記憶部９１（温度情報記憶部）が設けられている。記憶部９１には、二次電池１ａ，１ｂについて、二次電池１ａ，１ｂの内部温度と温度測定部７ａによって測定される温度との差（関係）である温度差Ｔｄを示す温度情報が、例えば予め実験的に求められて記憶されている。
【０１５１】
温度差Ｔｄは、例えば二次電池１ａ，１ｂの内部温度から温度測定部７ａによって測定された実測温度が減算されて算出されており、内部温度が実測温度より高いとき、温度差Ｔｄはプラスの値となり、内部温度が実測温度より低いとき、温度差Ｔｄはマイナスの値を示すようになっている。
【０１５２】
処理部９は、二次電池１ａ，１ｂの予め設定された基準温度Ｔ０における満充電電圧Ｖｆ、温度と満充電電圧との関係を表す温度係数ｋ、温度測定部７ａによって測定された実測温度Ｔｒ、記憶部９１に記憶された温度差Ｔｄに基づいて、下記の式（Ａ）を用いて、充電終止電圧Ｖｅを算出し、設定する。
【０１５３】
Ｖｅ＝Ｖｆ−ｋ×（Ｔｒ＋Ｔｄ−Ｔ０）  ・・・（Ａ）
温度係数ｋは、温度変化１℃あたりの充電終止電圧Ｖｅ１〜Ｖｅｎの変化量を示す係数であり、二次電池１ａ，１ｂが鉛蓄電池の場合は、例えばｋ＝０．０３である。また、式（Ａ）における（Ｔｒ＋Ｔｄ）が、内部温度Ｔｉとなる。
【０１５４】
また、処理部９は、実測温度Ｔｒと温度差Ｔｄとを加算することにより、二次電池１ａ，１ｂの内部温度Ｔｉを推定し、その推定値を、それぞれ充電装置２ａ’’，２ｂ’’へ送信する。
【０１５５】
図１９は、二次電池１ａ，１ｂに、二次電池１ｃを加えた三つの二次電池が、略密着して配設された状態を示す説明図である。図２０は、記憶部９１に記憶されている温度情報の一例について説明するための説明図である。図２０に示す温度情報は、図１９に示すように二次電池１ａ，１ｂ，１ｃが配置された状態で、二次電池１ａ，１ｂ，１ｃ近傍の外気温Ｔａ、二次電池１ａ，１ｂ，１ｃの表面温度Ｔｓ、及び内部温度Ｔｉを測定した測定結果の一例を示す説明図である。各温度は、二次電池１ａ，１ｂ，１ｃの実使用状態で想定される標準的な充放電電流を流した状態で測定されている。
【０１５６】
図２０に示すように、外気温Ｔａが２５．６℃のとき、二次電池１ａ，１ｂ，１ｃの充放電に伴う自己発熱によって、二次電池１ａ，１ｂ，１ｃの表面温度Ｔｓは、３０．６℃、３５．８℃、３１．２℃となり、両側を他の二次電池で挟まれた二次電池１ｂの表面温度が最も高くなった。
【０１５７】
このとき、二次電池１ａ，１ｂ，１ｃに穴を空けて内部温度Ｔｉを測定すると、その内部温度Ｔｉは、３１．６℃，３３．９℃，３２．３℃であった。そうすると、二次電池１ａ，１ｂ，１ｃにおける、内部温度Ｔｉと表面温度Ｔｓとの温度差Ｔｉｓ（＝内部温度Ｔｉ−表面温度Ｔｓ）は１．０℃，−１．９℃，１．１℃、表面温度Ｔｓと外気温Ｔａとの温度差Ｔｓａ（＝表面温度Ｔｓ−外気温Ｔａ）は５．０，１０．２℃，５．６℃、二次電池１ａの表面温度と各二次電池の表面温度との温度差Ｔｓｓ（＝表面温度Ｔｓ−二次電池１ａの表面温度Ｔｓ）は０．０℃、５．２℃，０．６℃となった。
【０１５８】
ここで、温度測定部７ａが二次電池１ａ，１ｂ，１ｃの近傍の外気温Ｔａを測定するように配設されているときは、図２０に示す温度情報における温度差Ｔｓａ＋温度差Ｔｉｓ＋温度差Ｔｓｓが、温度差Ｔｄを示す。また、温度測定部７ａが二次電池１ａの表面温度Ｔｓを測定するように配設されているときは、図２０に示す温度情報における温度差Ｔｉｓ＋温度差Ｔｓｓが、温度差Ｔｄを示す。
【０１５９】
図２１は、温度測定部７ａが二次電池１ａの表面温度Ｔｓを測定するように配設されており、温度測定部７ａにより測定された実測温度Ｔｒが３０．６℃、基準温度Ｔ０が２５℃、満充電電圧Ｖｆが１４．４Ｖであった場合に、処理部９によって、二次電池１ａ，１ｂ，１ｃに対応して設定される充電終止電圧Ｖｅを示している。
【０１６０】
図２２は、二次電池１ａ，１ｂ，１ｃが略密着して配設され、かつ二次電池１ｃ側に、発熱体である電源が配設された状態を示す説明図である。図２３は、記憶部９１に記憶されている温度情報の一例について説明するための説明図である。図２３に示す温度情報は、図２２に示すように二次電池１ａ，１ｂ，１ｃ及び電源が配置され、二次電池１ｃが最も電源からの輻射熱の影響を受けやすい状態で、二次電池１ａ，１ｂ，１ｃ近傍の外気温Ｔａ、電源の表面温度Ｔｐ、二次電池１ａ，１ｂ，１ｃの表面温度Ｔｓ、及び内部温度Ｔｉを測定した測定結果の一例を示す説明図である。各温度は、二次電池１ａ，１ｂ，１ｃの実使用状態で想定される標準的な充放電電流を流した状態で測定されている。
【０１６１】
図２３に示すように、外気温Ｔａが２６．３℃、電源表面温度Ｔｐが４９．２℃のとき、二次電池１ａ，１ｂ，１ｃの表面温度Ｔｓは、３０．６℃、３１．３℃、３４．０℃となり、電源からの輻射熱の影響を受けやすい二次電池１ｃの表面温度が最も高くなった。
【０１６２】
このとき、二次電池１ａ，１ｂ，１ｃに穴を空けて内部温度Ｔｉを測定すると、その内部温度Ｔｉは、３１．６℃，３２．３℃，３１．５℃であった。そうすると、二次電池１ａ，１ｂ，１ｃにおける、内部温度Ｔｉと表面温度Ｔｓとの温度差Ｔｉｓ（＝内部温度Ｔｉ−表面温度Ｔｓ）は１．０℃，１．０℃，−２．５℃、表面温度Ｔｓと外気温Ｔａとの温度差Ｔｓａ（＝表面温度Ｔｓ−外気温Ｔａ）は３．１℃，４．２℃，５．８℃、二次電池１ａの表面温度と各二次電池の表面温度との温度差Ｔｓｓ（＝表面温度Ｔｓ−二次電池１ａの表面温度Ｔｓ）は０．０℃、１．５℃，４．０℃となった。
【０１６３】
ここで、温度測定部７ａが二次電池１ａ，１ｂ，１ｃの近傍の外気温Ｔａを測定するように配設されているときは、図２３に示す温度情報における温度差Ｔｓａ＋温度差Ｔｉｓ＋温度差Ｔｓｓが、温度差Ｔｄを示す。また、温度測定部７ａが二次電池１ａの表面温度Ｔｓを測定するように配設されているときは、図２３に示す温度情報における温度差Ｔｉｓ＋温度差Ｔｓｓが、温度差Ｔｄを示す。
【０１６４】
図２４は、温度測定部７ａが二次電池１ａの表面温度Ｔｓを測定するように配設されており、温度測定部７ａにより測定された実測温度Ｔｒが３０．６℃、基準温度Ｔ０が２５℃、満充電電圧Ｖｆが１４．４Ｖであった場合に、処理部９によって、二次電池１ａ，１ｂ，１ｃに対応して設定される充電終止電圧Ｖｅを示している。
【０１６５】
次に、上述のように構成された電池充電システム１００’’の動作について説明する。図２５は、図１７に示す処理部９の動作の一例を示すフローチャートである。まず、処理部９は、記憶部９１を参照し、記憶部９１に記憶されている温度情報から、二次電池１ａに対応する温度差Ｔｄを取得する（ステップＳ５１）。
【０１６６】
次に、処理部９は、温度測定部７ａによって測定された実測温度Ｔｒと温度差Ｔｄとを加算して、二次電池１ａの内部温度Ｔｉを推定する（ステップＳ５２）。そして、処理部９は、二次電池１ａに対応する温度差Ｔｄと式（Ａ）とを用いて、充電終止電圧Ｖｅを算出し（ステップＳ５３）、充電装置２ａ’’へ、推定された二次電池１ａの内部温度Ｔｉと充電終止電圧Ｖｅとを送信する（ステップＳ５４）。
【０１６７】
以下、ステップＳ５５〜Ｓ５８において、処理部９は、ステップ５１〜Ｓ５４と同様の処理を二次電池１ｂについて実行することにより、二次電池１ｂについて推定された内部温度Ｔｉと充電終止電圧Ｖｅとを充電装置２ｂ’’へ送信する。
【０１６８】
以上、ステップＳ５１〜Ｓ５８の処理により、例えば他の二次電池に挟まれて配設されたり、電源などの発熱源からの熱輻射の影響を受けやすかったりといった、曝される温度条件が異なる二次電池１ａ，１ｂについて実際の内部温度Ｔｉを推定し、この内部温度Ｔｉに応じて充電終止電圧Ｖｅが設定される。
【０１６９】
そして、ステップＳ５１〜Ｓ５８の処理によれば、曝される温度条件によって、温度差Ｔｄが大きく、すなわち内部温度Ｔｉが高く成層化が生じ難い（成層化が軽度な）二次電池ほど、充電終止電圧Ｖｅが低い電圧に設定されて総通電電気量が減少される結果、後述する多段定電流充電における充電所要時間が短縮されて成層化の解消効果が減少される。
【０１７０】
一方、曝される温度条件によって、温度差Ｔｄが小さく、すなわち内部温度Ｔｉが低く成層化が生じ易い（成層化が重篤な）二次電池ほど、充電終止電圧Ｖｅが高い電圧に設定されて総通電電気量が増大される結果、多段定電流充電における充電所要時間が延長されて成層化の解消効果が増大される。
【０１７１】
そうすると、成層化が生じ難い（成層化が軽度な）二次電池ほど成層化の解消効果が減少され、成層化が生じ易い（成層化が重篤な）二次電池ほど成層化の解消効果が増大されるから、各二次電池間における成層化のバラツキが低減される。
【０１７２】
そして、このようにして各二次電池間の、成層化のバラツキが低減されることによって、最も成層化が進んだ制御弁式鉛蓄電池であってもその成層化の程度が軽減される結果、サルフェーションにより電池容量が減少するおそれが低減される。そうすると、組電池全体の電池容量が減少するおそれも低減される。
【０１７３】
図２６、図２７は、図１８に示す充電装置２ａ’’，２ｂ’’の動作の一例を示すフローチャートである。充電装置２ａ’’，２ｂ’’は、図２６、図２７に示す処理を並行してそれぞれ実行する。以下、充電装置２ａ’’，２ｂ’’の動作を一括して説明する。
【０１７４】
また、図２８は、図１８に示す充電装置２ａ’’による充電に伴う二次電池１ａの端子電圧Ｖと、充電電流Ｉの変化の一例を示す説明図である。図２９は充電装置２ｂ’’による充電に伴う二次電池１ｂの端子電圧Ｖと、充電電流Ｉの変化の一例を示す説明図である。図２８、図２９においては、二次電池１ｂ（図２９）の方が、二次電池１ａ（図２８）よりも、低温に曝されやすい温度条件にされており、温度差Ｔｄが小さく成層化が進んでいる例を示している。
【０１７５】
まず、制御部２１’’は、処理部９から充電終止電圧Ｖｅ１〜Ｖｅｎと内部温度Ｔｉとを受信する（ステップＳ６１）。
【０１７６】
次に、通電電気量検出部２１４によって、電流検出部８ａ，８ｂによって検出された電流値が例えば単位時間毎に積算されて、通電電気量Ｑｃの積算が開始され（ステップＳ６２）、さらに計時部２１２によって、定電流充電Ｃ１の継続時間ｔｃ１の計時が開始される（ステップＳ６３）。
【０１７７】
そして、ステップＳ６４において、充電制御部２１１’によって、定電流回路２３から出力される充電電流Ｉが充電電流値Ｉｃ１に設定されて、１段目の定電流充電Ｃ１が開始され（タイミングＴ１１）、二次電池１ａ，１ｂが充電される（ステップＳ６４）。次に、充電制御部２１１’によって、二次電池１ａ，１ｂの電圧Ｖが１段目の充電終止電圧Ｖｅ１以上であるか否かが判断され、端子電圧ＶがＶｅ１未満であれば１段目の定電流充電Ｃ１が継続され（ステップＳ６５でＮＯ）、Ｖｅ１以上であれば１段目の定電流充電Ｃ１を終止する（ステップＳ６５でＹＥＳ、タイミングＴ１２）。
【０１７８】
ここで、例えば二次電池１ａの方が二次電池１ｂよりも高温に曝されやすい（内部が高温になりやすい）温度条件の環境に置かれていた場合、記憶部９１に記憶されている温度情報で示される温度差Ｔｄは、二次電池１ａの方が二次電池１ｂよりも大きな値になる結果、処理部９によって充電装置２ａ’’へ送信（設定）された充電終止電圧Ｖｅ１〜Ｖｅｎは、充電装置２ｂ’’へ送信（設定）された充電終止電圧Ｖｅ１〜Ｖｅｎより低い電圧にされている。
【０１７９】
図２８においては、充電装置２ａ’’へ送信（設定）された充電終止電圧Ｖｅ１〜Ｖｅｎが、電圧Ｖａであり、図２９においては、充電装置２ｂ’’へ送信（設定）された充電終止電圧Ｖｅ１〜Ｖｅｎが、電圧Ｖｂである例を示しており、この場合、Ｖａ＜Ｖｂとなっている。これにより、高温に曝されやすい温度条件の環境に置かれて成層化の影響が少なく、充電効率が高くなっていると考えられる二次電池１ａへ供給される通電電気量の方が、低温に曝されやすい温度条件の環境に置かれて成層化が進み、充電効率が低くなっていると考えられる二次電池１ｂへ供給される通電電気量より少なくされる結果、実際に二次電池１ａ，１ｂに充電される充電電気量の差（バラツキ）が小さくなるようにされている。
【０１８０】
そして、定電流充電Ｃ１が終了すると（ステップＳ６５でＹＥＳ、タイミングＴ１２）、計時部２１２によって計時された継続時間ｔｃ１が、目標通電電気量取得部２１３によって取得され（ステップＳ６６）、目標通電電気量取得部２１３によって、記憶部２１７の通電電気量テーブルが参照されて、継続時間ｔｃ１と対応付けて記憶されている通電電気量が、目標通電電気量Ｑｔとして取得される（ステップＳ６７）。
【０１８１】
次に、補充電時間補正部２１６’によって、記憶部２１７に記憶されている充電効率係数テーブルが参照されて、処理部９から受信された内部温度Ｔｉと対応付けられている充電効率係数Ｋｃが取得される（ステップＳ６８）。そして、補充電時間補正部２１６’によって、充電効率係数Ｋｃが、目標通電電気量取得部２１３によって取得された目標通電電気量Ｑｔに乗算されて、目標通電電気量Ｑｔが補正される（ステップＳ６９）。
【０１８２】
これにより、内部温度Ｔｉが高くなるほど、目標通電電気量Ｑｔが小さく、補充電時間ｔｎが短くなるように補正される。ここで、もし仮に、補充電時間補正部２１６’による目標通電電気量Ｑｔ（補充電時間ｔｎ）の補正が実行されなかったとすれば、処理部９によるステップＳ５１〜Ｓ５８の処理により、内部温度Ｔｉが高い二次電池ほど多段定電流充電における通電電気量を減少させるように充電終止電圧Ｖｅ１〜Ｖｅｎが小さな値に設定されて、上述したように実際に二次電池１ａ，１ｂに充電される充電電気量の差（バラツキ）を低減しようとしているにもかかわらず、内部温度Ｔｉが高い二次電池は、通電電気量Ｑｃが減少してステップＳ７５において、補充電時間ｔｎが長い時間に設定されて、最終の定電流充電Ｃｎの充電時間が延びて通電電気量が増大し、処理部９による充電電気量のバラツキ低減効果が相殺されてしまうおそれがある。
【０１８３】
しかしながら、電池充電システム１００’’によれば、補充電時間補正部２１６’によって、内部温度Ｔｉが高くなるほど、目標通電電気量Ｑｔが小さく、補充電時間ｔｎが短くなるように補正されるので、処理部９による充電電気量のバラツキ低減効果が相殺されるおそれが低減される。
【０１８４】
次に、ステップＳ７１において、充電制御部２１１’によって、定電流回路２３から出力される充電電流Ｉが充電電流値Ｉｃ２に設定されて、２段目の定電流充電Ｃ２が開始され（タイミングＴ１２）、二次電池１ａ，１ｂが充電される（ステップＳ７１）。次に、充電制御部２１１’によって、二次電池１ａ，１ｂの端子電圧Ｖが２段目の充電終止電圧Ｖｅ２以上であるか否かが判断され、端子電圧Ｖが充電終止電圧Ｖｅ２未満であれば２段目の定電流充電Ｃ２が継続され（ステップＳ７２でＮＯ）、充電終止電圧Ｖｅ２以上であれば２段目の定電流充電Ｃ２を終止する（ステップＳ７２でＹＥＳ）。
【０１８５】
以降、充電電流値を順次減少させながら定電流充電を繰り返し、ｎ−１回目（最後の一つ前）の定電流充電（ｎ−１）が終了すると（ステップＳ７４でＹＥＳ）、補充電時間算出部２１５によって、通電電気量検出部２１４によって積算された通電電気量Ｑｃ、目標通電電気量Ｑｔ、及び充電電流値（設定電流値）Ｉｃｎに基づき、上記式（１）を用いて補充電時間ｔｎが算出される（ステップＳ７５）。
【０１８６】
次に、充電制御部２１１’によって、定電流回路２３から出力される充電電流Ｉが充電電流値Ｉｃｎに設定されて、ｎ段目（最終）の定電流充電Ｃｎが開始され（タイミングＴ１３）、二次電池１ａ，１ｂが充電される（ステップＳ７６）。
【０１８７】
そして、計時部２１２によって、定電流充電Ｃｎの開始後の経過時間ｔが計時され、充電制御部２１１’によって、経過時間ｔと補充電時間ｔｎとが比較される（ステップＳ７７）。そして、経過時間ｔが補充電時間ｔｎ以上になると（ステップＳ７７でＹＥＳ）、充電制御部２１１’は、定電流回路２３による電流出力をゼロにして、多段定電流充電を終了する（ステップＳ７８）。
【０１８８】
以上、ステップＳ７６〜Ｓ７８の処理により、補充電時間算出部２１５は、多段定電流充電全体を通じての二次電池１ａ，１ｂへの通電電気量が、目標通電電気量取得部２１３によって取得され、さらに補充電時間補正部２１６’によって温度の影響（成層化の影響）が補正された目標通電電気量Ｑｔになるように、最後の定電流充電Ｃｎで充電されるから、二次電池１ａ，１ｂを満充電する精度が向上する。
【０１８９】
さらに、図１６に示すように、各々の直列回路が曝される環境温度を加味して、各々の直列回路における通電電気量（充電電流値）を変化させる。仮に同じ充電所要時間であっても、通電電気量が適度に大きければ酸素ガスの発生による成層化の解消が進みやすくなるので、環境温度が低く成層化が重篤になるところに配置された直列回路ほど成層化の解消が進むため、直列回路間の成層化の解消度合を揃えることが可能となる。
【０１９０】
ここまではｎ段定電流充電のみを用いた組電池の充電方法を示したが、ｎ段定電流充電を主構成として、他の充電方法（例えばパルス充電やトリクル充電）を組み合わせても、本発明の効果が得られることは言うまでもない。
【０１９１】
なお、電池充電システム１００’，１００’’は、制御部２１’，２１’’において、計時部２１２、目標通電電気量取得部２１３、通電電気量検出部２１４、補充電時間算出部２１５、補充電時間補正部２１６，２１６’、及び記憶部２１７，２１７’を備えず、ステップＳ３２，Ｓ３３，Ｓ３６〜Ｓ３９、Ｓ４５、Ｓ４９、Ｓ６２、Ｓ６３、Ｓ６６〜Ｓ６９、Ｓ７５を実行せず、ステップＳ４７，Ｓ７７の代わりにステップＳ０６と同様の処理を行う構成としてもよい。
【０１９２】
また、制御部２１’，２１’’は、補充電時間補正部２１６，２１６’を備えず、ステップＳ３８，Ｓ３９，Ｓ６８，Ｓ６９を実行しない構成としてもよい。
【０１９３】
すなわち、本発明の一局面に従う電池充電システムは、互いに対向配置された板状の正極と負極との間に、電解液を含浸するセパレータが配設された電池である制御弁式鉛蓄電池を用いた二次電池が複数並列接続された組電池と、前記各二次電池に対応して設けられ、対応する二次電池をそれぞれ充電する複数の充電部とを備え、前記各充電部は、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させる多段定電流充電を実行する。
【０１９４】
また、本発明の一局面に従う組電池の充電方法は、互いに対向配置された板状の正極と負極との間に、電解液を含浸するセパレータが配設された電池である制御弁式鉛蓄電池を用いた二次電池が複数並列接続された組電池の充電方法であって、前記各二次電池に対応して設けられた複数の充電部によって、それぞれ対応する二次電池へ当該各対応する二次電池の端子電圧が所定の充電終止電圧になるまで所定の設定電流値の電流を供給する定電流充電を予め設定された複数回数繰り返すと共に、当該定電流充電を繰り返す都度、前記設定電流値を減少させることにより、多段定電流充電を実行する充電工程を含む。
【０１９５】
この構成によれば、制御弁式鉛蓄電池を用いた二次電池が複数並列接続された組電池を多段定電流充電する際に、各二次電池は、端子電圧が所定の充電終止電圧になるまで所定の設定電流値の電流を供給する定電流充電が、充電電流値を都度減少させつつ複数回繰り返される。そうすると、充電電流値が大きい初期の定電流充電においては、成層化が進んでいる（成層化が重篤な）二次電池の方が、成層化が進んでいない（成層化が軽度な）二次電池よりも端子電圧の上昇が早いため、短時間で定電流充電が終了する。
【０１９６】
そして、大きな電流値で充電する初期の定電流充電が短時間で終了すると、多段定電流充電初期の定電流充電によって成層化が重篤な二次電池の充電される電気量は、成層化が軽度な二次電池より少なくなるため、成層化が重篤な二次電池では、その不足分が多段定電流充電末期の充電電流値が小さい定電流充電によって充電されることとなる。そうすると、成層化が重篤な二次電池は、成層化が軽度な二次電池よりも少ない電流値で充電される期間が長くなるから、多段定電流充電による充電時間全体が、成層化が軽度な二次電池よりも長くなる。従って、成層化が重篤なものは充電時間が長くなり、成層化が軽度なものは充電時間が短くなる。
【０１９７】
ここで、成層化は、充電時間が長いほど解消されるので、並列接続された複数の二次電池相互間において、成層化の程度にバラツキがあったとしても、成層化が重篤なものの方が、成層化が軽度なものよりも充電時間が長くなって成層化がより多く解消される結果、成層化の程度のバラツキが低減される。そして、各二次電池間の、成層化のバラツキが低減されることによって、最も成層化が重篤な制御弁式鉛蓄電池におけるその成層化の程度が軽減される結果、成層化に起因して電池容量が減少するおそれが低減される。そうすると、組電池全体の電池容量が減少するおそれも低減される。
【０１９８】
また、前記二次電池は、複数の制御弁式鉛蓄電池が直列接続されて構成されていることが好ましい。
【０１９９】
制御弁式鉛蓄電池が複数直列接続されている場合には、その直列回路に含まれる制御弁式鉛蓄電池のうち最も電池容量が減少した制御弁式鉛蓄電池によって、直列回路全体の充放電可能な電気量が制限されてしまうので、成層化のバラツキにより生じる電池容量の減少が、さらに顕著となる。従って、上述のようにして成層化のバラツキが低減されることによる効果、すなわち電池容量の減少を低減する効果が、制御弁式鉛蓄電池一つで二次電池が構成されている場合よりも大きい。
【０２００】
また、前記正極及び負極における、活物質で覆われた部分の重力方向の長さが、１００ｍｍ以上であることが好ましい。
【０２０１】
正極及び負極における、活物質で覆われた部分の重力方向の長さが、１００ｍｍ以上である場合、当該長さが１００ｍｍに満たない場合よりも、成層化が生じやすく、従って各二次電池間の成層化のバラツキも生じやすい。従って、上述のようにして成層化のバラツキが低減されることによる効果、すなわち電池容量の減少を低減する効果が、前記長さが１００ｍｍ以上である制御弁式鉛蓄電池を用いた場合の方が、当該長さが１００ｍｍに満たない制御弁式鉛蓄電池を用いた場合よりも、より多く期待できる。
【０２０２】
また、前記各二次電池の温度をそれぞれ測定する複数の温度測定部と、前記多段定電流充電の実行開始前における予め設定された設定期間において前記各温度測定部によって測定された各温度に基づいて、前記各充電部が前記複数回の定電流充電によって対応する二次電池へ供給する電気量である総通電電気量をそれぞれ設定する通電電気量設定部とをさらに備えることが好ましい。
【０２０３】
また、前記多段定電流充電の実行開始前における予め設定された設定期間において、前記各二次電池の温度をそれぞれ測定する温度測定工程と、前記温度測定工程によって測定された各温度に基づいて、前記各充電部が前記複数回の定電流充電によって対応する二次電池へ供給する電気量である総通電電気量をそれぞれ設定する通電電気量設定工程とをさらに含むようにしてもよい。
【０２０４】
制御弁式鉛蓄電池の成層化は、温度が低いほど生じやすい。従って、多段定電流充電を開始する前に、低温になっていた二次電池は成層化が重篤になり、高温になっていた二次電池は成層化が軽度になっていると考えられる。そして、成層化が重篤になるほど充電効率が低下するから、充電開始前に低温になっていた二次電池と高温になっていた二次電池とに、同一の通電電気量を供給して充電すると、実際に充電される充電電気量は、充電開始前に低温になっていた二次電池の方が少なくなる。
【０２０５】
そこで、多段定電流充電の実行開始前における設定期間における各二次電池の温度に基づいて、複数回の定電流充電、すなわち多段定電流充電において対応する二次電池へ供給する電気量である総通電電気量をそれぞれ設定することで、各二次電池に実際に充電される充電電気量のバラツキを低減することが可能となる。
【０２０６】
また、前記通電電気量設定部は、前記各温度測定部によって測定される各温度の、前記設定期間における積算値を前記各二次電池にそれぞれ対応して算出し、当該積算値が大きい二次電池ほど前記総通電電気量を減少させるように、当該各総通電電気量を設定することが好ましい。
【０２０７】
制御弁式鉛蓄電池の成層化は、低温になっていた時間が長いほど生じやすい。そこで、各温度測定部によって測定される各二次電池の温度の、設定期間における積算値を各二次電池にそれぞれ対応して算出し、当該積算値が大きい二次電池ほど総通電電気量を減少させ、すなわち当該積算値が小さい二次電池ほど総通電電気量を増大させるように、当該各総通電電気量を設定する。これにより、低温になっていた時間が長く、成層化が進んで充電効率が低下していると考えられる二次電池ほど、総通電電気量が増大されるので、各二次電池に実際に充電される充電電気量のバラツキを低減することができる。
【０２０８】
また、前記通電電気量設定部は、前記各温度測定部によって測定される各温度の、前記設定期間における最大値を前記各二次電池にそれぞれ対応して取得し、当該最大値が大きい二次電池ほど前記総通電電気量を減少させるように、当該各総通電電気量を設定するようにしてもよい。
【０２０９】
この構成によれば、各二次電池の温度を設定期間中積算する場合と比べて処理を簡素化することができる。
【０２１０】
また、前記二次電池の各温度を示す情報と、前記総通電電気量に関する情報とを対応付けて記憶する第１記憶部をさらに備え、前記通電電気量設定部は、前記第１記憶部によって、前記各温度測定部によって測定された各温度と対応付けて記憶されている総通電電気量に関する情報に応じて、前記各総通電電気量を設定することが好ましい。
【０２１１】
また、前記積算値と、前記総通電電気量に関する情報とを対応付けて記憶する第１記憶部をさらに備え、前記通電電気量設定部は、前記第１記憶部によって、前記積算値と対応付けて記憶されている総通電電気量に関する情報に応じて、当該積算値が大きい二次電池ほど前記総通電電気量を減少させるように、当該各総通電電気量を設定するようにしてもよい。
【０２１２】
また、前記最大値と、前記総通電電気量に関する情報とを対応付けて記憶する第１記憶部をさらに備え、前記通電電気量設定部は、前記第１記憶部によって、前記最大値と対応付けて記憶されている総通電電気量に関する情報に応じて、当該最大値が大きい二次電池ほど前記総通電電気量を減少させるように、当該各総通電電気量を設定するようにしてもよい。
【０２１３】
これらの構成によれば、第１記憶部を参照することで、各温度に基づき各総通電電気量を設定することができるので、処理を簡素化することができる。
【０２１４】
また、前記複数の二次電池に関する温度を測定する温度測定部と、前記各二次電池が曝される温度と前記温度測定部によって測定される温度との関係を示す温度情報を、予め記憶する温度情報記憶部と、前記温度情報記憶部に記憶されている温度情報と前記温度測定部によって測定された温度とに基づいて、前記各充電部が前記複数回の定電流充電によって対応する二次電池へ供給する電気量である総通電電気量をそれぞれ設定する通電電気量設定部とをさらに備えることが好ましい。
【０２１５】
また、前記複数の二次電池に関する温度を測定する温度測定工程と、前記各二次電池が曝される温度と前記温度測定工程によって測定される温度との関係を示す温度情報を、予め記憶する温度情報記憶工程と、前記温度情報記憶工程において記憶された温度情報と前記温度測定工程において測定された温度とに基づいて、前記各充電部が前記複数回の定電流充電によって対応する二次電池へ供給する電気量である総通電電気量をそれぞれ設定する通電電気量設定工程とをさらに含むようにしてもよい。
【０２１６】
二次電池の成層化は、温度条件によって程度が異なる。そして、各二次電池が曝される温度条件には、発熱体と二次電池との位置関係等の影響によって、差異が生じる。そこで、これらの構成によれば、各二次電池の温度条件が、実際に各二次電池が曝される温度と温度測定部による温度測定工程で測定される温度との関係を示す温度情報として予め記憶されており、この温度情報と実際に測定された温度とに基づいて、各充電部が前記複数回の定電流充電によって対応する二次電池へ供給する電気量である総通電電気量がそれぞれ設定される。ここで、総通電電気量が多いほど、充電所要時間が長くなって成層化の解消効果が増大するから、各二次電池が曝される温度条件の差異に起因して生じる成層化を低減することが容易となる。
【０２１７】
また、前記温度情報は、前記温度測定部によって測定される実測温度と前記各二次電池の内部温度との温度差を、当該各二次電池について示す情報であり、前記通電電気量設定部は、前記温度情報記憶部に記憶されている温度情報において、前記内部温度が前記実測温度より高い値を示す二次電池について、前記温度測定部によって測定された実測温度に前記温度情報で示される温度差を加算することによって、当該二次電池の内部温度を推定し、前記温度情報記憶部に記憶されている温度情報において、前記内部温度が前記実測温度より低い値を示す二次電池について、前記温度測定部によって測定された実測温度から前記温度情報で示される温度差を減算することによって、当該二次電池の内部温度を推定し、当該推定された内部温度が高い二次電池ほど前記総通電電気量を減少させるように、前記各総通電電気量を設定することが好ましい。
【０２１８】
この構成によれば、内部温度が実測温度より高い値を示す二次電池については、温度測定部によって測定された実測温度に温度情報で示される温度差が加算されて、当該二次電池の内部温度が推定される。また、内部温度が実測温度より低い値を示す二次電池については、温度測定部によって測定された実測温度から温度情報で示される温度差が減算されて、当該二次電池の内部温度が推定される。そして、推定された内部温度が高い二次電池ほど、すなわち成層化の程度が軽いと考えられる二次電池ほど、総通電電気量が減少されて充電所要時間が短縮され、成層化の低減効果が減少される一方、推定された内部温度が低い二次電池ほど、すなわち成層化が進んでいると考えられる二次電池ほど、総通電電気量が増大されて充電所要時間が長くされ、成層化の低減効果が増大されるように、各総通電電気量が設定される。その結果、各二次電池間における成層化の程度のバラツキが低減される。
【０２１９】
また、前記通電電気量設定部は、前記各充電部によって実行される多段定電流充電における前記複数回の定電流充電において、前記充電終止電圧を低下させることで前記総通電電気量を減少させ、前記充電終止電圧を上昇させることで前記総通電電気量を増大させることによって、前記総通電電気量を設定することが好ましい。
【０２２０】
この構成によれば、通電電気量設定部は、各充電部によって実行される各定電流充電で用いられる充電終止電圧を低下させることで総通電電気量を減少させ、充電終止電圧を上昇させることで総通電電気量を増大させることで、総通電電気量を設定することができる。
【０２２１】
また、前記通電電気量設定部は、前記各二次電池の予め設定された基準温度Ｔ０における満充電電圧をＶｆ、温度と満充電電圧との関係を表す温度係数をｋ、前記温度測定部によって測定された実測温度をＴｒ、前記温度情報によって示される温度差をＴｄとした場合、下記の式（Ａ）を用いて、前記充電終止電圧Ｖｅを算出し、設定することが好ましい。
【０２２２】
Ｖｅ＝Ｖｆ−ｋ×（Ｔｒ＋Ｔｄ−Ｔ０）  ・・・（Ａ）
この構成によれば、通電電気量設定部は、式（Ａ）を用いて充電終止電圧Ｖｅを算出、設定することで、各二次電池が曝される温度条件が反映された温度差Ｔｄが大きいほど総通電電気量を減少させて充電所要時間を短縮することができるので、各二次電池間における成層化の程度のバラツキを低減することが可能となる。
【０２２３】
また、前記通電電気量設定部は、前記各充電部によって実行される多段定電流充電における前記複数回の定電流充電において、前記充電終止電圧を低下させることで前記総通電電気量を減少させ、前記充電終止電圧を上昇させることで前記総通電電気量を増大させることによって、前記総通電電気量を設定することが好ましい。
【０２２４】
この構成によれば、充電終止電圧の設定を変更するだけで、総通電電気量を変化させることができるので、簡素な処理で総通電電気量を変化させることが可能となる。
【０２２５】
また、前記設定期間は、前記各充電部によって、前回、前記多段定電流充電が実行された後、新たに前記多段定電流充電が開始されるまでの期間であることが好ましい。
【０２２６】
上述の多段定電流充電が実行されると、上述したように各二次電池相互間での成層化の程度のバラツキが低減される。従って、もし仮に、前回の多段定電流充電の実行前の温度に基づいて総通電電気量を設定すると、既に解消されている成層化の影響まで考慮して総通電電気量が設定されることとなり、実際の各二次電池の成層化の状態が総通電電気量に正しく反映されない。しかしながら、前回、前記多段定電流充電が実行された後、新たに前記多段定電流充電が開始されるまでの期間を設定期間として用いると、前回の多段定電流充電によって解消したと考えられる成層化の影響が、総通電電気量から排除されるので、総通電電気量に成層化の程度を反映させる精度を向上させることができる。
【０２２７】
また、前記各充電部は、前記多段定電流充電において繰り返される定電流充電のうち、最後に実行される定電流充電を、前記二次電池の端子電圧に関わらず、所定の補充電時間の間、継続することが好ましい。
【０２２８】
また、前記充電工程における多段定電流充電において繰り返される定電流充電のうち、最後に実行される定電流充電を、前記二次電池の端子電圧に関わらず、所定の補充電時間の間、継続する補充電工程をさらに含むようにしてもよい。
【０２２９】
設定電流値、すなわち充電電流値は、多段定電流充電において定電流充電を繰り返す都度減少されるから、最後の定電流充電における充電電流は微少な値となり、充電に伴う端子電圧の変化が微小となる。そのため、充電終止電圧付近でノイズの影響を受け易く、充電終了条件の判定において、誤判定が生じやすい。そこで、最後に実行する定電流充電を、二次電池の端子電圧に関わらず、所定の補充電時間の間、継続した後に終了することで、微妙な判定が要求される充電終止電圧と端子電圧との比較を実行する必要が無くなり、充電終了条件を誤判定してしまうおそれが低減される。
【０２３０】
また、前記各充電部は、前記多段定電流充電において繰り返される定電流充電のうち、最後に実行される定電流充電を、前記二次電池の端子電圧に関わらず、所定の補充電時間の間、継続し、前記各充電部において用いられる前記各補充電時間を、前記通電電気量設定部によって当該各充電部に対応する二次電池に対応して算出された積算値が増大するほど短くなるように補正する補充電時間補正部をさらに備えることが好ましい。
【０２３１】
この構成によれば、各補充電時間が、積算値が増大するほど短く、すなわち積算値が減少するほど長くなるように補正される。これにより、積算値が小さく、すなわち成層化が進んで充電効率が低下していると考えられる場合ほど、最後の定電流充電の充電時間が長くなって、二次電池に充電される電気量が増大するので、各二次電池間における実際に充電される充電電気量のバラツキが低減される。
【０２３２】
また、前記各充電部は、前記多段定電流充電において繰り返される定電流充電のうち、最後に実行される定電流充電を、前記二次電池の端子電圧に関わらず、所定の補充電時間の間、継続し、前記各充電部において用いられる前記各補充電時間を、前記通電電気量設定部によって当該各充電部に対応する二次電池に対応して取得された最大値が増大するほど短くなるように補正する補充電時間補正部をさらに備えるようにしてもよい。
【０２３３】
この構成によれば、各補充電時間が、前記最大値が増大するほど短く、すなわち前記最大値が減少するほど長くなるように補正される。これにより、前記最大値が小さく、すなわち成層化が進んで充電効率が低下していると考えられる場合ほど、最後の定電流充電の充電時間が長くなって、二次電池に充電される電気量が増大するので、各二次電池間における実際に充電される充電電気量のバラツキが低減される。
【０２３４】
また、前記各充電部は、前記多段定電流充電において繰り返される定電流充電のうち、最後に実行される定電流充電を、前記二次電池の端子電圧に関わらず、所定の補充電時間の間、継続し、前記各充電部において用いられる前記各補充電時間を、前記通電電気量設定部によって推定された内部温度が上昇するほど短くなるように補正する補充電時間補正部をさらに備えることが好ましい。
【０２３５】
この構成によれば、各補充電時間が、各二次電池の内部温度の推定値が高いほど短く、当該内部温度の推定値が低いほど長くなるように補正される。これにより、内部温度が低く、すなわち成層化が進んで充電効率が低下していると考えられる場合ほど、最後の定電流充電の充電時間が長くなって、二次電池に充電される電気量が増大するので、各二次電池間における実際に充電される充電電気量のバラツキが低減される。
【０２３６】
また、前記多段定電流充電において繰り返される定電流充電のうち、最初に実行される定電流充電の継続時間を、前記各二次電池についてそれぞれ計時する計時部と、前記各二次電池に対して前記最初に実行される定電流充電の継続時間と当該充電対象の二次電池を満充電にするために必要な通電電気量とを対応させて記憶する第２記憶部と、前記第２記憶部によって、前記計時部によって計時された各二次電池についての前記最初に実行される定電流充電の継続時間と対応付けて記憶されている通電電気量を、前記多段定電流充電において前記各二次電池に供給するべき通電電気量の目標値である目標通電電気量として取得する目標通電電気量取得部と、前記多段定電流充電が開始されてから前記最後に実行される定電流充電が開始される前までに、前記各充電部によって各二次電池へ供給された通電電気量をそれぞれ検出する通電電気量検出部と、前記目標通電電気量取得部によって取得された目標通電電気量と前記通電電気量検出部によって検出された通電電気量との差を、前記最後に実行される定電流充電における設定電流値で除算することにより、前記補充電時間を算出する補充電時間算出部とをさらに備えることが好ましい。
【０２３７】
二次電池に充電されている充電電気量と、最初に実行される定電流充電の継続時間との間には相関関係がある。そこで、最初に実行される定電流充電の継続時間と二次電池を満充電にするために必要な通電電気量とを対応させて第２記憶部に記憶させておく。そして、第２記憶部によって各二次電池についての最初に実行される定電流充電の継続時間と対応付けて記憶されている通電電気量が、目標通電電気量取得部によって、多段定電流充電において各二次電池に供給するべき通電電気量の目標値である目標通電電気量として得られる。さらに、目標通電電気量取得部によって取得された目標通電電気量と通電電気量検出部によって検出された通電電気量との差が、補充電時間算出部によって、最後に実行される定電流充電における設定電流値で除算されて、補充電時間が算出される。
【０２３８】
そうすると、多段定電流充電全体で二次電池に供給される通電電気量が、目標通電電気量になるように、最後に実行される定電流充電の充電時間が設定される。そして、目標通電電気量は、二次電池を満充電にするために必要な通電電気量として得られたものであるから、二次電池を精度よく満充電にすることが可能となる。
【産業上の利用可能性】
【０２３９】
本発明に係る組電池の充電方法、及び電池充電システムは、運搬車両の動力源等の目的で制御弁式鉛蓄電池からなる組電池を構成して寒冷地で使用する場合などに適しており、産業の発展に与える影響は大きい。
【手続補正３】
【補正対象書類名】図面
【補正対象項目名】全図
【補正方法】変更
【補正の内容】
【図１】
2010079563.tif 000032
【図２】
2010079563.tif 000033
【図３】
2010079563.tif 000034
【図４】
2010079563.tif 000035
【図５】
2010079563.tif 000036
【図６】
2010079563.tif 000037
【図７】
2010079563.tif 000038
【図８】
2010079563.tif 000039
【図９】
2010079563.tif 000040
【図１０】
2010079563.tif 000041
【図１１】
2010079563.tif 000042
【図１２】
2010079563.tif 000043
【図１３】
2010079563.tif 000044
【図１４】
2010079563.tif 000045
【図１５】
2010079563.tif 000046
【図１６】
2010079563.tif 000047
【図１７】
2010079563.tif 000048
【図１８】
2010079563.tif 000049
【図１９】
2010079563.tif 000050
【図２０】
2010079563.tif 000051
【図２１】
2010079563.tif 000052
【図２２】
2010079563.tif 000053
【図２３】
2010079563.tif 000054
【図２４】
2010079563.tif 000055
【図２５】
2010079563.tif 000056
【図２６】
2010079563.tif 000057
【図２７】
2010079563.tif 000058
【図２８】
2010079563.tif 000059
【図２９】
2010079563.tif 000060
【国際調査報告】
2010079563.tif 000061
2010079563.tif 000062
2010079563.tif 000063
2010079563.tif 000064
2010079563.tif 000065
2010079563.tif 000066
2010079563.tif 000067
2010079563.tif 000068